(57)【要約】撮像光学系は、ズーミングに際して各レンズ群の間隔が変化し、負のパワーを有するレンズ群のうち、最も物体側にあるレンズ群Ｇｍを備える。レンズ群Ｇｍは、物体側から像側へと順に、負のパワーを有するレンズ素子ＬＧｍＦ１と、両面が非球面形状で負のパワーを有するレンズ素子ＬＧｍＦ２と、２枚以上のパワーを有するレンズ素子と、を備える。これにより、球面収差、非点収差、歪曲収差などの諸収差の良好な撮像光学系とそれを備える撮像装置およびカメラシステムを提供する。
2018123672.tif 000002
【特許請求の範囲】
【請求項１】
ズーミングに際して各レンズ群の間隔が変化し、負のパワーを有するレンズ群のうち、最も物体側にあるレンズ群Ｇｍは、
物体側から像側へと順に、
負のパワーを有するレンズ素子ＬＧｍＦ１と、
両面が非球面形状で負のパワーを有するレンズ素子ＬＧｍＦ２と、
２枚以上のパワーを有するレンズ素子と、を備える、
撮像光学系。
【請求項２】
負のパワーを有するレンズ群のうち、最も物体側にあるレンズ群Ｇｍは、
物体側から像側へと順に、
負のパワーを有するレンズ素子ＬＧｍＦ１と、
両面が非球面形状で負のパワーを有するレンズ素子ＬＧｍＦ２と、
２枚以上のパワーを有するレンズ素子と、を備え、
前記レンズ素子ＬＧｍＦ１は、開口絞りよりも物体側にあるレンズ素子のうち、最もパワーの強いレンズ素子である、
撮像光学系。
【請求項３】
ｔ＿ＬＧｍＦ２（７０％）を前記レンズ群Ｇｍの物体側から２枚目のレンズ素子ＬＧｍＦ２の物体側面の有効径から７０％の高さのレンズ素子厚み、
ｃｔ＿ＬＧｍＦ２を前記レンズ群Ｇｍの物体側から２枚目のレンズ素子ＬＧｍＦ２の中心厚み、としたとき、
０．８＜ｔ＿ＬＧｍＦ２（７０％）／ｃｔ＿ＬＧｍＦ２＜１．５・・・（１２）
上記の条件（１２）を満足する請求項１または請求項２のいずれか１項に記載の撮像光学系。
【請求項４】
前記レンズ群Ｇｍの像側から２枚目のレンズ素子ＬＧｍＲ２は、像側に凸のメニスカス形状である、
請求項１または請求項２のいずれか１項に記載の撮像光学系。
【請求項５】
前記レンズ群Ｇｍは、
物体側から像側へと順に、
負のパワーを有する前記レンズ素子ＬＧｍＦ１と、
負のパワーを有する前記レンズ素子ＬＧｍＦ２と、
を備え、
像側から物体側へと順に、少なくとも２つの、
正のパワーを有するレンズ素子ＬＧｍＲ１と、
負のパワーを有するレンズ素子ＬＧｍＲ２と、
を備える、請求項１または請求項２のいずれか１項に記載の撮像光学系。
【請求項６】
ＴＨＧｍ＿Ａを前記レンズ群Ｇｍの物体側から１枚目のレンズ素子ＬＧｍＦ１と、前記レンズ群Ｇｍの物体側から２枚目のレンズ素子ＬＧｍＦ２との空気間隔、
ＴＨＧｍ＿Ｂを前記レンズ群Ｇｍの像側から２枚目のレンズ素子ＬＧｍＲ２と、前記レンズ群Ｇｍの像側から３枚目のレンズ素子ＬＧｍＲ３との空気間隔、としたとき、
０．５  ＜  ＴＨＧｍ＿Ａ／ＴＨＧｍ＿Ｂ  ＜  １．５    ・・・（２）
上記の条件（２）を満足する請求項１または請求項２のいずれか１項に記載の撮像光学系。
【請求項７】
ｎｄ＿ＬＧｍＦ１を前記レンズ群Ｇｍの最も物体側のレンズ素子ＬＧｍＦ１の屈折率、
ｖｄ＿ＬＧｍＦ１を前記レンズ群Ｇｍの最も物体側のレンズ素子ＬＧｍＦ１のアッベ数、としたとき、
１．７５  ＜  ｎｄ＿ＬＧｍＦ１      ・・・（１０）
２５      ＜  ｖｄ＿ＬＧｍＦ１      ・・・（１１）
上記の条件（１０）、（１１）を満足する請求項１または請求項２のいずれか１項に記載の撮像光学系。
【請求項８】
ｎｄ＿ＬＧｍＦ２を前記レンズ群Ｇｍの最も物体側から２枚目のレンズ素子ＬＧｍＦ２の屈折率、
ｖｄ＿ＬＧｍＦ２を前記レンズ群Ｇｍの最も物体側から２枚目のレンズ素子ＬＧｍＦ２のアッベ数、としたとき、
１．４５  ＜  ｎｄ＿ＬＧｍＦ２        ・・・（３）
３５      ＜  ｖｄ＿ＬＧｍＦ２        ・・・（４）
上記の条件（３）、（４）を満足する請求項１または請求項２のいずれか１項に記載の撮像光学系。
【請求項９】
前記レンズ群Ｇｍの像側に、正のパワーを有するレンズ群Ｇｐを備え、
前記レンズ群Ｇｐは、
物体側から像側へと順に、
正のパワーを有するレンズ素子ＬＧｐＦ１と、
正のパワーを有するレンズ素子ＬＧｐＦ２と、を有し、
前記レンズ素子ＬＧｐＦ１の物体側もしくは像側のいずれか一方に前記開口絞りを有する、
請求項１または請求項２に記載の撮像光学系。
【請求項１０】
前記レンズ群Ｇｐは、
像側から物体側へと順に、
正のパワーを有するレンズ素子ＬＧｐＲ１と、
正のパワーを有するレンズ素子ＬＧｐＲ２と、
負のパワーを有するレンズ素子ＬＧｐＲ３と、を有する、
請求項９に記載の撮像光学系。
【請求項１１】
前記レンズ群Ｇｍの像側に、正のパワーを有するレンズ群Ｇｐを備え、
ＴＨＧｐ＿Ａを前記レンズ群Ｇｐの物体側から１枚目のレンズ素子ＬＧｐＦ１と、前記レンズ群Ｇｐの物体側から２枚目のレンズ素子ＬＧｐＦ２との空気間隔、
ＴＨＧｐ＿Ｂを前記レンズ群Ｇｐの最も物体側から最も像側までのレンズ素子の中心間隔、としたとき、
０．０５  ＜  ＴＨＧｐ＿Ａ／ＴＨＧｐ＿Ｂ  ＜  ０．５    ・・・（５）
上記の条件（５）を満足する請求項１に記載の撮像光学系。
【請求項１２】
前記レンズ群Ｇｐの最も像側のレンズ素子の像側に、無限遠合焦状態から近接合焦状態へのフォーカシングに際して、光軸方向に移動する負のパワーを有するレンズ群Ｇｆを備え、
ＴＨＧｐ＿Ａを前記レンズ素子ＬＧｐＦ１と、前記レンズ素子ＬＧｐＦ２との空気間隔、
ＴＨＧｐ＿Ｂを前記レンズ群Ｇｐの最も物体側から最も像側までのレンズ素子の中心間隔、としたとき、
０．０５  ＜  ＴＨＧｐ＿Ａ／ＴＨＧｐ＿Ｂ  ＜  ０．５    ・・・（５）
上記の条件（５）を満足する請求項９に記載の撮像光学系。
【請求項１３】
前記レンズ群Ｇｍの像側に、正のパワーを有するレンズ群Ｇｐを備え、
撮影時の広角端から望遠端へのズーミングに際して、少なくとも、前記レンズ群Ｇｍと前記レンズ群Ｇｐは、お互いの間隔が変化するように、光軸方向に移動し、
ｆ＿ＬＧｐＦ１を前記レンズ群Ｇｐの最も物体側のレンズ素子ＬＧｐＦ１の焦点距離、
ｆｗを広角端での焦点距離、としたとき、
０．５  ＜  ｆ＿ＬＧｐＦ１／ｆｗ  ＜  １５・・・（１）
上記の条件（１）を満足する請求項１に記載の撮像光学系。
【請求項１４】
前記レンズ群Ｇｍの像側に、正のパワーを有するレンズ群Ｇｐを備え、
撮影時の広角端から望遠端へのズーミングに際して、少なくとも、前記レンズ群Ｇｍと前記レンズ群Ｇｐは、互いの間隔が変化するように、光軸方向に移動し、
ｆ＿Ｇｐを前記レンズ群Ｇｐの焦点距離、
ｆｗを広角端における全系の焦点距離、としたとき、
１．０  ＜  ｆ＿Ｇｐ／ｆｗ  ＜  ７      ・・・（６）
上記の条件（６）を満足する請求項１に記載の撮像光学系。
【請求項１５】
前記レンズ群Ｇｍの像側に、正のパワーを有するレンズ群Ｇｐを備え、
前記レンズ群Ｇｐの像側に、負のパワーを有するレンズ群Ｇｆを備え、
ｎｄ＿ＬＧｆを、前記レンズ群Ｇｆを構成するレンズ素子の屈折率、
ｖｄ＿ＬＧｆを、前記レンズ群Ｇｆを構成するレンズ素子のアッベ数、としたとき、
１．５０  ＜  ｎｄ＿ＬＧｆ        ・・・（７）
３５      ＜  ｖｄ＿ＬＧｆ        ・・・（８）
上記の条件（７）、（８）を満足する請求項１または請求項２のいずれか１項に記載の撮像光学系。
【請求項１６】
前記レンズ群Ｇｍの像側に、正のパワーを有するレンズ群Ｇｐを備え、
前記レンズ群Ｇｐの像側に、負のパワーを有するレンズ群Ｇｆを備え、
撮影時の広角端から望遠端へのズーミングに際して、少なくとも、前記レンズ群Ｇｍと前記レンズ群Ｇｐは、互いの間隔が変化するように、光軸方向に移動し、
ｆ＿Ｇｆを前記レンズ群Ｇｆの焦点距離、
ｆｗを広角端における全系の焦点距離、としたとき、
１．５  ＜  ｜ｆ＿Ｇｆ｜／ｆｗ  ＜  ５      ・・・（９）
上記の条件（９）を満足する請求項１に記載の撮像光学系。
【請求項１７】
請求項１または請求項２のいずれか１項に記載の撮像光学系を含む交換レンズ装置と、
前記交換レンズ装置とカメラマウント部を介して着脱自在に接続され、前記撮像光学系が形成する光学的な像を受光して電気的な画像信号に変換する撮像素子を含むカメラ本体と、を備え、
前記交換レンズ装置は、前記光学的な像を前記撮像素子に形成する、
カメラシステム。
【請求項１８】
物体の光学的な像を電気的な画像信号に変換し、変換された前記画像信号の表示および記憶の少なくとも一方を行う撮像装置であって、
前記物体の光学的な像を形成する請求項１または請求項２のいずれか１項に記載の撮像光学系と、
前記撮像光学系により形成された前記光学的な像を、前記電気的な画像信号に変換する撮像素子と、を備える、
撮像装置。
【請求項１９】
ｔ＿ＬＧｍＦ２（７０％）を前記レンズ群Ｇｍの物体側から２枚目のレンズ素子ＬＧｍＦ２の物体側面の有効径から７０％の高さのレンズ素子厚み、
ｃｔ＿ＬＧｍＦ２を前記レンズ群Ｇｍの物体側から２枚目のレンズ素子ＬＧｍＦ２の中心厚み、としたとき、
０．１  ＜  ｃｔ＿ＬＧｍＦ２／ＴＨＧｍ＿Ｂ  ＜  １．２    ・・・（１３）
上記の条件（１３）に示す関係式を満足する請求項１または請求項２のいずれか１項に記載の撮像光学系。
【請求項２０】
前記レンズ群Ｇｍの最も物体側のレンズ素子ＬＧｍＦ１の像側の曲率半径をＲ２＿ＬＧｍＦ１、
前記レンズ群Ｇｍの最も物体側から２枚目のレンズ素子ＬＧｍＦ２の物体側の曲率半径をＲ１＿ＬＧｍＦ２、としたとき
１  ＜  （Ｒ１＿ＬＧｍＦ２＋Ｒ２＿ＬＧｍＦ１）
／（Ｒ１＿ＬＧｍＦ２―Ｒ２＿ＬＧｍＦ１）  ＜  ４．０        ・・・（１４）
上記の条件（１４）を満足する請求項１または請求項２のいずれか１項に記載の撮像光学系。
【請求項２１】
前記レンズ素子ＬＧｍＦ１の像側の曲率半径をＲ２＿ＬＧｍＦ１、
前記レンズ素子ＬＧｍＲ２の物体側の曲率半径をＲ１＿ＬＧｍＲ２、としたとき、
−０．５  ＜  （Ｒ１＿ＬＧｍＲ２＋Ｒ２＿ＬＧｍＦ１）
／（Ｒ１＿ＬＧｍＲ２―Ｒ２＿ＬＧｍＦ１）  ＜  １．０        ・・・（１５）
上記の条件（１５）を満足する請求項１または請求項２のいずれか１項に記載の撮像光学系。
【発明の詳細な説明】
【技術分野】
【０００１】
本開示は、諸収差の良好な撮像光学系とそれを備える撮像装置およびカメラシステムに関する。
【背景技術】
【０００２】
特許文献１は、物体側より像側へ順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成されるズームレンズを開示する。ズームレンズは、第５レンズ群を固定し、第１レンズ群、第２レンズ群、第３レンズ群および第４レンズ群を光軸方向に移動させて、変倍を行うように構成される。
【先行技術文献】
【特許文献】
【０００３】
【特許文献１】特開２０１６−７１１７９号公報
【発明の概要】
【０００４】
本開示における撮像光学系は、ズーミングに際して各レンズ群の間隔が変化し、負のパワーを有するレンズ群のうち、最も物体側にあるレンズ群Ｇｍは、物体側から像側へと順に、負のパワーを有するレンズ素子ＬＧｍＦ１と、両面が非球面形状で負のパワーを有するレンズ素子ＬＧｍＦ２と、２枚以上のパワーを有するレンズ素子と、を備える。
【０００５】
また、本開示における撮像光学系は、負のパワーを有するレンズ群のうち、最も物体側にあるレンズ群Ｇｍは、物体側から像側へと順に、負のパワーを有するレンズ素子ＬＧｍＦ１と、両面が非球面形状で負のパワーを有するレンズ素子ＬＧｍＦ２と、２枚以上のパワーを有するレンズ素子と、を備える。そして、レンズ素子ＬＧｍＦ１は、開口絞りよりも物体側にあるレンズ素子のうち、最もパワーの強いレンズ素子である。
【０００６】
本開示によれば、諸収差の良好な撮像光学系とそれを備える撮像装置およびカメラシステムを提供できる。
【図面の簡単な説明】
【０００７】
【図１】図１は、実施の形態１に係る撮像光学系の無限遠合焦状態を示すレンズ配置図である。
【図２】図２は、同実施の形態の数値実施例１に係る撮像光学系の無限遠合焦状態の縦収差図である。
【図３】図３は、同数値実施例に係る撮像光学系の望遠端における、像ぶれ補正を行っていない基本状態および像ぶれ補正状態での横収差図である。
【図４】図４は、実施の形態２に係る撮像光学系の無限遠合焦状態を示すレンズ配置図である。
【図５】図５は、同実施の形態の数値実施例２に係る撮像光学系の無限遠合焦状態の縦収差図である。
【図６】図６は、同数値実施例に係る撮像光学系の望遠端における、像ぶれ補正を行っていない基本状態および像ぶれ補正状態での横収差図である。
【図７】図７は、実施の形態３に係る撮像光学系の無限遠合焦状態を示すレンズ配置図である。
【図８】図８は、同実施の形態の数値実施例３に係る撮像光学系の無限遠合焦状態の縦収差図である。
【図９】図９は、同数値実施例に係る撮像光学系の望遠端における、像ぶれ補正を行っていない基本状態および像ぶれ補正状態での横収差図である。
【図１０】図１０は、実施の形態４に係る撮像光学系の無限遠合焦状態を示すレンズ配置図である。
【図１１】図１１は、同実施の形態の数値実施例４に係る撮像光学系の無限遠合焦状態の縦収差図である。
【図１２】図１２は、同数値実施例に係る撮像光学系の望遠端における、像ぶれ補正を行っていない基本状態および像ぶれ補正状態での横収差図である。
【図１３】図１３は、実施の形態５に係る撮像光学系の無限遠合焦状態を示すレンズ配置図である。
【図１４】図１４は、同実施の形態の数値実施例５に係る撮像光学系の無限遠合焦状態の縦収差図である。
【図１５】図１５は、同数値実施例に係る撮像光学系の望遠端における、像ぶれ補正を行っていない基本状態および像ぶれ補正状態での横収差図である。
【図１６】図１６は、実施の形態６に係る撮像光学系の無限遠合焦状態を示すレンズ配置図である。
【図１７】図１７は、同実施の形態の数値実施例６に係る撮像光学系の無限遠合焦状態の縦収差図である。
【図１８】図１８は、同数値実施例に係る撮像光学系の望遠端における、像ぶれ補正を行っていない基本状態および像ぶれ補正状態での横収差図である。
【図１９】図１９は、実施の形態１の撮像光学系を備える撮像装置の概略構成図である。
【図２０】図２０は、実施の形態１の撮像光学系を備えるカメラシステムの概略構成図である。
【図２１】図２１は、実施の形態１の撮像光学系を備える鏡筒の概略構成図である。
【発明を実施するための形態】
【０００８】
以下、図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより請求の範囲に記載の主題を限定することは意図されていない。
【００１０】
（実施の形態１〜６）
以下に、実施の形態１から実施の形態６に係る撮像光学系について、図面を用いて、個別に説明する。
【００１１】
なお、各実施の形態の撮像光学系は、第１レンズ群Ｇ１、第２レンズ群Ｇ２、第３レンズ群Ｇ３、および後続レンズ群を構成する第４レンズ群Ｇ４、第５レンズ群Ｇ５、第６レンズ群Ｇ６などを備える。
【００１２】
図１、図４、図７、図１０、図１３、図１６は、無限遠合焦状態にある撮像光学系を示すレンズ配置図である。
【００１３】
図１、図４、図７、図１０、図１３、図１６の（ａ）は、広角端（最短焦点距離状態：焦点距離ｆＷ）におけるレンズ配置図を示す。各図の（ｄ）は、中間位置（中間焦点距離状態：焦点距離ｆＭ＝√（ｆＷ＊ｆＴ））におけるレンズ配置図を示す。各図の（ｅ）は、望遠端（最長焦点距離状態：焦点距離ｆＴ）におけるレンズ配置図を示す。なお、各図の（ａ）、（ｄ）、（ｅ）において、縦横比は一致している。
【００１４】
また、各図の（ｃ）に示す折れ線の矢印は、上から順に、広角端（Ｗｉｄｅ）、中間位置（Ｍｉｄ）、望遠端（Ｔｅｌｅ）の各状態におけるレンズ群の位置を結んで示している。なお、矢印は、広角端と中間位置との間、中間位置と望遠端との間を、単純に線で接続しているだけで、実際の各レンズ群の動きを示しているものではない。
【００１５】
また、各図の（ｂ）では、（ａ）に示す各レンズ群の位置に対応して各レンズ群に、Ｇ１からＧ６の符号を記している。
【００１６】
各図の（ａ）に示す、特定のレンズ素子の面に付されたアスタリスク＊は、その面が非球面であることを示している。
【００１７】
また、各図の（ｂ）に示す各レンズ群（Ｇ１からＧ６）の符号に付された記号（＋）および記号（−）は、各レンズ群のパワーに対応する。つまり、記号（＋）は正のパワー、記号（−）は負のパワーを示す。なお、実施の形態１から５における第４レンズ群Ｇ４、および実施の形態６における第３レンズ群Ｇ３に示すレンズ群に付された矢印は、無限遠合焦状態から近接合焦状態へのフォーカシング時の、当該レンズ群の移動方向を、便宜的に示している。具体的に移動するレンズ素子、およびレンズ群とその移動方向については、実施の形態ごとに、後で具体的に説明する。
【００１８】
各図の（ａ）、（ｄ）、（ｅ）において、最も右側に記載された直線は、像面Ｓ（撮像素子の物体側の面）の位置を示す。そのため、図面の左側は、物体側に相当する。さらに、像面Ｓと対向する最後段のレンズ群と、像面Ｓとの間には、例えばローパスフィルターやカバーガラスなどの平行平板ＣＧが配置される。
【００１９】
（実施の形態１）
以下に、実施の形態１に係る撮像光学系について、図１を用いて、説明する。
【００２０】
図１は、実施の形態１に係る撮像光学系のレンズ配置図およびその動作を示している。
【００２１】
図１に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００２２】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００２３】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７と、で構成される。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００２４】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００２５】
第４レンズ群Ｇ４は、負のパワーを有する第１３レンズ素子Ｌ１３で構成される。
【００２６】
第５レンズ群Ｇ５は、正のパワーを有する第１４レンズ素子Ｌ１４で構成される。
【００２７】
開口絞りＡは、第２レンズ群Ｇ２の第７レンズ素子Ｌ７と、第３レンズ群Ｇ３の第８レンズ素子Ｌ８との間に配置される。
【００２８】
以下に、本実施の形態の撮像光学系の各レンズ群を構成するレンズ素子について、説明する。
【００２９】
まず、第１レンズ群Ｇ１内における各レンズ素子について、説明する。
【００３０】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００３１】
つぎに、第２レンズ群Ｇ２内における各レンズ素子について、説明する。
【００３２】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、両凸レンズである。
【００３３】
つぎに、第３レンズ群Ｇ３内における各レンズ素子について、説明する。
【００３４】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、物体側に凸面を有するメニスカスレンズである。第１１レンズ素子Ｌ１１は、両凸レンズである。第１２レンズ素子Ｌ１２は、両凸レンズである。第１２レンズ素子Ｌ１２の両面は、非球面である。
【００３５】
つぎに、第４レンズ群Ｇ４内におけるレンズ素子について、説明する。
【００３６】
第１３レンズ素子Ｌ１３は、物体側に凸面を有するメニスカスレンズである。第１３レンズ素子Ｌ１３の両面は、非球面である。
【００３７】
さらに、第５レンズ群Ｇ５内におけるレンズ素子について、説明する。
【００３８】
第１４レンズ素子Ｌ１４は、物体側に凸面を有するメニスカスレンズである。
【００３９】
以上のように、本実施の形態の撮像光学系は、５群のレンズ群で構成される。
【００４０】
そして、本実施の形態の撮像光学系の各レンズ群は、撮像時の広角端（Ｗｉｄｅ）から望遠端（Ｔｅｌｅ）へのズーミングの際に、図１の（ｃ）の矢印で示すように移動する。
【００４１】
具体的には、第１レンズ群Ｇ１は物体側に移動し、第２レンズ群Ｇ２は像面Ｓ側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００４２】
以上のように、各レンズ群は、図１の（ｃ）の矢印で示すように、光軸Ｌに沿って移動する。そして、図１の（ａ）、（ｄ）、（ｅ）に示すように、広角端、中間位置および望遠端において、各レンズ群が配置される。
【００４３】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００４４】
なお、フォーカシングレンズ群を構成する第４レンズ群Ｇ４は、無限遠合焦状態から近接合焦状態へのフォーカシングの際に、図１の（ｂ）の矢印で示すように、光軸Ｌに沿って像側へ移動する。
【００４５】
また、第３レンズ群Ｇ３の第１２レンズ素子Ｌ１２は、光軸Ｌに対して垂直に移動する。これにより、像のぶれを光学的に補正する。具体的には、第１２レンズ素子Ｌ１２の光軸Ｌに対する垂直方向の移動により、全撮像光学系の振動による像点移動を補正する。その結果、手ぶれ、振動などによる像のぶれを光学的に補正できる。なお、像のぶれの補正の詳細については、図２１を用いて後述する。
【００４６】
（実施の形態２）
以下に、実施の形態２に係る撮像光学系について、図４を用いて、説明する。
【００４７】
図４は、実施の形態２に係る撮像光学系のレンズ配置図およびその動作を示している。
【００４８】
図４に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００４９】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３で構成される。第１レンズ素子Ｌ１と第２レンズ素子Ｌ２は、例えば紫外線硬化型樹脂などの接着剤で接着される接合レンズを構成する。
【００５０】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７で構成される。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００５１】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００５２】
第４レンズ群Ｇ４は、負のパワーを有する第１３レンズ素子Ｌ１３で構成される。
【００５３】
第５レンズ群Ｇ５は、正のパワーを有する第１４レンズ素子Ｌ１４で構成される。
【００５４】
開口絞りＡは、第２レンズ群Ｇ２の第７レンズ素子Ｌ７と、第３レンズ群Ｇ３の第８レンズ素子Ｌ８との間に配置される。
【００５５】
以下に、本実施の形態の撮像光学系の各レンズ群を構成するレンズ素子について、説明する。
【００５６】
まず、第１レンズ群Ｇ１内における各レンズ素子について、説明する。
【００５７】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００５８】
つぎに、第２レンズ群Ｇ２内におけるレンズ素子について、説明する。
【００５９】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【００６０】
つぎに、第３レンズ群Ｇ３内における各レンズ素子について、説明する。
【００６１】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、物体側に凸面を有するメニスカスレンズである。第１１レンズ素子Ｌ１１は、両凸レンズである。第１２レンズ素子Ｌ１２は、両凸レンズである。第１２レンズ素子Ｌ１２の両面は、非球面である。
【００６２】
つぎに、第４レンズ群Ｇ４内におけるレンズ素子について、説明する。
【００６３】
第１３レンズ素子Ｌ１３は、物体側に凸面を有するメニスカスレンズである。第１３レンズ素子Ｌ１３の両面は、非球面である。
【００６４】
さらに、第５レンズ群Ｇ５内におけるレンズ素子について、説明する。
【００６５】
第１４レンズ素子Ｌ１４は、物体側に凸面を有するメニスカスレンズである。
【００６６】
以上のように、本実施の形態の撮像光学系は、５群のレンズ群で構成される。
【００６７】
そして、本実施の形態の撮像光学系の各レンズ群は、撮像時の広角端から望遠端へのズーミングの際に、図４の（ｃ）の矢印で示すように移動する。
【００６８】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００６９】
以上のように、各レンズ群は、図４の（ｃ）の矢印で示すように、光軸Ｌに沿って移動する。そして、図４の（ａ）、（ｄ）、（ｅ）に示すように、広角端、中間位置および望遠端において、各レンズ群が配置される。
【００７０】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００７１】
なお、フォーカシングレンズ群を構成する第４レンズ群Ｇ４は、無限遠合焦状態から近接合焦状態へのフォーカシングの際に、図４の（ｂ）の矢印で示すように、光軸Ｌに沿って像側へ移動する。
【００７２】
また、第３レンズ群Ｇ３の第１２レンズ素子Ｌ１２は、光軸Ｌに対して垂直方向に移動する。これにより、像のぶれを光学的に補正する。具体的には、第１２レンズ素子Ｌ１２の移動により、全撮像光学系の振動による像点移動を補正する、その結果、手ぶれ、振動などによる像のぶれを光学的に補正できる。
【００７３】
（実施の形態３）
以下に、実施の形態３に係る撮像光学系について、図７を用いて、説明する。
【００７４】
図７は、実施の形態３に係る撮像光学系のレンズ配置図およびその動作を示している。
【００７５】
図７に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００７６】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００７７】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７を構成する。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００７８】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００７９】
第４レンズ群Ｇ４は、負のパワーを有する第１３レンズ素子Ｌ１３で構成される。
【００８０】
第５レンズ群Ｇ５は、正のパワーを有する第１４レンズ素子Ｌ１４で構成される。
【００８１】
開口絞りＡは、第２レンズ群Ｇ２の第７レンズ素子Ｌ７と、第３レンズ群Ｇ３の第８レンズ素子Ｌ８との間に配置される。
【００８２】
以下に、本実施の形態の撮像光学系の各レンズ群を構成するレンズ素子について、説明する。
【００８３】
まず、第１レンズ群Ｇ１内における各レンズ素子について、説明する。
【００８４】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００８５】
つぎに、第２レンズ群Ｇ２内における各レンズ素子について、説明する。
【００８６】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【００８７】
つぎに、第３レンズ群Ｇ３内における各レンズ素子について、説明する。
【００８８】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、両凹レンズである。第１１レンズ素子Ｌ１１は、両凸レンズである。第１２レンズ素子Ｌ１２は、両凸レンズである。第１２レンズ素子Ｌ１２の両面は、非球面である。
【００８９】
つぎに、第４レンズ群Ｇ４内におけるレンズ素子について、説明する。
【００９０】
第１３レンズ素子Ｌ１３は、物体側に凸面を有するメニスカスレンズである・第１３レンズ素子Ｌ１３の両面は、非球面である。
【００９１】
さらに、第５レンズ群Ｇ５内におけるレンズ素子について、説明する。
【００９２】
第１４レンズ素子Ｌ１４は、物体側に凸面を有するメニスカスレンズである。
【００９３】
以上のように、本実施の形態の撮像光学系は、５群のレンズ群で構成される。
【００９４】
そして、本実施の形態の撮像光学系の各レンズ群は、撮像時の広角端から望遠端へのズーミングの際に、図７の（ｃ）の矢印で示すように移動する。
【００９５】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００９６】
以上のように、各レンズ群は、図７の（ｃ）の矢印で示すように、光軸Ｌに沿って移動する。そして、図７の（ａ）、（ｄ）、（ｅ）に示すように、広角端、中間位置および望遠端において、各レンズ群が配置される。
【００９７】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００９８】
なお、フォーカシングレンズ群を構成する第４レンズ群Ｇ４は、無限遠合焦状態から近接合焦状態へのフォーカシングの際に、図７の（ｂ）の矢印で示すように、光軸Ｌに沿って像側へ移動する。
【００９９】
また、第３レンズ群Ｇ３の第１２レンズ素子Ｌ１２は、光軸Ｌに対して垂直方向に移動する。これにより、像のぶれを光学的に補正する。
【０１００】
（実施の形態４）
以下に、実施の形態４に係る撮像光学系について、図１０を用いて、説明する。
【０１０１】
図１０は、実施の形態４に係る撮像光学系のレンズ配置図およびその動作を示している。
【０１０２】
図１０に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【０１０３】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【０１０４】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７を構成する。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【０１０５】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【０１０６】
第４レンズ群Ｇ４は、負のパワーを有する第１３レンズ素子Ｌ１３で構成される。
【０１０７】
第５レンズ群Ｇ５は、正のパワーを有する第１４レンズ素子Ｌ１４で構成される。
【０１０８】
開口絞りＡは、第２レンズ群Ｇ２の第７レンズ素子Ｌ７と、第３レンズ群Ｇ３の第８レンズ素子Ｌ８との間に配置される。
【０１０９】
以下に、本実施の形態の撮像光学系の各レンズ群を構成するレンズ素子について、説明する。
【０１１０】
まず、第１レンズ群Ｇ１内における各レンズ素子について、説明する。
【０１１１】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【０１１２】
つぎに、第２レンズ群Ｇ２内における各レンズ素子について、説明する。
【０１１３】
第４レンズ素子Ｌ４は、物体側に凸面を有するメニスカスレンズである。第５レンズ素子Ｌ５は、両凹レンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【０１１４】
つぎに、第３レンズ群Ｇ３内における各レンズ素子について、説明する。
【０１１５】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、両凹レンズである。第１１レンズ素子Ｌ１１は、両凸レンズである。第１２レンズ素子Ｌ１２は、両凸レンズである。第１２レンズ素子Ｌ１２の両面は、非球面である。
【０１１６】
つぎに、第４レンズ群Ｇ４内におけるレンズ素子について、説明する。
【０１１７】
第１３レンズ素子Ｌ１３は、両凹レンズであり、その両面は非球面である。
【０１１８】
さらに、第５レンズ群Ｇ５内におけるレンズ素子について、説明する。
【０１１９】
第１４レンズ素子Ｌ１４は、物体側に凸面を有するメニスカスレンズである。
【０１２０】
以上のように、本実施の形態の撮像光学系は、５群のレンズ群で構成される。
【０１２１】
そして、本実施の形態の撮像光学系の各レンズ群は、撮像時の広角端から望遠端へのズーミングの際に、図１０の（ｃ）の矢印で示すように移動する。
【０１２２】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【０１２３】
以上のように、各レンズ群は、図１０の（ｃ）の矢印で示すように、光軸Ｌに沿って移動する。そして、図１０の（ａ）、（ｄ）、（ｅ）に示すように、広角端、中間位置および望遠端において、各レンズ群が配置される。
【０１２４】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【０１２５】
なお、フォーカシングレンズ群を構成する第４レンズ群Ｇ４は、無限遠合焦状態から近接合焦状態へのフォーカシングの際に、図１０の（ｂ）の矢印で示すように、光軸Ｌに沿って像側へ移動する。
【０１２６】
また、第３レンズ群Ｇ３の第１２レンズ素子Ｌ１２は、光軸Ｌに対して垂直方向に移動する。これにより、像のぶれを光学的に補正する。具体的には、第１２レンズ素子Ｌ１２の垂直方向への移動により、全撮像光学系の振動による像点移動を補正する。その結果、手ぶれ、振動などによる像のぶれを光学的に補正できる。
【０１２７】
（実施の形態５）
以下に、実施の形態５に係る撮像光学系について、図１３を用いて、説明する。
【０１２８】
図１３は、実施の形態５に係る撮像光学系のレンズ配置図およびその動作を示している。
【０１２９】
図１３に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板ＣＧなどで構成される。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【０１３０】
第１レンズ群Ｇ１は、物体側から像側へと順に、負のパワーを有する第１レンズ素子Ｌ１と、正のパワーを有する第２レンズ素子Ｌ２と、で構成される。第１レンズ素子Ｌ１と第２レンズ素子Ｌ２とは、例えば紫外線硬化型樹脂などの接着剤などで接着される接合レンズを構成する。
【０１３１】
第２レンズ群Ｇ２は、物体側から像側へと順に、負のパワーを有する第３レンズ素子Ｌ３と、負のパワーを有する第４レンズ素子Ｌ４と、負のパワーを有する第５レンズ素子Ｌ５と、正のパワーを有する第６レンズ素子Ｌ６で構成される。なお、第３レンズ素子Ｌ３は、レンズ素子ＬＧｍＦ１で例示される。第４レンズ素子Ｌ４は、レンズ素子ＬＧｍＦ２、またはレンズ素子ＬＧｍＲ３で例示される。第５レンズ素子Ｌ５は、レンズ素子ＬＧｍＲ２で例示される。第６レンズ素子Ｌ６は、レンズ素子ＬＧｍＲ１で例示される。
【０１３２】
第３レンズ群Ｇ３は、物体側から像側へと順に、正のパワーを有する第７レンズ素子Ｌ７と、正のパワーを有する第８レンズ素子Ｌ８と、負のパワーを有する第９レンズ素子Ｌ９と、正のパワーを有する第１０レンズ素子Ｌ１０と、正のパワーを有する第１１レンズ素子Ｌ１１で構成される。第９レンズ素子Ｌ９と第１０レンズ素子Ｌ１０とは、例えば紫外線硬化型樹脂などの接着剤で接着される接合レンズを構成する。なお、第７レンズ素子Ｌ７は、レンズ素子ＬＧｐＦ１で例示される。第８レンズ素子Ｌ８は、レンズ素子ＬＧｐＦ２で例示される。第９レンズ素子Ｌ９は、レンズ素子ＬＧｐＲ３で例示される。第１０レンズ素子Ｌ１０は、レンズ素子ＬＧｐＲ２で例示される。第１１レンズ素子Ｌ１１は、レンズ素子ＬＧｐＲ１で例示される。
【０１３３】
第４レンズ群Ｇ４は、負のパワーを有する第１２レンズ素子Ｌ１２で構成される。
【０１３４】
第５レンズ群Ｇ５は、正のパワーを有する第１３レンズ素子Ｌ１３で構成される。
【０１３５】
第６レンズ群Ｇ６は、負のパワーを有する第１４レンズ素子Ｌ１４で構成される。
【０１３６】
開口絞りＡは、第２レンズ群Ｇ２の第６レンズ素子Ｌ６と、第３レンズ群Ｇ３の第７レンズ素子Ｌ７との間に配置される。
【０１３７】
以下に、本実施の形態の撮像光学系の各レンズ群を構成するレンズ素子について、説明する。
【０１３８】
まず、第１レンズ群Ｇ１内における各レンズ素子について、説明する。
【０１３９】
第１レンズ素子Ｌ１は、物体側に凸面を有するメニスカスレンズである。第２レンズ素子Ｌ２は、物体側に凸面を有するメニスカスレンズである。
【０１４０】
つぎに、第２レンズ群Ｇ２内における各レンズ素子について、説明する。
【０１４１】
第３レンズ素子Ｌ３は、物体側に凸面を有するメニスカスレンズである。第４レンズ素子Ｌ４は、物体側に凸面を有するメニスカスレンズである。第４レンズ素子Ｌ４の両面は、非球面である。第５レンズ素子Ｌ５は、物体側に凹面を有するメニスカスレンズである。第６レンズ素子Ｌ６は、両凸レンズである。
【０１４２】
つぎに、第３レンズ群Ｇ３内における各レンズ素子について、説明する。
【０１４３】
第７レンズ素子Ｌ７は、物体側に凸面を有するメニスカスレンズである。第７レンズ素子Ｌ７の両面は、非球面である。第８レンズ素子Ｌ８は、両凸レンズである。第９レンズ素子Ｌ９は、両凹レンズである。第１０レンズ素子Ｌ１０は、両凸レンズである。第１１レンズ素子Ｌ１１は、両凸レンズである。第１１レンズ素子Ｌ１１の両面は、非球面である。
【０１４４】
つぎに、第４レンズ群Ｇ４内におけるレンズ素子について、説明する。
【０１４５】
第１２レンズ素子Ｌ１２は、物体側に凸面を有するメニスカスレンズである。第１２レンズ素子Ｌ１２の両面は、非球面である。
【０１４６】
つぎに、第５レンズ群Ｇ５内におけるレンズ素子について、説明する。
【０１４７】
第１３レンズ素子Ｌ１３は、物体側に凸面を有するメニスカスレンズである。
【０１４８】
さらに、第６レンズ群Ｇ６内におけるレンズ素子について、説明する。
【０１４９】
第１４レンズ素子Ｌ１４は、物体側に凹面を有するメニスカスレンズである。
【０１５０】
以上のように、本実施の形態の撮像光学系は、６群のレンズ群で構成される。
【０１５１】
そして、本実施の形態の撮像光学系の各レンズ群は、撮像時の広角端から望遠端へのズーミングの際に、図１３の（ｃ）の矢印で示すように移動する。
【０１５２】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。なお、第６レンズ群Ｇ６は移動しない。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、広角端に対し望遠端は減少する。第４レンズ群Ｇ４と第５レンズ群Ｇ５との間隔は、増大する。第５レンズ群Ｇ５と第６レンズ群Ｇ６との間隔は、増大する。このとき、広角端から望遠端へのズーミングの際に、開口絞りＡの開放絞り径は、広角端から中間位置では同じで、広角端に比べて望遠端では大きくなる。
【０１５３】
つまり、本実施の形態の撮像光学系は、第６レンズ群Ｇ６と像面Ｓとの間隔が変化しないように、第１レンズ群Ｇ１から第５レンズ群が光軸Ｌに沿って移動する。言い換えると、各レンズ群の間隔が変化する。これにより、広角端から望遠端までのズーミング動作が行われる。
【０１５４】
撮像光学系は、無限遠合焦状態から近接合焦状態へのフォーカシングの際に、図１３の（ｂ）の矢印で示すように、光軸Ｌに沿って像側へ移動する。
【０１５５】
また、第３レンズ群Ｇ３の第１１レンズ素子Ｌ１１は、光軸Ｌに対して垂直方向に移動する。これにより、像のぶれを光学的に補正する。具体的には、第１１レンズ素子Ｌ１１の移動により、全撮像光学系の振動による像点移動を補正する。その結果、手ぶれ、振動などによる像のぶれを光学的に補正できる。
【０１５６】
（実施の形態６）
以下に、実施の形態６に係る撮像光学系について、図１６用いて、説明する。
【０１５７】
図１６は、実施の形態５に係る撮像光学系のレンズ配置図およびその動作を示している。
【０１５８】
図１６に示すように、本実施の形態の撮像光学系は、物体側から像側へと順に、負のパワーを有する第１レンズ群Ｇ１と、開口絞りＡと、正のパワーを有する第２レンズ群Ｇ２と、負のパワーを有する第３レンズ群Ｇ３と、正のパワーを有する第４レンズ群Ｇ４と、平行平板ＣＧで構成される。なお、第１レンズ群Ｇ１は、レンズ群Ｇｍで例示される。第２レンズ群Ｇ２は、レンズ群Ｇｐで例示される。第３レンズ群Ｇ３は、レンズ群Ｇｆで例示される。
【０１５９】
第１レンズ群Ｇ１は、物体側から像側へと順に、負のパワーを有する第１レンズ素子Ｌ１と、負のパワーを有する第２レンズ素子Ｌ２と、負のパワーを有する第３レンズ素子Ｌ３と、正のパワーを有する第４レンズ素子Ｌ４、で構成される。なお、第１レンズ素子Ｌ１は、レンズ素子ＬＧｍＦ１で例示される。第２レンズ素子Ｌ２は、レンズ素子ＬＧｍＦ２、またはレンズ素子ＬＧｍＲ３で例示される。第３レンズ素子Ｌ３は、レンズ素子ＬＧｍＲ２で例示される。第４レンズ素子Ｌ４は、レンズ素子ＬＧｍＲ１で例示される。
【０１６０】
第２レンズ群Ｇ２は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、正のパワーを有する第９レンズ素子Ｌ９で構成される。第７レンズ素子Ｌ７と第８レンズ素子Ｌ８とは、例えば紫外線硬化型樹脂などの接着剤で接着される接合レンズを構成する。なお、第５レンズ素子Ｌ５は、レンズ素子ＬＧｐＦ１で例示される。
【０１６１】
第３レンズ群Ｇ３は、負のパワーを有する第１０レンズ素子Ｌ１０で構成される。
【０１６２】
第４レンズ群Ｇ４は、正のパワーを有する第１１レンズ素子Ｌ１１で構成される。
【０１６３】
開口絞りＡは、第１レンズ群Ｇ１の第４レンズ素子Ｌ４と、第２レンズ群Ｇ２の第５レンズ素子Ｌ５との間に配置される。
【０１６４】
以下に、本実施の形態の撮像光学系の各レンズ群を構成するレンズ素子について、説明する。
【０１６５】
まず、第１レンズ群Ｇ１内における各レンズ素子について、説明する。
【０１６６】
第１レンズ素子Ｌ１は、物体側に凸面を有するメニスカスレンズである。第２レンズ素子Ｌ２は、物体側に凸面を有するメニスカスレンズである。第２レンズ素子Ｌ２の両面は、非球面である。第３レンズ素子Ｌ３は、物体側に凹面を有するメニスカスレンズである。第４レンズ素子Ｌ４は、物体側に凹面を有するメニスカスレンズである。
【０１６７】
つぎに、第２レンズ群Ｇ２内における各レンズ素子について、説明する。
【０１６８】
第５レンズ素子Ｌ５は、物体側に凸面を有するメニスカスレンズである。第５レンズ素子Ｌ５の両面は、非球面である。第６レンズ素子Ｌ６は、両凸レンズである。第７レンズ素子Ｌ７は、両凹レンズである。第８レンズ素子Ｌ８は、両凸レンズである。第９レンズ素子Ｌ９は、両凸レンズである。第９レンズ素子Ｌ９の両面は、非球面である。
【０１６９】
つぎに、第３レンズ群Ｇ３内におけるレンズ素子について、説明する。
【０１７０】
第１０レンズ素子Ｌ１０は、物体側に凸面を有するメニスカスレンズである。
【０１７１】
つぎに、第４レンズ群Ｇ４内におけるレンズ素子について、説明する。
【０１７２】
第１１レンズ素子Ｌ１１は、物体側に凸面を有するメニスカスレンズである。
【０１７３】
以上のように、本実施の形態の撮像光学系は、４群のレンズ群で構成される。
【０１７４】
そして、本実施の形態の撮像光学系は、撮像時の広角端から望遠端へのズーミングの際に、図１６の（ｃ）の矢印で示すように移動する。
【０１７５】
具体的には、まず、第１レンズ群Ｇ１は、像面Ｓ側に凸の軌跡を描くように移動する。開口絞りＡと第２レンズ群Ｇ２は、一体となって物体側に移動する。そして、第３レンズ群Ｇ３は物体側へ移動し、第４レンズ群Ｇ４は物体側へ移動する。この移動により、ズーミングに際して、第１レンズ群Ｇ１と第２レンズ群Ｇ２との間隔は減少する。第２レンズ群Ｇ２と第３レンズ群Ｇ３との間隔は広角端から中間位置までは変化せず、広角端に対し望遠端は増大する。第３レンズ群Ｇ３と第４レンズ群Ｇ４との間隔は広角端から中間位置までは減少し、広角端に対し望遠端は増大する。このとき、広角端から望遠端へのズーミングの際に、開口絞りＡの開放絞り径は、広角端から中間位置では同じで、広角端に比べて望遠端では大きくなる。
【０１７６】
つまり、本実施の形態の撮像光学系は、第４レンズ群Ｇ４と像面Ｓとの間隔が増大するように、各レンズ群が光軸Ｌに沿って移動する。これにより、広角端から望遠端までのズーミング動作が行われる。
【０１７７】
なお、フォーカシングレンズ群を構成する第３レンズ群Ｇ３は、無限遠合焦状態から近接合焦状態へのフォーカシングの際に、図１６の（ｂ）の矢印で示すように、光軸Ｌに沿って像側へ移動する。
【０１７８】
また、第２レンズ群Ｇ２の第９レンズ素子Ｌ９は、光軸Ｌに対して垂直方向に移動する。これにより、像のぶれを光学的に補正する。具体的には、第９レンズ素子Ｌ９の垂直方向への移動により、全撮像光学系の振動による像点移動を補正する。その結果、手ぶれ、振動などによる像のぶれを光学的に補正できる。
【０１７９】
（条件および効果等）
以下に、実施の形態１から実施の形態６に係る撮像光学系の構成を満足することが可能な条件について、説明する。
【０１８０】
つまり、各実施の形態に係る撮像光学系に対しては、複数の可能な条件が規定される。この場合、複数の条件のすべてを満足する撮像光学系の構成が最も効果的である。
【０１８１】
しかしながら、以下で述べる個別の条件を満足することにより、それぞれに対応する効果を奏する撮像光学系を得ることも可能である。
【０１８２】
例えば、実施の形態１から実施の形態６に係る撮像光学系は、ズーミングに際して各レンズ群の間隔が変化し、負のパワーを有するレンズ群のうち、最も物体側にあるレンズ群Ｇｍ（本実施の形態１から５では第２レンズ群Ｇ２に相当し、実施の形態６では第１レンズ群に相当する）は、物体側から像側へと順に、負のパワーを有するレンズ素子ＬＧｍＦ１と、両面が非球面形状で負のパワーを有するレンズ素子ＬＧｍＦ２と、パワーを有する２枚以上のレンズ素子で構成される。
【０１８３】
この構成により、広角レンズの場合でも、上記レンズ群Ｇｍ内に配置するレンズ素子ＬＧｍＦ２の非球面レンズの偏肉比を小さくできる。これにより、レンズ素子ＬＧｍＦ１として、偏肉比を大きくしても作製しやすい球面レンズを配置できる。そのため、レンズ群Ｇｍを薄くできる。その結果、撮像光学系の全長を短くできる。
【０１８４】
このとき、実施の形態１から５のように、上記レンズ群Ｇｍよりも物体側に正のパワーを有するレンズ群（第１レンズ群Ｇ１に相当）を備える場合（いわゆるプラスリードの場合）、レンズ群Ｇｍよりも物体側にある正のパワーを有するレンズ群（実施の形態１から５における第１レンズ群Ｇ１）の口径を小型化できる。
【０１８５】
なお、上記構成は、実施の形態１〜５（数値実施例１〜５）に示したようなプラスリードに限らず、実施の形態６（数値実施例６）に示したようなマイナスリードに適用してもよい。この場合、最も物体側にある負のパワーを有するレンズ群Ｇｍは、撮像光学系における各レンズ群の最も物体側に配置される。
【０１８６】
また、本開示における撮像光学系は、レンズ群Ｇｍの像側に、正のパワーを有するレンズ群Ｇｐ（実施の形態１〜５では第３レンズ群Ｇ３に相当し、実施の形態６では第２レンズ群Ｇ２に相当）を備える。レンズ群Ｇｐは、撮影時の広角端から望遠端へのズーミングに際して、少なくとも、レンズ群Ｇｍとレンズ群Ｇｐとの間隔が変化するように、光軸方向に移動する。これにより、本開示における撮像光学系は、ズームレンズ系にも適用することができる。
【０１８７】
上記構成を有する撮像光学系は、例えば以下の条件（１）を満足することが望ましい。
【０１８８】
０．５  ＜  ｆ＿ＬＧｐＦ１／ｆｗ  ＜  １５    ・・・（１）
ここで、ｆ＿ＬＧｐＦ１はレンズ素子ＬＧｐＦ１の焦点距離、ｆｗは広角端での焦点距離である。
【０１８９】
つまり、条件（１）は、レンズ群Ｇｐの最も物体側に配置されるレンズ素子ＬＧｐＦ１の焦点距離と、広角端での全系の焦点距離との関係を規定する。
【０１９０】
条件（１）の下限値（０．５）以下になると、レンズ素子ＬＧｐＦ１のパワーが強くなりすぎる。そのため、球面収差の補正が不足する。逆に、条件（１）の上限値（１５）以上になると、レンズ素子ＬＧｐＦ１の焦点距離が長くなりすぎる。そのため、球面収差の補正が過剰になる。
【０１９１】
このとき、以下の条件（１ａ）または（１ｂ）のいずれか一方を満足すれば、より好ましい。
【０１９２】
１．０  ＜  ｆ＿ＬＧｐＦ１／ｆｗ    ・・・（１ａ）
ｆ＿ＬＧｐＦ１／ｆｗ  ＜  １０      ・・・（１ｂ）
これにより、前述の効果が、より向上する。
【０１９３】
また、以下の条件（１ｃ）または（１ｄ）のいずれか一方を満足すれば、さらに好ましい。
【０１９４】
１．５  ＜  ｆ＿ＬＧｐＦ１／ｆｗ  ・・・（１ｃ）
ｆ＿ＬＧｐＦ１／ｆｗ  ＜  ７      ・・・（１ｄ）
これにより、前述の効果が、さらに向上する。
【０１９５】
また、例えばレンズ群Ｇｍの像側から２枚目のレンズ素子ＬＧｍＲ２は、像側に凸面を有するメニスカス形状であることが望ましい。これにより、過剰な球面収差を補正できる。つまり、プラスの球面収差に対し、上記形状とすることにより、光線が発散して像面Ｓ側に向かう位置でマイナスの球面収差を発生できる。そのため、足し合わせにより、球面収差を補正できる。
【０１９６】
また、例えばレンズ群Ｇｍは、物体側から像側へと順に、負のパワーを有するレンズ素子ＬＧｍＦ１と、負のパワーを有するレンズ素子ＬＧｍＦ２と、を備え、像側から物体側へと順に、正のパワーを有するレンズ素子ＬＧｍＲ１と、負のパワーを有するレンズ素子ＬＧｍＲ２を備える構成が望ましい。言い換えると、レンズ群Ｇｍの、像側から物体側へと順に３番目のレンズ素子ＬＧｍＲ３は、負のパワーを備えることが好ましい。さらに、レンズ群Ｇｍが５枚構成の場合、設計の自由度が、かなり高まる。そのため、広角系のレンズであっても、レンズ素子ＬＧｍＲ１、レンズ素子ＬＧｍＲ２、レンズ素子ＬＧｍＲ３のいずれの配置も決定されるものではない。これにより、広角化した際に発生しやすい、広角端での過剰な像面湾曲の補正が容易になる。つまり、負のパワーを持つレンズ群Ｇｍの中で、最も強い負のパワーを持つレンズ素子において、画面周辺部の収差である像面湾曲が発生する。そのため、像面湾曲の発生を抑制するためには、レンズ素子ＬＧｍＲ３、またはレンズ素子ＬＧｍＦ２を負のパワーを有するレンズ素子で構成するのが好ましい。また、レンズ素子ＬＧｍＲ１に正のパワーを持たせることで抑制効果が、さらに高まる。
【０１９７】
また、本開示における撮像光学系は、以下の条件（２）を満足することが望ましい。
【０１９８】
０．５  ＜  ＴＨＧｍ＿Ａ／ＴＨＧｍ＿Ｂ  ＜  １．５    ・・・（２）
ここで、ＴＨＧｍ＿Ａはレンズ群Ｇｍの物体側から１枚目のレンズ素子ＬＧｍＦ１と、レンズ群Ｇｍの物体側から２枚目のレンズ素子ＬＧｍＦ２との空気間隔である。ＴＨＧｍ＿Ｂはレンズ群Ｇｍの像側から２枚目のレンズ素子ＬＧｍＲ２と、レンズ群Ｇｍの像側から３枚目のレンズ素子ＬＧｍＲ３の空気間隔である。
【０１９９】
つまり、条件（２）は、レンズ群Ｇｍの物体側から１枚目のレンズ素子ＬＧｍＦ１と２枚目のレンズ素子ＬＧｍＦ２の空気間隔と、レンズ群Ｇｍの像側から２枚目のレンズ素子ＬＧｍＲ２と３枚目のレンズ素子ＬＧｍＲ３の空気間隔との関係を規定する。
【０２００】
条件（２）の下限値（０．５）以下になると、レンズ群Ｇｍから射出される光束径が太くなるため、絞り径が大きくなりすぎる。逆に、条件（２）の上限値（１．５）以上になると、レンズ群Ｇｍの１枚目のレンズ素子ＬＧｍＦ１から射出される光線角度が大きくなるため、より物体側における光学系の口径（径方向の大きさ）が、大型化する。
【０２０１】
このとき、以下の条件（２ａ）または（２ｂ）のいずれか一方を満足すれば、より好ましい。
【０２０２】
０．７  ＜  ＴＨＧｍ＿Ａ／ＴＨＧｍ＿Ｂ  ・・・（２ａ）
ＴＨＧｍ＿Ａ／ＴＨＧｍ＿Ｂ  ＜  １．３  ・・・（２ｂ）
これにより、前述の効果が、より向上する。
【０２０３】
また、以下の条件（２ｃ）または（２ｄ）のいずれか一方を満足すれば、さらに好ましい。
【０２０４】
０．８  ＜  ＴＨＧｍ＿Ａ／ＴＨＧｍ＿Ｂ  ・・・（２ｃ）
ＴＨＧｍ＿Ａ／ＴＨＧｍ＿Ｂ  ＜  １．２  ・・・（２ｄ）
これにより、前述の効果が、さらに向上する。
【０２０５】
また、本開示における撮像光学系は、以下の条件（３）、（４）を満足することが望ましい。
【０２０６】
１．４５  ＜  ｎｄ＿ＬＧｍＦ２  ・・・（３）
３５      ＜  ｖｄ＿ＬＧｍＦ２  ・・・（４）
ここで、ｎｄ＿ＬＧｍＦ２は、レンズ群Ｇｍの最も物体側から２枚目のレンズ素子ＬＧｍＦ２の屈折率である。ｖｄ＿ＬＧｍＦ２は、レンズ群Ｇｍの最も物体側から２枚目のレンズ素子ＬＧｍＦ２のアッベ数である。
【０２０７】
つまり、条件（３）、（４）は、それぞれ、レンズ群Ｇｍの最も物体側から２枚目のレンズ素子ＬＧｍＦ２の屈折率と、アッベ数を規定する。
【０２０８】
条件（３）の下限値（１．４５）以下になると、レンズ素子の曲率半径が小さくなりすぎる。そのため、レンズ素子の作製が困難となる。条件（４）の下限値（３５）以下になると、広角端での倍率色収差の補正が困難となる。つまり、広角端の倍率色収差は、光線高が高いレンズ素子ＬＧｍＦ２より物体側のレンズで発生する。しかし、条件（４）の値が低いほど、色分散が大きくなるため、倍率色収差の補正が困難となる。
【０２０９】
このとき、以下の条件（３ａ）または（４ａ）のいずれか一方を満足すれば、より好ましい。
【０２１０】
１．４８  ＜  ｎｄ＿ＬＧｍＦ２  ・・・（３ａ）
３８      ＜  ｖｄ＿ＬＧｍＦ２  ・・・（４ａ）
これにより、前述の効果が、より向上する。
【０２１１】
また、本開示における撮像光学系は、以下の条件（５）を満足することが望ましい。
【０２１２】
０．０５  ＜  ＴＨＧｐ＿Ａ／ＴＨＧｐ＿Ｂ  ＜  ０．５    ・・・（５）
ここで、ＴＨ３＿Ａは、レンズ群Ｇｐの物体側から１枚目のレンズ素子ＬＧｐＦ１と、レンズ群Ｇｐの物体側から２枚目のレンズ素子ＬＧｐＦ２の空気間隔である。ＴＨ３＿Ｂは、レンズ群Ｇｐの最も物体側から最も像側までのレンズの中心間隔である。
【０２１３】
つまり、条件（５）は、レンズ群Ｇｐの物体側から１枚目のレンズ素子ＬＧｐＦ１と２枚目のレンズ素子ＬＧｐＦ２の空気間隔とレンズ群Ｇｐの最も物体側から最も像側までのレンズ素子の中心間隔の関係を規定する。
【０２１４】
条件（５）の下限値（０．０５）以下になると、特に、メリディオナル方向の像面がアンダーに倒れすぎる。逆に、条件（５）の上限値（０．５）以上になると、メリディオナル方向の像面がオーバーに倒れすぎる。
【０２１５】
このとき、以下の条件（５ａ）または（５ｂ）のいずれか一方を満足すれば、より好ましい。
【０２１６】
０．０７  ＜  ＴＨＧｐ＿Ａ／ＴＨＧｐ＿Ｂ  ・・・（５ａ）
ＴＨＧｐ＿Ａ／ＴＨＧｐ＿Ｂ  ＜  ０．３    ・・・（５ｂ）
これにより、前述の効果が、より向上する。
【０２１７】
また、本開示における撮像光学系は、以下の条件（６）を満足することが望ましい。
【０２１８】
１．０  ＜  ｆ＿Ｇｐ／ｆｗ  ＜  ７      ・・・（６）
ここで、ｆ＿Ｇｐはレンズ群Ｇｐの焦点距離、ｆｗは広角端における全系の焦点距離である。
【０２１９】
つまり、条件（６）は、レンズ群Ｇｐの焦点距離と広角端における全系での焦点距離の関係を規定する。
【０２２０】
条件（６）の下限値（１．０）以下になると、レンズ群Ｇｐの焦点距離が小さくなる。そのため、全域での収差補正が困難となる。逆に、条件（６）の上限値（７）以上になると、レンズ群Ｇｐの焦点距離が大きくなる。そのため、ズーム比を確保するために、レンズ群Ｇｐの移動量が大きくなりすぎる。
【０２２１】
このとき、以下の条件（６ａ）または（６ｂ）のいずれか一方を満足すれば、より好ましい。
【０２２２】
１．３  ＜  ｆ＿Ｇｐ／ｆｗ  ・・・（６ａ）
ｆ＿Ｇｐ／ｆｗ  ＜  ５      ・・・（６ｂ）
これにより、前述の効果が、より向上する。
【０２２３】
また、本開示における撮像光学系は、以下の条件（７）、（８）を満足することが望ましい。
【０２２４】
１．５０  ＜  ｎｄ＿ＬＧｆ        ・・・（７）
３５      ＜  ｖｄ＿ＬＧｆ        ・・・（８）
ここで、ｎｄ＿ＬＧｆはレンズ群Ｇｆを構成するレンズ素子の屈折率、ｖｄ＿ＬＧｆはレンズ群Ｇｆを構成するレンズ素子のアッベ数である。
【０２２５】
つまり、条件（７）、（８）は、それぞれ、レンズ群Ｇｆを構成するレンズ素子の屈折率と、アッベ数を規定する。
【０２２６】
条件（７）の下限値（１．５０）以下になると、近接時の像面湾曲変動が大きくなる。条件（８）の下限値（３５）以下になると、近接時の倍率色収差の補正が困難となる。
【０２２７】
このとき、以下の条件（７ａ）または（８ａ）のいずれか一方を満足すれば、より好ましい。
【０２２８】
１．５３  ＜  ｎｄ＿ＬＧｆ    ・・・（７ａ）
３８      ＜  ｖｄ＿ＬＧｆ    ・・・（８ａ）
これにより、前述の効果が、より向上する。
【０２２９】
また、本開示における撮像光学系は、以下の条件（９）を満足することが望ましい。
【０２３０】
１．５  ＜  ｜ｆ＿Ｇｆ｜／ｆｗ  ＜  ５      ・・・（９）
ここで、ｆ＿Ｇｆはレンズ群Ｇｆの焦点距離、ｆｗは広角端における全系の焦点距離、である。
【０２３１】
つまり、条件（９）は、レンズ群Ｇｆの焦点距離と広角端における全系の焦点距離の関係を規定する。
【０２３２】
条件（９）の下限値（１．５）以下になると、レンズ群Ｇｆの焦点距離が小さくなる。そのため、近接時の収差変動補正が困難となる。逆に、条件（９）の上限値（５）以上になると、レンズ群Ｇｆの焦点距離が大きくなる。そのため、レンズ群Ｇｆの移動量が大きくなりすぎる。
【０２３３】
また、以下の条件（９ａ）または（９ｂ）のいずれか一方を満足すれば、さらに好ましい。
【０２３４】
２．０  ＜  ｆ＿Ｇｆ／ｆｗ  ・・・（９ａ）
ｆ＿Ｇｆ／ｆｗ  ＜  ４      ・・・（９ｂ）
これにより、前述の効果が、さらに向上する。
【０２３５】
また、本開示における撮像光学系は、以下の条件（１０）、（１１）を満足することが望ましい。
【０２３６】
１．７５  ＜  ｎｄ＿ＬＧｍＦ１      ・・・（１０）
２５      ＜  ｖｄ＿ＬＧｍＦ１      ・・・（１１）
ここで、ｎｄ＿ＬＧｍＦ１は、レンズ群Ｇｍの最も物体側のレンズ素子ＬＧｍＦ１の屈折率である。ｖｄ＿ＬＧｍＦ１は、レンズ群Ｇｍの最も物体側のレンズ素子ＬＧｍＦ１のアッベ数である。
【０２３７】
つまり、条件（１０）、（１１）は、それぞれ、レンズ群Ｇｍの最も物体側のレンズ素子ＬＧｍＦ１の屈折率と、アッベ数を規定する。
【０２３８】
条件（１０）の下限値（１．７５）以下になると、像側面の曲率半径が小さくなる。そのため、周辺部の傾斜角度が大きくなりすぎて、レンズ素子の作製が困難となる。条件（１１）の下限値（２５）以下になると、広角端での倍率色収差の補正が困難となる。
【０２３９】
このとき、以下の条件（１０ａ）または（１１ａ）のいずれか一方を満足すれば、よりこの好ましい。
【０２４０】
１．７８  ＜  ｎｄ＿ＬＧｍＦ１          ・・・（１０ａ）
３１      ＜  ｖｄ＿ＬＧｍＦ１          ・・・（１１ａ）
これにより、前述の効果が、より向上する。
【０２４１】
また、本開示における撮像光学系は、以下の条件（１２）を満足することが望ましい。
【０２４２】
０．８＜ｔ＿ＬＧｍＦ２（７０％）／ｃｔ＿ＬＧｍＦ２＜１．５・・（１２）
ここで、ｔ＿ＬＧｍＦ２（７０％）は、レンズ群Ｇｍの物体側から２枚目のレンズ素子ＬＧｍＦ２の物体側面の有効径から７０％の高さのレンズ素子厚みである。ｃｔ＿ＬＧｍＦ２は、レンズ群Ｇｍの物体側から２枚目のレンズ素子ＬＧｍＦ２の中心厚みである。
【０２４３】
つまり、条件（１２）は、レンズ群Ｇｍの物体側から２枚目のレンズ素子ＬＧｍＦ２の物体側面の有効径から７０％の高さのレンズ素子厚みと、レンズ群Ｇｍの物体側から２枚目のレンズ素子ＬＧｍＦ２の中心厚みの関係を規定する。
【０２４４】
条件（１２）の下限値（０．８）以下になると、レンズ素子の厚みが薄くなりすぎる。そのため、外径を規定する高さでのコバ厚の確保が困難になる。逆に、条件（１２）の上限値（１．５）以上になると、コバ厚が大きくなりすぎる。そのため、より物体側のレンズ素子（例えば、レンズ素子ＬＧｍＦ１）が大型化する。
【０２４５】
このとき、以下の条件（１２ａ）または（１２ｂ）のいずれか一方を満足すれば、より好ましい。
【０２４６】
０．９  ＜  ｔ＿ＬＧｍＦ２（７０％）／ｃｔ＿ＬＧｍＦ２・・・（１２ａ）
ｔ＿ＬＧｍＦ２（７０％）／ｃｔ＿ＬＧｍＦ２  ＜  １．２・・・（１２ｂ）
これにより、前述の効果が、より向上する。
【０２４７】
また、以下の条件（１２ｃ）または（１２ｄ）を満足すれば、さらに好ましい。
【０２４８】
０．９８＜  ｔ＿ＬＧｍＦ２（７０％）／ｃｔ＿ＬＧｍＦ２・・・（１２ｃ）
ｔ＿ＬＧｍＦ２（７０％）／ｃｔ＿ＬＧｍＦ２  ＜  １．０６・・（１２ｄ）
これにより、前述の効果が、さらに向上する。
【０２４９】
また、本開示における撮像光学系は、以下の条件（１３）を満足することが望ましい。
【０２５０】
０．１  ＜  ｃｔ＿ＬＧｍＦ２／ＴＨＧｍ＿Ｂ  ＜  １．２    ・・（１３）
ここで、ｃｔ＿ＬＧｍＦ２は、レンズ群Ｇｍの物体側から２枚目のレンズ素子ＬＧｍＦ２の中心厚みである。ＴＨＧｍ＿Ｂはレンズ群Ｇｍの像側から２枚目のレンズ素子ＬＧｍＲ２と、レンズ群Ｇｍの像側から３枚目のレンズ素子ＬＧｍＲ３の空気間隔である。
【０２５１】
つまり、条件（１３）は、レンズ群Ｇｍの物体側から２枚目のレンズ素子ＬＧｍＦ２の中心間隔と、レンズ群Ｇｍの像側から２枚目のレンズ素子ＬＧｍＲ２と３枚目のレンズ素子ＬＧｍＲ３の空気間隔との関係を規定する。
【０２５２】
条件（１３）の下限値（０．１）以下になると、ＴＨＧｍ＿Ｂが大きくなり、軸上光束の低い位置にＬＧｍＦ２が配置される。そのため、撮像光学系の全系、またはズーム全域での球面収差補正が困難となる。逆に、条件（１３）の上限値（１．２）以上になると、ＴＨＧｍ＿Ｂが小さくなり、周辺光束の低い位置にＬＧｍＦ２が配置される。そのため、広角端での像面の平坦性確保が困難となる。
【０２５３】
このとき、以下の条件（１３ａ）または（１３ｂ）のいずれか一方を満足すれば、より好ましい。
【０２５４】
０．１５  ＜  ｃｔ＿ＬＧｍＦ２／ＴＨＧｍ＿Ｂ          ・・・（１３ａ）
ｃｔ＿ＬＧｍＦ２／ＴＨＧｍ＿Ｂ  ＜  １．０            ・・・（１３ｂ）
これにより、前述の効果が、より向上する。
【０２５５】
また、以下の条件（１３ｃ）または（１３ｄ）のいずれか一方を満足すれば、さらに好ましい。
【０２５６】
０．２０  ＜  ｃｔ＿ＬＧｍＦ２／ＴＨＧｍ＿Ｂ          ・・・（１３ｃ）
ｃｔ＿ＬＧｍＦ２／ＴＨＧｍ＿Ｂ  ＜  ０．５            ・・・（１３ｄ）
これにより、前述の効果が、さらに向上する。
【０２５７】
また、本開示における撮像光学系は、以下の条件（１４）を満足することが望ましい。
【０２５８】
０．１  ＜  （Ｒ１＿ＬＧｍＦ２＋Ｒ２＿ＬＧｍＦ１）
／（Ｒ１＿ＬＧｍＦ２―Ｒ２＿ＬＧｍＦ１）  ＜  ４．０  ・・・（１４）
ここで、Ｒ２＿ＬＧｍＦ１は、ＬＧｍＦ１の像側の曲率半径である。Ｒ１＿ＬＧｍＦ２は、ＬＧｍＦ２の物体側の曲率半径である。
【０２５９】
つまり、条件（１４）は、レンズ群Ｇｍの物体側から１枚目のレンズ素子ＬＧｍＦ１の像側の曲率半径と、レンズ群Ｇｍの物体側から２枚目のレンズ素子ＬＧｍＦ２の物体側の曲率半径との関係を規定する。
【０２６０】
条件（１４）の下限値（０．１）以下になると、撮像光学系の全系、またはズーム全域での像面平坦性確保が困難となる。逆に、条件（１４）の上限値（４．０）以上になっても、ズーム全域での像面平坦性確保が困難となる。
【０２６１】
このとき、以下の条件（１４ａ）または（１４ｂ）のいずれか一方を満足すれば、より好ましい。
【０２６２】
４  ＜  （Ｒ１＿ＬＧｍＦ２＋Ｒ２＿ＬＧｍＦ１）
／  （Ｒ１＿ＬＧｍＦ２―Ｒ２＿ＬＧｍＦ１）          ・・・（１４ａ）
（Ｒ１＿ＬＧｍＦ２＋Ｒ２＿ＬＧｍＦ１）
／  （Ｒ１＿ＬＧｍＦ２―Ｒ２＿ＬＧｍＦ１）  ＜  ２．０・・（１４ｂ）
これにより、前述の効果が、より向上する。
【０２６３】
また、以下の条件（１４ｃ）または（１４ｄ）のいずれか一方を満足すれば、さらに好ましい。
【０２６４】
８  ＜  （Ｒ１＿ＬＧｍＦ２＋Ｒ２＿ＬＧｍＦ１）
／  （Ｒ１＿ＬＧｍＦ２―Ｒ２＿ＬＧｍＦ１）          ・・・（１４ｃ）
（Ｒ１＿ＬＧｍＦ２＋Ｒ２＿ＬＧｍＦ１）
／  （Ｒ１＿ＬＧｍＦ２―Ｒ２＿ＬＧｍＦ１）  ＜  １．６・・（１４ｄ）
これにより、前述の効果が、さらに向上する。
【０２６５】
また、本開示における撮像光学系は、以下の条件（１５）を満足することが望ましい。
【０２６６】
−０．５０  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  １．００・・（１５）
ここで、Ｒ２＿ＬＧｍＦ１は、ＬＧｍＦ１の像側の曲率半径である。Ｒ１＿ＬＧｍＲ２は、ＬＧｍＲ２の物体側の曲率半径である。
【０２６７】
つまり、条件（１５）は、レンズ群Ｇｍの物体側から１枚目のレンズ素子ＬＧｍＦ１の像側の曲率半径と、レンズ群Ｇｍの像側から２枚目のレンズ素子ＬＧｍＲ２の物体側の曲率半径との関係を規定する。
【０２６８】
条件（１５）の下限値（−０．５０）以下になると、撮像光学系の全系、またはズーム全域での像面平坦性確保が困難となる。逆に、条件（１５）の上限値（１．００）以上になっても、ズーム全域での像面平坦性確保が困難となる。
【０２６９】
このとき、以下の条件（１５ａ）または（１５ｂ）のいずれか一方を満足すれば、より好ましい。
【０２７０】
−０．３０  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）            ・・・（１５ａ）
（Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  ０．６０・・（１５ｂ）
これにより、前述の効果が、より向上する。
【０２７１】
また、以下の条件（１５ｃ）または（１５ｄ）のいずれか一方を満足すれば、さらに好ましい。
【０２７２】
−０．０５  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）            ・・・（１５ｃ）
（Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  １．６０・・（１５ｄ）
これにより、前述の効果が、さらに向上する。
【０２７３】
また、本開示における撮像光学系は、例えばレンズ群Ｇｆを１枚のレンズ素子で構成するのが望ましい。これにより、レンズ群Ｇｆの軽量化が可能となる。そのため、無限遠合焦状態から近接合焦状態へのフォーカシングの際に、高速のフォーカシングが容易となる。また、レンズ群Ｇｆの光軸上の厚みを短く（薄く）できる。そのため、撮像光学系の小型化が可能となる。
【０２７４】
また、本開示における撮像光学系は、例えば広角端から望遠端へのズーミングの際に、開口絞りＡとレンズ群Ｇｐは、一体となって移動する構成が望ましい。これにより、ズーミングの際に各レンズ群を駆動するカム構成を少なくできる。そのため、例えば鏡筒などの構成を簡略化できる。
【０２７５】
このとき、開口絞りＡの開放絞り径は、広角端に比べて望遠端では大きくなる、または中間位置に比べて望遠端では大きくなるのが好ましい。これにより、広角端から望遠端までの絞りユニットの移動量を小さくできる。ここで、絞りユニットとは開口絞りＡを光軸に沿って移動させる機構であり、本実施の形態では、開口絞りＡと一体となって移動するレンズ群を移動させる機構である。
【０２７６】
また、本開示における撮像光学系は、例えばレンズ群Ｇｆを、後述するレンズ群Ｇｐを保持する第３群枠３１３（実施の形態６の撮像光学系の場合は第２レンズ群Ｇ２を保持する枠に相当）に取り付けたシャフト３２９に保持して駆動する構成が望ましい。これにより、ズーミングの際に、各レンズ群を駆動するためのカム構成を少なくできる。そのため、例えば鏡筒などの構成を簡略化できる。
【０２７７】
また、本開示における撮像光学系は、例えば開口絞りＡ、レンズ群Ｇｐ内に配置した像ぶれ補正用のレンズ素子ＬＧｐＲ１、フォーカスレンズ群であるレンズ群Ｇｆを駆動するアクチュエータを、レンズ群Ｇｐと一体で動く移動枠に配置する構成としてもよい。これにより、アクチュエータに給電するフレキシブル配線や基板などを一体形成できる。その結果、撮像光学系を収納する鏡筒などの構成を簡素化できる。
【０２７８】
また、通常、撮像光学系は、例えばフォーカスレンズ群であるレンズ群Ｇｆを駆動するために、所定のクリアランスが必要となる。そのため、レンズ群Ｇｐに対する、レンズ群Ｇｆの相対位置誤差により、片ボケしやすくなる。そこで、本開示における撮像光学系は、後述するように、レンズ群Ｇｐ内（第３群枠３１３内（図２１参照））に相対位置調整機構を設ける。これにより、相対位置誤差による片ボケの発生を抑制できる。なお、例えばフォーカスレンズ群と相対的な片ボケ感度を有する像ぶれ補正用のレンズ素子ＬＧｐＲ１に、相対位置調整機構を設けてもよい。これにより、上述と同様に、片ボケの発生を、さらに抑制できる。
【０２７９】
また、本開示における実施の形態１から実施の形態５に係る撮像光学系は、物体側から像側へと順に、正のパワーを有する第１レンズ群と、負のパワーを有する第２レンズ群と、正のパワーを有する第３レンズ群と、少なくとも１つのパワーを有する後続レンズ群を備える。第３レンズ群は、物体側から像側へと順に、少なくとも、正のパワーを有するレンズ素子ＬＧｐＦ１と、正のパワーを有するレンズ素子ＬＧｐＦ２と、を有し、像側から物体側へと順に、正のパワーを有するレンズ素子ＬＧｐＲ１と、正のパワーを有するレンズ素子ＬＧｐＲ２と、負のパワーを有するレンズ素子ＬＧｐＲ３を有する。レンズ素子ＬＧｐＲ３とレンズ素子ＬＧｐＲ２は、互いに一方の光学面が接合される。レンズ素子ＬＧｐＲ１は、光軸に対して垂直方向の成分を持つように移動して像ぶれを光学的に補正する。そして、撮影時の広角端から望遠端へのズーミングに際して、少なくとも、第２レンズ群と第３レンズ群は、互いの間隔が変化するように、光軸方向に移動するように構成される。
【０２８０】
この構成によれば、明るいレンズにおいて、像ぶれ補正時に、絞りより遠ざけた位置にあるレンズ素子ＬＧｐＲ１を光軸に対して垂直方向の成分を持つように移動させても、偏心コマ収差の発生を小さくできる。これにより、像ぶれ補正時の像性能の低下を抑制できる。
【０２８１】
（実施の形態１を適用した撮像装置の概略構成）
以下に、実施の形態１の撮像光学系を適用した撮像装置の概略構成について、図１９を用いて、説明する。
【０２８２】
図１９は、実施の形態１に係る撮像光学系を備える撮像装置の概略構成図である。なお、図１９では、実施の形態１の撮像光学系を撮像装置に適用する例で説明するが、実施の形態２から６の撮像光学系を撮像装置に適用する構成としてもよく、同様の効果が得られる。
【０２８３】
図１９に示すように、撮像装置１００は、筐体１０４と、筐体１０４と接続される鏡筒３０２などで構成される。筐体１０４は、内部に、撮像素子１０２を有する。鏡筒３０２は、内部に、撮像光学系１０１を備える。なお、撮像装置１００は、例えばデジタルカメラで例示される。
【０２８４】
撮像光学系１０１は、第１レンズ群Ｇ１と、第２レンズ群Ｇ２と、第３レンズ群Ｇ３と、開口絞りＡと、第４レンズ群Ｇ４と、第５レンズ群Ｇ５などを備え、鏡筒３０２内に収納される。
【０２８５】
鏡筒３０２は、撮像光学系１０１を構成する各レンズ群と、開口絞りＡを保持する。
【０２８６】
撮像素子１０２は、本実施の形態の撮像光学系における像面Ｓの位置に配置される。
【０２８７】
また、筐体１０４は、内部に、アクチュエータやレンズ枠などを備える。アクチュエータやレンズ枠には、撮像光学系１０１を構成する、各レンズ群と、開口絞りＡなどが、ズーミングの際に移動可能に配置される。
【０２８８】
以上のように、撮像装置１００が構成される。これにより、諸収差の良好な撮像装置１００を実現できる。
【０２８９】
なお、上記では、撮像光学系をデジタルカメラに適用した例で説明したが、これに限られない。例えば、監視カメラ、スマートフォンなどの撮像装置に適用してもよい。
【０２９０】
（実施の形態１を適用したカメラシステムの概略構成）
以下に、実施の形態１の撮像光学系を適用したカメラシステムの概略構成について、図２０を用いて、説明する。
【０２９１】
図２０は、実施の形態１に係る撮像光学系を備えるカメラシステムの概略構成図である。なお、図２０では、実施の形態１の撮像光学系をカメラシステムに適用する例で説明するが、実施の形態２から６の撮像光学系をカメラシステムに適用する構成としてもよく、同様の効果が得られる。また、カメラシステム２００は、例えばレンズ交換式デジタルカメラシステムなどで例示される。
【０２９２】
図２０に示すように、カメラシステム２００は、カメラ本体２０１と、カメラ本体２０１に着脱自在に接続される交換レンズ装置３００などを備える。
【０２９３】
カメラ本体２０１は、撮像素子２０２と、モニタ２０３と、画像信号を記憶するメモリ（図示せず）と、カメラマウント部２０４と、ファインダ２０５などを含む。撮像素子２０２は、例えばＣＭＯＳイメージセンサで構成され、交換レンズ装置３００の撮像光学系によって形成される光学像を受光して、電気的な画像信号に変換する。モニタ２０３は、例えばＬＣＤで構成され、撮像素子２０２によって変換された画像信号を表示する。
【０２９４】
交換レンズ装置３００は、第１レンズ群Ｇ１と、第２レンズ群Ｇ２と、開口絞りＡと、第３レンズ群Ｇ３と、第４レンズ群Ｇ４と、第５レンズ群Ｇ５などから構成される撮像光学系１０１を備える。
【０２９５】
鏡筒３０２は、撮像光学系１０１の各レンズ群と、開口絞りＡを保持する。さらに、鏡筒３０２は、カメラ本体２０１のカメラマウント部２０４に接続されるレンズマウント部３０４を含む。
【０２９６】
カメラ本体２０１のカメラマウント部２０４と鏡筒３０２のレンズマウント部３０４とは、例えばバヨネット機構などにより物理的に接続される。そして、カメラ本体２０１内のコントローラ（図示せず）と交換レンズ装置３００内のコントローラ（図示せず）とが、電気的に接続される。つまり、カメラマウント部２０４およびレンズマウント部３０４は、相互の信号のやり取りを可能とするインターフェースとして、機能する。
【０２９７】
撮像光学系１０１は、交換レンズ装置３００の鏡筒３０２内に保持される各レンズ群と、カメラ本体２０１内の平行平板ＣＧなどから構成される。
【０２９８】
撮像光学系１０１は、内部に、コントローラによって制御されるアクチュエータやレンズ枠を備える。アクチュエータやレンズ枠には、撮像光学系１０１を構成する各レンズ群と、開口絞りＡなどが、ズーミングの際に移動可能に配置される。
【０２９９】
以上のように、カメラシステム２００が構成される。これにより、諸収差の良好なカメラシステム２００を実現できる。
【０３００】
（実施の形態１を適用した鏡筒の概略構成）
以下に、実施の形態１の撮像光学系を適用した鏡筒の概略構成について、図２１を用いて、説明する。
【０３０１】
図２１は、実施の形態１に係る撮像光学系を備える鏡筒３０２の概略構成図である。なお、図２１では、実施の形態１の撮像光学系を鏡筒に適用する例で説明するが、実施の形態２から６の撮像光学系を鏡筒に適用する構成としてもよく、同様の効果が得られる。実施の形態６の鏡筒に適用する場合、実施の形態１における第２レンズ群Ｇ２から第５レンズ群Ｇ５が、実施の形態６の鏡筒における第１レンズ群Ｇ１から第４レンズ群Ｇ４に相当する。
【０３０２】
図２１に示すように、鏡筒３０２は、撮像光学系の各レンズ群を保持する、第１群枠３１１と、第２群枠３１２と、第３群枠３１３と、第４群枠３１４と、第５群枠３１５などを備える。
【０３０３】
第１群枠３１１は、第１レンズ群Ｇ１を保持する。第２群枠３１２は、第２レンズ群Ｇ２を保持する。第３群枠３１３は、開口絞りＡと第３レンズ群Ｇ３を保持する。第４群枠３１４は、第４レンズ群Ｇ４を保持する。第５群枠３１５は、第５レンズ群Ｇ５を保持する。
【０３０４】
第２群枠３１２、第３群枠３１３および第５群枠３１５は、直進固定枠３２５と、カム筒３２０と、カムピン３２６とに係合され、光軸方向に沿って移動する。第１群枠３１１は、第２群枠３１２の外周面の溝（図示せず）と、第１群枠３１１のピン（図示せず）を介して、係合され、光軸方向に沿って移動する。
【０３０５】
第３群枠３１３は、アクチュエータ３２８と、シャフト３２９などを備える。アクチュエータ３２８は、コントローラ（図示せず）により制御され、第３群枠３１３に対して、第４群枠３１４を光軸方向に駆動する。シャフト３２９は、第４群枠３１４を移動可能に保持する。これにより、ズーミングの際に、各レンズ群を駆動するカム構成を少なくできる。その結果、鏡筒３０２の構成を簡素化できる。
【０３０６】
また、第３群枠３１３は、第３群前枠３１３ａと、ＯＩＳベース枠３１３ｂと、ＯＩＳ枠３１３ｃと、アクチュエータ３２７などを備える。アクチュエータ３２７は、ＯＩＳベース枠３１３ｂに対して、ＯＩＳ枠３１３ｃを光軸と垂直な平面で駆動する。第３群前枠３１３ａは、開口絞りＡと、第８レンズ素子Ｌ８から第１１レンズ素子Ｌ１１を保持する。ＯＩＳ枠３１３ｃは、第３レンズ群Ｇ３の第１２レンズ素子Ｌ１２を例示するレンズ素子ＬＧｐＲ１を保持する。ＯＩＳベース枠３１３ｂは、例えばボール（図示せず）などを介して、ＯＩＳ枠３１３ｃを、光軸と垂直な平面上を基準位置から移動可能に支持する。なお、ＯＩＳは、Ｏｐｔｉｃａｌ  Ｉｍａｇｅ  Ｓｔａｂｉｌｉｚｅｒの略で、光学式像ぶれ補正機能を示している。
【０３０７】
コントローラ（図示せず）は、アクチュエータ３２７を制御し、レンズ素子ＬＧｐＲ１を保持するＯＩＳ枠３１３ｃを移動させる。これにより、像ぶれ補正を行う。
【０３０８】
また、ＯＩＳベース枠３１３ｂは、上述した相対位置調整機構を備える。相対位置調整機構は、偏芯ピン３２３による応力により、第３群前枠３１３ａに対して、ＯＩＳベース枠３１３ｂを光軸と垂直な２方向（Ｘ方向およびＹ方向）に移動させる。これにより、レンズ素子ＬＧｐＲ１の相対位置を、基準位置に対して調整する。具体的には、鏡筒３０２の出荷調整時に、偏芯ピン３２３によりレンズ素子ＬＧｐＲ１の相対位置を調整し、調整後に接着剤などで固定する。これにより、片ボケの発生を抑制できる。
【０３０９】
（他の実施の形態）
以上、本出願に開示する技術について、実施の形態１から実施の形態６を例に説明した。
【０３１０】
しかしながら、本開示における技術は、これに限定されず、変更、置き換え、付加、省略などを行った実施の形態にも適用可能である。
【０３１１】
上記実施の形態１から実施の形態６に係る撮像光学系では、広角端から望遠端までの全てのズーミング域を使用する例で説明したが、必ずしも、ズーミング域の全てを使用する必要はない。例えば、所望のズーミング域に応じて、光学性能が確保されている範囲を切り出して、撮像光学系として使用してもよい。つまり、以下で、実施の形態１から実施の形態６に対応する数値実施例１から数値実施例６で説明する撮像光学系よりも、低倍率の撮像光学系として使用してもよい。また、所望のズーミング位置に応じて、光学性能が確保されている焦点距離を切り出して、単焦点の撮像光学系として使用してもよい。
【０３１２】
例えば、単焦点の撮像光学系として使用する場合における、レンズ群Ｇｍ、レンズ群Ｇｐ、およびレンズ群Ｇｆは次の通りである。
【０３１３】
単焦点の撮像光学系として使用する場合において、前述のレンズ群Ｇｍは、実施の形態１から実施の形態６に係る撮像光学系において、負のパワーを有するレンズ群のうち、最も物体側にあるレンズ群Ｇｍ（本実施の形態１から５では第２レンズ群Ｇ２に相当し、実施の形態６では第１レンズ群Ｇ１に相当する）は、物体側から像側へと順に、負のパワーを有するレンズ素子ＬＧｍＦ１と、両面が非球面形状で負のパワーを有するレンズ素子ＬＧｍＦ２と、パワーを有する２枚以上のレンズ素子で構成される。そして、上記レンズ素子ＬＧｍＦ１は、開口絞りＡよりも物体側にあるレンズ素子のうち、最もパワーの強いレンズ素子である。つまり、レンズ群Ｇｍの、最も物体側のレンズ素子ＬＧｍＦ１は、開口絞りＡよりも物体側にあるレンズ素子のうち、最も負のパワーの強いレンズ素子である。
【０３１４】
単焦点の撮像光学系として使用する場合において、前述のレンズ群Ｇｐは、実施の形態１から実施の形態６に係る撮像光学系において、レンズ群Ｇｍの像側にある正のパワーを有するレンズ群（本実施の形態１から５では第３レンズ群Ｇ３に相当し、実施の形態６では第２レンズ群Ｇ２に相当する）である。レンズ群Ｇｐは、物体側から像側へと順に、正のパワーを有するレンズ素子ＬＧｐＦ１と、正のパワーを有するレンズ素子ＬＧｐＦ２と、を有する。そして、上記レンズ素子ＬＧｐＦ１の物体側もしくは像側のいずれか一方に開口絞りＡを有する。つまり、レンズ群Ｇｐは、物体側から像側へと順に、（ｉ）開口絞りＡ、正のパワーを有するレンズ素子ＬＧｐＦ１、正のパワーを有するレンズ素子ＬＧｐＦ２、或いは（ｉｉ）正のパワーを有するレンズ素子ＬＧｐＦ１、開口絞りＡ、正のパワーを有するレンズ素子ＬＧｐＦ２である。
【０３１５】
単焦点の撮像光学系として使用する場合において、前述のレンズ群Ｇｆは、実施の形態１から実施の形態６に係る撮像光学系において、レンズ群Ｇｆの像側にある負のパワーを有するレンズ群（本実施の形態１から５では第４レンズ群Ｇ４に相当し、実施の形態６では第３レンズ群Ｇ３に相当する）である。そして、レンズ群Ｇｆは、無限遠合焦状態から近接合焦状態へのフォーカシングに際して、光軸方向に移動するレンズ群である。つまり、単焦点の撮像光学系において、フォーカシングに際して、レンズ群Ｇｐは光軸方向に移動せず、レンズ群Ｇｆは光軸方向に移動する。
【０３１６】
また、実施の形態１から実施の形態６に係る撮像光学系では、像ぶれ補正用のレンズ素子を、光軸に対して垂直方向に移動させて像ぶれ補正を行う構成を例に説明したが、これに限られない。つまり、光軸に対して垂直方向の成分を持つように移動方式であれば、画像のぶれを補正することが可能である。そのため、例えば鏡筒構造の複雑化を許容すれば、光軸上に回転中心を持つように像ぶれ補正用のレンズ素子を回動させて像ぶれ補正を行う構成としもよい。
【０３１７】
また、実施の形態１から実施の形態６では、撮像光学系を構成する各レンズ群は、入射光線を屈折により偏向させる屈折型レンズ素子（すなわち、異なる屈折率を有する媒質同士の界面で偏向が行われるタイプのレンズ素子）のみで構成する例で説明したが、これに限られない。例えば、回折により入射光線を偏向させる回折型レンズ素子や、回折作用と屈折作用との組み合わせで入射光線を偏向させる屈折・回折ハイブリッド型レンズ素子で構成してもよい。さらに、入射光線を媒質内の屈折率分布により偏向させる屈折率分布型レンズ素子などで、各レンズ群を構成してもよい。特に、屈折・回折ハイブリッド型レンズ素子において、屈折率の異なる媒質の界面に回折構造を形成すると、回折効率の波長依存性が改善されるので、より好ましい。これにより、諸収差の良好なカメラシステムなどを実現できる。
【０３１８】
（数値実施例）
以下、実施の形態１から実施の形態６に係る撮像光学系の構成において、具体的に実施した数値実施例について、図２、図３、図５、図６、図８、図９、図１１、図１２、図１４、図１５、図１７および図１８を参照しながら説明する。
【０３１９】
なお、各数値実施例において、表中の長さの単位は「ｍｍ」で、画角の単位は「°」である。また、各数値実施例において、ｒは曲率半径、ｄは面間隔、ｎｄはｄ線に対する屈折率、νｄ（ｖｄとも記す）はｄ線に対するアッベ数である。さらに、各数値実施例において、＊印を付した面は非球面である。そして、非球面形状は、次式で定義される。また、各数値実施例において、絞り径は、各ズームポジションにおける有効な開放絞り径である。
【０３２０】
【数１】
2018123672.tif 000003
【０３２１】
ここで、Ｚは光軸からの高さｈの非球面上の点から、非球面頂点の接平面までの距離、ｈは光軸からの高さ、ｒは頂点曲率半径、κは円錐定数、Ａｎはｎ次の非球面係数である。
【０３２２】
図２、図５、図８、図１１、図１４および図１７は、実施の形態１から６に対応する数値実施例１から６に係る撮像光学系の無限遠合焦状態の縦収差図である。
【０３２３】
ここで、各縦収差図において、（ａ）は広角端、（ｂ）は中間位置、（ｃ）は望遠端における各縦収差を表している。各縦収差図の（ａ）から（ｃ）は、左側から順に、球面収差（ＳＡ：Ｓｐｈｅｒｉｃａｌ  Ａｂｅｒｒａｔｉｏｎ（ｍｍ））、非点収差（ＡＳＴ：Ａｓｔｉｇｍａｔｉｓｍ（ｍｍ））、歪曲収差（ＤＩＳ：Ｄｉｓｔｏｒｔｉｏｎ（％））を示している。
【０３２４】
球面収差図において、縦軸はＦナンバー（図中、「Ｆ」で示す）を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。非点収差図において、縦軸は像高（図中、「Ｈ」で示す）を表し、実線はサジタル平面（図中、「ｓ」で示す）、破線はメリディオナル平面（図中、「ｍ」で示す）に対する特性を示している。さらに、歪曲収差図において、縦軸は像高（図中、「Ｈ」で示す）を表している。
【０３２５】
また、図３、図６、図９、図１２、図１５および図１８は、実施の形態１から６に対応する数値実施例１から６に係る撮像光学系の望遠端における横収差図である。
【０３２６】
ここで、各横収差図の（ａ）から（ｃ）は、望遠端における像ぶれ補正を行っていない基本状態の特性を示している。また、各横収差図の（ｄ）から（ｆ）は、像ぶれ補正レンズ群を光軸と垂直な方向に所定量移動させた望遠端における像ぶれ補正状態の特性を示している。
【０３２７】
なお、基本状態の各横収差図の（ａ）は最大像高の７０％の像点における横収差、（ｂ）は軸上像点における横収差、（ｃ）は最大像高の−７０％の像点における横収差に対応する特性を示している。同様に、像ぶれ補正状態の各横収差図の（ｄ）は最大像高の７０％の像点における横収差、（ｅ）は軸上像点における横収差、（ｆ）は最大像高の−７０％の像点における横収差に対応する特性を示している。
【０３２８】
各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。そして、各横収差図において、メリディオナル平面を、第１レンズ群Ｇ１の光軸とレンズ素子ＬＧｐＲ１の光軸とを含む平面としている。
【０３２９】
ここで、各数値実施例の撮像光学系について、望遠端の像ぶれ補正状態における、像ぶれ補正レンズ群の光軸と垂直な方向への移動量を、以下に示す。
【０３３０】
数値実施例１    ０．２６１ｍｍ
数値実施例２    ０．２５１ｍｍ
数値実施例３    ０．２４１ｍｍ
数値実施例４    ０．２３８ｍｍ
数値実施例５    ０．２４７ｍｍ
数値実施例６    ０．１６８ｍｍ
なお、撮影距離が∞の望遠端において、撮像光学系が０．４度傾いた場合の像偏心量は、像ぶれ補正レンズ群が光軸と垂直な方向に上記の各値だけ平行移動するときの像偏心量に等しい。
【０３３１】
上記状態において、図３、図６、図９、図１２、図１５および図１８の（ｂ）、（ｅ）に示す横収差図から、軸上像点における横収差の対称性が良好であることがわかる。
【０３３２】
また、図３、図６、図９、図１２、図１５および図１８の（ａ）に示す基本状態の＋７０％の像点における横収差と、（ｃ）に示す基本状態の−７０％の像点における横収差とを比較すると、いずれも湾曲度が小さく、収差曲線の傾斜がほぼ等しい。これにより、偏心コマ収差および偏心非点収差が小さいことがわかる。上記の結果は、像ぶれ補正状態でも、充分な結像性能が得られていることを意味している。
【０３３３】
また、撮像光学系の像ぶれ補正角が同じ場合、撮像光学系全体の焦点距離が短くなるにつれて、像ぶれ補正に必要な平行移動量が減少する。つまり、いずれのズーム位置でも、０．４度程度の像ぶれ補正角に対して、結像特性を低下させずに、充分な像ぶれ補正を行うことが可能であることがわかる。
【０３３４】
（数値実施例１）
以下に、図１に示す実施の形態１に対応する撮像光学系の数値実施例１を示す。具体的には、数値実施例１として、面データを（表１）、非球面データを（表２）、無限遠合焦状態での各種データを（表３Ａ）〜（表３Ｄ）に示す。
2018123672.tif 000004
2018123672.tif 000005
2018123672.tif 000006
2018123672.tif 000007
2018123672.tif 000008
2018123672.tif 000009
2018123672.tif 000010
【０３３５】
（数値実施例２）
以下に、図４に示す実施の形態２に対応する撮像光学系の数値実施例２を示す。具体的には、数値実施例２として、面データを（表４）に、非球面データを（表５）、無限遠合焦状態での各種データを（表６Ａ）〜（表６Ｄ）に示す。
2018123672.tif 000011
2018123672.tif 000012
2018123672.tif 000013
2018123672.tif 000014
2018123672.tif 000015
2018123672.tif 000016
2018123672.tif 000017
【０３３６】
（数値実施例３）
以下に、図７に示す実施の形態３に対応する撮像光学系の数値実施例３を示す。具体的には、数値実施例３として、面データを（表７）、非球面データを（表８）、無限遠合焦状態での各種データを（表９Ａ）〜（表９Ｄ）に示す。
2018123672.tif 000018
2018123672.tif 000019
2018123672.tif 000020
2018123672.tif 000021
2018123672.tif 000022
2018123672.tif 000023
2018123672.tif 000024
【０３３７】
（数値実施例４）
以下に、図１０に示す実施の形態４に対応する撮像光学系の数値実施例４を示す。具体的には、数値実施例４として、面データを（表１０）、非球面データを（表１１）、無限遠合焦状態での各種データを（表１２Ａ）〜（表１２Ｄ）に示す。
2018123672.tif 000025
2018123672.tif 000026
2018123672.tif 000027
2018123672.tif 000028
2018123672.tif 000029
2018123672.tif 000030
2018123672.tif 000031
【０３３８】
（数値実施例５）
以下に、図１３に示す実施の形態５に対応する撮像光学系の数値実施例５を示す。具体的には、数値実施例５として、面データを（表１３）に、非球面データを（表１４）に、無限遠合焦状態での各種データを（表１５Ａ）〜（表１５Ｄ）に示す。
2018123672.tif 000032
2018123672.tif 000033
2018123672.tif 000034
2018123672.tif 000035
2018123672.tif 000036
2018123672.tif 000037
2018123672.tif 000038
【０３３９】
（数値実施例６）
以下に、図１６に示す実施の形態６に対応する撮像光学系の数値実施例６を示す。具体的には、数値実施例６として、面データを（表１６）に、非球面データを（表１７）に、無限遠合焦状態での各種データを（表１８Ａ）〜（表１８Ｄ）に示す。
2018123672.tif 000039
2018123672.tif 000040
2018123672.tif 000041
2018123672.tif 000042
2018123672.tif 000043
2018123672.tif 000044
【０３４０】
（条件の対応値）
以上のように、実施の形態１から実施の形態６に係る撮像光学系について、数値実施例１から数値実施例６で、具体的に実施した。
【０３４１】
以下に、各数値実施例における上記条件（１）〜条件（１５）に対応する値を（表１）に示す。
【０３４２】
【表１】
2018123672.tif 000045
【０３４３】
（表１）に示すように、数値実施例１から数値実施例６で実施した撮像光学系は、上記各条件（１）から条件（１５）を満たすことがわかる。
【０３４４】
これにより、小型、高倍率で、全ズーム範囲で結像性能に優れた撮像光学系およびそれを備える撮像装置やカメラシステムを実現できる。
【０３４５】
なお、上述の実施の形態は、本開示における技術を例示するためのものであるから、請求の範囲またはその均等の範囲において種々の変更、置き換え、付加、省略などを行うことができる。
【産業上の利用可能性】
【０３４６】
本開示に係る撮像光学系は、デジタルスチルカメラ、交換レンズ式デジタルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラなどに適用可能である。特に、本開示は、デジタルスチルカメラシステム、デジタルビデオカメラシステムなどの高画質が要求される撮像光学系に好適である。
【符号の説明】
【０３４７】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇｆ，Ｇｍ，Ｇｐ    レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
ＬＧｍＦ１，ＬＧｍＦ２，ＬＧｍＲ１，ＬＧｍＲ２，ＬＧｍＲ３    レンズ素子
ＬＧｐＦ１，ＬＧｐＦ２，ＬＧｐＲ１，ＬＧｐＲ２，ＬＧｐＲ３    レンズ素子
Ａ      開口絞り
ＣＧ    平行平板
Ｓ      像面
１００  撮像装置
１０１  撮像光学系
１０２  撮像素子
１０４  筐体
２００  カメラシステム
２０１  カメラ本体
２０２  撮像素子
２０３  モニタ
２０４  カメラマウント部
２０５  ファインダ
３００  交換レンズ装置
３０２  鏡筒
３０４  レンズマウント部
３１１  第１群枠
３１２  第２群枠
３１３  第３群枠
３１３ａ  ３群前枠
３１３ｂ  ＯＩＳベース枠
３１３ｃ  ＯＩＳ枠
３１４  第４群枠
３１５  第５群枠
３２０  カム筒
３２３  偏芯ピン
３２５  直進固定枠
３２６  カムピン
３２７，３２８  アクチュエータ
３２９  シャフト
【図１】
2018123672.tif 000046
【図２】
2018123672.tif 000047
【図３】
2018123672.tif 000048
【図４】
2018123672.tif 000049
【図５】
2018123672.tif 000050
【図６】
2018123672.tif 000051
【図７】
2018123672.tif 000052
【図８】
2018123672.tif 000053
【図９】
2018123672.tif 000054
【図１０】
2018123672.tif 000055
【図１１】
2018123672.tif 000056
【図１２】
2018123672.tif 000057
【図１３】
2018123672.tif 000058
【図１４】
2018123672.tif 000059
【図１５】
2018123672.tif 000060
【図１６】
2018123672.tif 000061
【図１７】
2018123672.tif 000062
【図１８】
2018123672.tif 000063
【図１９】
2018123672.tif 000064
【図２０】
2018123672.tif 000065
【図２１】
2018123672.tif 000066
【手続補正書】
【提出日】令和1年5月30日(2019.5.30)
【手続補正１】
【補正対象書類名】明細書
【補正対象項目名】全文
【補正方法】変更
【補正の内容】
【発明の詳細な説明】
【技術分野】
【０００１】
本開示は、諸収差の良好な撮像光学系とそれを備える撮像装置およびカメラシステムに関する。
【背景技術】
【０００２】
特許文献１は、物体側より像側へ順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成されるズームレンズを開示する。ズームレンズは、第５レンズ群を固定し、第１レンズ群、第２レンズ群、第３レンズ群および第４レンズ群を光軸方向に移動させて、変倍を行うように構成される。
【先行技術文献】
【特許文献】
【０００３】
【特許文献１】特開２０１６−７１１７９号公報
【発明の概要】
【０００４】
本開示における撮像光学系は、ズーミングに際して各レンズ群の間隔が変化し、負のパワーを有するレンズ群のうち、最も物体側にあるレンズ群Ｇｍは、物体側から像側へと順に、負のパワーを有するレンズ素子ＬＧｍＦ１と、両面が非球面形状で負のパワーを有するレンズ素子ＬＧｍＦ２と、２枚以上のパワーを有するレンズ素子と、を備える。
【０００５】
また、本開示における撮像光学系は、負のパワーを有するレンズ群のうち、最も物体側にあるレンズ群Ｇｍは、物体側から像側へと順に、負のパワーを有するレンズ素子ＬＧｍＦ１と、両面が非球面形状で負のパワーを有するレンズ素子ＬＧｍＦ２と、２枚以上のパワーを有するレンズ素子と、を備える。そして、レンズ素子ＬＧｍＦ１は、開口絞りよりも物体側にあるレンズ素子のうち、最もパワーの強いレンズ素子である。
【０００６】
本開示によれば、諸収差の良好な撮像光学系とそれを備える撮像装置およびカメラシステムを提供できる。
【図面の簡単な説明】
【０００７】
【図１】図１は、実施の形態１に係る撮像光学系の無限遠合焦状態を示すレンズ配置図である。
【図２】図２は、同実施の形態の数値実施例１に係る撮像光学系の無限遠合焦状態の縦収差図である。
【図３】図３は、同数値実施例に係る撮像光学系の望遠端における、像ぶれ補正を行っていない基本状態および像ぶれ補正状態での横収差図である。
【図４】図４は、実施の形態２に係る撮像光学系の無限遠合焦状態を示すレンズ配置図である。
【図５】図５は、同実施の形態の数値実施例２に係る撮像光学系の無限遠合焦状態の縦収差図である。
【図６】図６は、同数値実施例に係る撮像光学系の望遠端における、像ぶれ補正を行っていない基本状態および像ぶれ補正状態での横収差図である。
【図７】図７は、実施の形態３に係る撮像光学系の無限遠合焦状態を示すレンズ配置図である。
【図８】図８は、同実施の形態の数値実施例３に係る撮像光学系の無限遠合焦状態の縦収差図である。
【図９】図９は、同数値実施例に係る撮像光学系の望遠端における、像ぶれ補正を行っていない基本状態および像ぶれ補正状態での横収差図である。
【図１０】図１０は、実施の形態４に係る撮像光学系の無限遠合焦状態を示すレンズ配置図である。
【図１１】図１１は、同実施の形態の数値実施例４に係る撮像光学系の無限遠合焦状態の縦収差図である。
【図１２】図１２は、同数値実施例に係る撮像光学系の望遠端における、像ぶれ補正を行っていない基本状態および像ぶれ補正状態での横収差図である。
【図１３】図１３は、実施の形態５に係る撮像光学系の無限遠合焦状態を示すレンズ配置図である。
【図１４】図１４は、同実施の形態の数値実施例５に係る撮像光学系の無限遠合焦状態の縦収差図である。
【図１５】図１５は、同数値実施例に係る撮像光学系の望遠端における、像ぶれ補正を行っていない基本状態および像ぶれ補正状態での横収差図である。
【図１６】図１６は、実施の形態６に係る撮像光学系の無限遠合焦状態を示すレンズ配置図である。
【図１７】図１７は、同実施の形態の数値実施例６に係る撮像光学系の無限遠合焦状態の縦収差図である。
【図１８】図１８は、同数値実施例に係る撮像光学系の望遠端における、像ぶれ補正を行っていない基本状態および像ぶれ補正状態での横収差図である。
【図１９】図１９は、実施の形態１の撮像光学系を備える撮像装置の概略構成図である。
【図２０】図２０は、実施の形態１の撮像光学系を備えるカメラシステムの概略構成図である。
【図２１】図２１は、実施の形態１の撮像光学系を備える鏡筒の概略構成図である。
【発明を実施するための形態】
【０００８】
以下、図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるの
を避け、当業者の理解を容易にするためである。
【０００９】
なお、添付図面および以下の説明は、当業者が本開示を十分に理解するために提供されるのであって、これらにより請求の範囲に記載の主題を限定することは意図されていない。
【００１０】
（実施の形態１〜６）
以下に、実施の形態１から実施の形態６に係る撮像光学系について、図面を用いて、個別に説明する。
【００１１】
なお、各実施の形態の撮像光学系は、第１レンズ群Ｇ１、第２レンズ群Ｇ２、第３レンズ群Ｇ３、および後続レンズ群を構成する第４レンズ群Ｇ４、第５レンズ群Ｇ５、第６レンズ群Ｇ６などを備える。
【００１２】
図１、図４、図７、図１０、図１３、図１６は、無限遠合焦状態にある撮像光学系を示すレンズ配置図である。
【００１３】
図１、図４、図７、図１０、図１３、図１６の（ａ）は、広角端（最短焦点距離状態：焦点距離ｆＷ）におけるレンズ配置図を示す。各図の（ｄ）は、中間位置（中間焦点距離状態：焦点距離ｆＭ＝√（ｆＷ＊ｆＴ））におけるレンズ配置図を示す。各図の（ｅ）は、望遠端（最長焦点距離状態：焦点距離ｆＴ）におけるレンズ配置図を示す。なお、各図の（ａ）、（ｄ）、（ｅ）において、縦横比は一致している。
【００１４】
また、各図の（ｃ）に示す折れ線の矢印は、上から順に、広角端（Ｗｉｄｅ）、中間位置（Ｍｉｄ）、望遠端（Ｔｅｌｅ）の各状態におけるレンズ群の位置を結んで示している。なお、矢印は、広角端と中間位置との間、中間位置と望遠端との間を、単純に線で接続しているだけで、実際の各レンズ群の動きを示しているものではない。
【００１５】
また、各図の（ｂ）では、（ａ）に示す各レンズ群の位置に対応して各レンズ群に、Ｇ１からＧ６の符号を記している。
【００１６】
各図の（ａ）に示す、特定のレンズ素子の面に付されたアスタリスク＊は、その面が非球面であることを示している。
【００１７】
また、各図の（ｂ）に示す各レンズ群（Ｇ１からＧ６）の符号に付された記号（＋）および記号（−）は、各レンズ群のパワーに対応する。つまり、記号（＋）は正のパワー、記号（−）は負のパワーを示す。なお、実施の形態１から５における第４レンズ群Ｇ４、および実施の形態６における第３レンズ群Ｇ３に示すレンズ群に付された矢印は、無限遠合焦状態から近接合焦状態へのフォーカシング時の、当該レンズ群の移動方向を、便宜的に示している。具体的に移動するレンズ素子、およびレンズ群とその移動方向については、実施の形態ごとに、後で具体的に説明する。
【００１８】
各図の（ａ）、（ｄ）、（ｅ）において、最も右側に記載された直線は、像面Ｓ（撮像素子の物体側の面）の位置を示す。そのため、図面の左側は、物体側に相当する。さらに、像面Ｓと対向する最後段のレンズ群と、像面Ｓとの間には、例えばローパスフィルターやカバーガラスなどの平行平板ＣＧが配置される。
【００１９】
（実施の形態１）
以下に、実施の形態１に係る撮像光学系について、図１を用いて、説明する。
【００２０】
図１は、実施の形態１に係る撮像光学系のレンズ配置図およびその動作を示している。
【００２１】
図１に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００２２】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００２３】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７と、で構成される。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００２４】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００２５】
第４レンズ群Ｇ４は、負のパワーを有する第１３レンズ素子Ｌ１３で構成される。
【００２６】
第５レンズ群Ｇ５は、正のパワーを有する第１４レンズ素子Ｌ１４で構成される。
【００２７】
開口絞りＡは、第２レンズ群Ｇ２の第７レンズ素子Ｌ７と、第３レンズ群Ｇ３の第８レンズ素子Ｌ８との間に配置される。
【００２８】
以下に、本実施の形態の撮像光学系の各レンズ群を構成するレンズ素子について、説明する。
【００２９】
まず、第１レンズ群Ｇ１内における各レンズ素子について、説明する。
【００３０】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００３１】
つぎに、第２レンズ群Ｇ２内における各レンズ素子について、説明する。
【００３２】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、両凸レンズである。
【００３３】
つぎに、第３レンズ群Ｇ３内における各レンズ素子について、説明する。
【００３４】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、物体側に凸面を有するメニスカスレンズである。第１１レンズ素子Ｌ１１は、両凸レンズである。第１２レンズ素子Ｌ１２は、両凸レンズである。第１２レンズ素子Ｌ１２の両面は、非球面である。
【００３５】
つぎに、第４レンズ群Ｇ４内におけるレンズ素子について、説明する。
【００３６】
第１３レンズ素子Ｌ１３は、物体側に凸面を有するメニスカスレンズである。第１３レンズ素子Ｌ１３の両面は、非球面である。
【００３７】
さらに、第５レンズ群Ｇ５内におけるレンズ素子について、説明する。
【００３８】
第１４レンズ素子Ｌ１４は、物体側に凸面を有するメニスカスレンズである。
【００３９】
以上のように、本実施の形態の撮像光学系は、５群のレンズ群で構成される。
【００４０】
そして、本実施の形態の撮像光学系の各レンズ群は、撮像時の広角端（Ｗｉｄｅ）から望遠端（Ｔｅｌｅ）へのズーミングの際に、図１の（ｃ）の矢印で示すように移動する。
【００４１】
具体的には、第１レンズ群Ｇ１は物体側に移動し、第２レンズ群Ｇ２は像面Ｓ側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００４２】
以上のように、各レンズ群は、図１の（ｃ）の矢印で示すように、光軸Ｌに沿って移動する。そして、図１の（ａ）、（ｄ）、（ｅ）に示すように、広角端、中間位置および望遠端において、各レンズ群が配置される。
【００４３】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００４４】
なお、フォーカシングレンズ群を構成する第４レンズ群Ｇ４は、無限遠合焦状態から近接合焦状態へのフォーカシングの際に、図１の（ｂ）の矢印で示すように、光軸Ｌに沿って像側へ移動する。
【００４５】
また、第３レンズ群Ｇ３の第１２レンズ素子Ｌ１２は、光軸Ｌに対して垂直に移動する。これにより、像のぶれを光学的に補正する。具体的には、第１２レンズ素子Ｌ１２の光軸Ｌに対する垂直方向の移動により、全撮像光学系の振動による像点移動を補正する。その結果、手ぶれ、振動などによる像のぶれを光学的に補正できる。なお、像のぶれの補正の詳細については、図２１を用いて後述する。
【００４６】
（実施の形態２）
以下に、実施の形態２に係る撮像光学系について、図４を用いて、説明する。
【００４７】
図４は、実施の形態２に係る撮像光学系のレンズ配置図およびその動作を示している。
【００４８】
図４に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００４９】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３で構成される。第１レンズ素子Ｌ１と第２レンズ素子Ｌ２は、例えば紫外線硬化型樹脂などの接着剤で接着される接合レンズを構成する。
【００５０】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７で構成される。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００５１】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００５２】
第４レンズ群Ｇ４は、負のパワーを有する第１３レンズ素子Ｌ１３で構成される。
【００５３】
第５レンズ群Ｇ５は、正のパワーを有する第１４レンズ素子Ｌ１４で構成される。
【００５４】
開口絞りＡは、第２レンズ群Ｇ２の第７レンズ素子Ｌ７と、第３レンズ群Ｇ３の第８レンズ素子Ｌ８との間に配置される。
【００５５】
以下に、本実施の形態の撮像光学系の各レンズ群を構成するレンズ素子について、説明
する。
【００５６】
まず、第１レンズ群Ｇ１内における各レンズ素子について、説明する。
【００５７】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００５８】
つぎに、第２レンズ群Ｇ２内におけるレンズ素子について、説明する。
【００５９】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【００６０】
つぎに、第３レンズ群Ｇ３内における各レンズ素子について、説明する。
【００６１】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、物体側に凸面を有するメニスカスレンズである。第１１レンズ素子Ｌ１１は、両凸レンズである。第１２レンズ素子Ｌ１２は、両凸レンズである。第１２レンズ素子Ｌ１２の両面は、非球面である。
【００６２】
つぎに、第４レンズ群Ｇ４内におけるレンズ素子について、説明する。
【００６３】
第１３レンズ素子Ｌ１３は、物体側に凸面を有するメニスカスレンズである。第１３レンズ素子Ｌ１３の両面は、非球面である。
【００６４】
さらに、第５レンズ群Ｇ５内におけるレンズ素子について、説明する。
【００６５】
第１４レンズ素子Ｌ１４は、物体側に凸面を有するメニスカスレンズである。
【００６６】
以上のように、本実施の形態の撮像光学系は、５群のレンズ群で構成される。
【００６７】
そして、本実施の形態の撮像光学系の各レンズ群は、撮像時の広角端から望遠端へのズーミングの際に、図４の（ｃ）の矢印で示すように移動する。
【００６８】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００６９】
以上のように、各レンズ群は、図４の（ｃ）の矢印で示すように、光軸Ｌに沿って移動する。そして、図４の（ａ）、（ｄ）、（ｅ）に示すように、広角端、中間位置および望
遠端において、各レンズ群が配置される。
【００７０】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００７１】
なお、フォーカシングレンズ群を構成する第４レンズ群Ｇ４は、無限遠合焦状態から近接合焦状態へのフォーカシングの際に、図４の（ｂ）の矢印で示すように、光軸Ｌに沿って像側へ移動する。
【００７２】
また、第３レンズ群Ｇ３の第１２レンズ素子Ｌ１２は、光軸Ｌに対して垂直方向に移動する。これにより、像のぶれを光学的に補正する。具体的には、第１２レンズ素子Ｌ１２の移動により、全撮像光学系の振動による像点移動を補正する、その結果、手ぶれ、振動などによる像のぶれを光学的に補正できる。
【００７３】
（実施の形態３）
以下に、実施の形態３に係る撮像光学系について、図７を用いて、説明する。
【００７４】
図７は、実施の形態３に係る撮像光学系のレンズ配置図およびその動作を示している。
【００７５】
図７に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧなどで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【００７６】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００７７】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７を構成する。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【００７８】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【００７９】
第４レンズ群Ｇ４は、負のパワーを有する第１３レンズ素子Ｌ１３で構成される。
【００８０】
第５レンズ群Ｇ５は、正のパワーを有する第１４レンズ素子Ｌ１４で構成される。
【００８１】
開口絞りＡは、第２レンズ群Ｇ２の第７レンズ素子Ｌ７と、第３レンズ群Ｇ３の第８レンズ素子Ｌ８との間に配置される。
【００８２】
以下に、本実施の形態の撮像光学系の各レンズ群を構成するレンズ素子について、説明する。
【００８３】
まず、第１レンズ群Ｇ１内における各レンズ素子について、説明する。
【００８４】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【００８５】
つぎに、第２レンズ群Ｇ２内における各レンズ素子について、説明する。
【００８６】
第４レンズ素子Ｌ４は、物体側に凸面を有するメニスカスレンズである。第５レンズ素子Ｌ５は、物体側に凸面を有するメニスカスレンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【００８７】
つぎに、第３レンズ群Ｇ３内における各レンズ素子について、説明する。
【００８８】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、両凹レンズである。第１１レンズ素子Ｌ１１は、両凸レンズである。第１２レンズ素子Ｌ１２は、両凸レンズである。第１２レンズ素子Ｌ１２の両面は、非球面である。
【００８９】
つぎに、第４レンズ群Ｇ４内におけるレンズ素子について、説明する。
【００９０】
第１３レンズ素子Ｌ１３は、物体側に凸面を有するメニスカスレンズである。第１３レンズ素子Ｌ１３の両面は、非球面である。
【００９１】
さらに、第５レンズ群Ｇ５内におけるレンズ素子について、説明する。
【００９２】
第１４レンズ素子Ｌ１４は、物体側に凸面を有するメニスカスレンズである。
【００９３】
以上のように、本実施の形態の撮像光学系は、５群のレンズ群で構成される。
【００９４】
そして、本実施の形態の撮像光学系の各レンズ群は、撮像時の広角端から望遠端へのズーミングの際に、図７の（ｃ）の矢印で示すように移動する。
【００９５】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レン
ズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【００９６】
以上のように、各レンズ群は、図７の（ｃ）の矢印で示すように、光軸Ｌに沿って移動する。そして、図７の（ａ）、（ｄ）、（ｅ）に示すように、広角端、中間位置および望遠端において、各レンズ群が配置される。
【００９７】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【００９８】
なお、フォーカシングレンズ群を構成する第４レンズ群Ｇ４は、無限遠合焦状態から近接合焦状態へのフォーカシングの際に、図７の（ｂ）の矢印で示すように、光軸Ｌに沿って像側へ移動する。
【００９９】
また、第３レンズ群Ｇ３の第１２レンズ素子Ｌ１２は、光軸Ｌに対して垂直方向に移動する。これにより、像のぶれを光学的に補正する。
【０１００】
（実施の形態４）
以下に、実施の形態４に係る撮像光学系について、図１０を用いて、説明する。
【０１０１】
図１０は、実施の形態４に係る撮像光学系のレンズ配置図およびその動作を示している。
【０１０２】
図１０に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板ＣＧで構成される。第４レンズ群Ｇ４と第５レンズ群Ｇ５は、後続レンズ群を構成する。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【０１０３】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【０１０４】
第２レンズ群Ｇ２は、物体側から像側へと順に、負のパワーを有する第４レンズ素子Ｌ４と、負のパワーを有する第５レンズ素子Ｌ５と、負のパワーを有する第６レンズ素子Ｌ６と、正のパワーを有する第７レンズ素子Ｌ７を構成する。なお、第４レンズ素子Ｌ４は、レンズ素子ＬＧｍＦ１で例示される。第５レンズ素子Ｌ５は、レンズ素子ＬＧｍＦ２、またはレンズ素子ＬＧｍＲ３で例示される。第６レンズ素子Ｌ６は、レンズ素子ＬＧｍＲ２で例示される。第７レンズ素子Ｌ７は、レンズ素子ＬＧｍＲ１で例示される。
【０１０５】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子
Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。なお、第８レンズ素子Ｌ８は、レンズ素子ＬＧｐＦ１で例示される。第９レンズ素子Ｌ９は、レンズ素子ＬＧｐＦ２で例示される。第１０レンズ素子Ｌ１０は、レンズ素子ＬＧｐＲ３で例示される。第１１レンズ素子Ｌ１１は、レンズ素子ＬＧｐＲ２で例示される。第１２レンズ素子Ｌ１２は、レンズ素子ＬＧｐＲ１で例示される。
【０１０６】
第４レンズ群Ｇ４は、負のパワーを有する第１３レンズ素子Ｌ１３で構成される。
【０１０７】
第５レンズ群Ｇ５は、正のパワーを有する第１４レンズ素子Ｌ１４で構成される。
【０１０８】
開口絞りＡは、第２レンズ群Ｇ２の第７レンズ素子Ｌ７と、第３レンズ群Ｇ３の第８レンズ素子Ｌ８との間に配置される。
【０１０９】
以下に、本実施の形態の撮像光学系の各レンズ群を構成するレンズ素子について、説明する。
【０１１０】
まず、第１レンズ群Ｇ１内における各レンズ素子について、説明する。
【０１１１】
第１レンズ素子Ｌ１は、物体側に凸面を有するメニスカスレンズである。第２レンズ素子Ｌ２は、物体側に凸面を有するメニスカスレンズである。第３レンズ素子Ｌ３は、物体側に凸面を有するメニスカスレンズである。
【０１１２】
つぎに、第２レンズ群Ｇ２内における各レンズ素子について、説明する。
【０１１３】
第４レンズ素子Ｌ４は、物体側に凸面を有するメニスカスレンズである。第５レンズ素子Ｌ５は、両凹レンズである。第５レンズ素子Ｌ５の両面は、非球面である。第６レンズ素子Ｌ６は、物体側に凹面を有するメニスカスレンズである。第７レンズ素子Ｌ７は、物体側に凹面を有するメニスカスレンズである。
【０１１４】
つぎに、第３レンズ群Ｇ３内における各レンズ素子について、説明する。
【０１１５】
第８レンズ素子Ｌ８は、物体側に凸面を有するメニスカスレンズである。第８レンズ素子Ｌ８の両面は、非球面である。第９レンズ素子Ｌ９は、両凸レンズである。第１０レンズ素子Ｌ１０は、両凹レンズである。第１１レンズ素子Ｌ１１は、両凸レンズである。第１２レンズ素子Ｌ１２は、両凸レンズである。第１２レンズ素子Ｌ１２の両面は、非球面である。
【０１１６】
つぎに、第４レンズ群Ｇ４内におけるレンズ素子について、説明する。
【０１１７】
第１３レンズ素子Ｌ１３は、両凹レンズであり、その両面は非球面である。
【０１１８】
さらに、第５レンズ群Ｇ５内におけるレンズ素子について、説明する。
【０１１９】
第１４レンズ素子Ｌ１４は、物体側に凸面を有するメニスカスレンズである。
【０１２０】
以上のように、本実施の形態の撮像光学系は、５群のレンズ群で構成される。
【０１２１】
そして、本実施の形態の撮像光学系の各レンズ群は、撮像時の広角端から望遠端へのズ
ーミングの際に、図１０の（ｃ）の矢印で示すように移動する。
【０１２２】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、増大する。そして、第５レンズ群Ｇ５と像面Ｓとの間隔は、増大する。このとき、広角端から望遠端へのズーミングの際に、開口絞りＡの開放絞り径は、広角端から中間位置では同じで、中間位置に比べて望遠端では大きくなる。
【０１２３】
以上のように、各レンズ群は、図１０の（ｃ）の矢印で示すように、光軸Ｌに沿って移動する。そして、図１０の（ａ）、（ｄ）、（ｅ）に示すように、広角端、中間位置および望遠端において、各レンズ群が配置される。
【０１２４】
つまり、本実施の形態の撮像光学系は、全てのレンズ群が光軸Ｌに沿って、相対的に移動する。言い換えると、各レンズ群の間隔が変化する。これにより、広角端から望遠端までのズーミング動作が行われる。
【０１２５】
なお、フォーカシングレンズ群を構成する第４レンズ群Ｇ４は、無限遠合焦状態から近接合焦状態へのフォーカシングの際に、図１０の（ｂ）の矢印で示すように、光軸Ｌに沿って像側へ移動する。
【０１２６】
また、第３レンズ群Ｇ３の第１２レンズ素子Ｌ１２は、光軸Ｌに対して垂直方向に移動する。これにより、像のぶれを光学的に補正する。具体的には、第１２レンズ素子Ｌ１２の垂直方向への移動により、全撮像光学系の振動による像点移動を補正する。その結果、手ぶれ、振動などによる像のぶれを光学的に補正できる。
【０１２７】
（実施の形態５）
以下に、実施の形態５に係る撮像光学系について、図１３を用いて、説明する。
【０１２８】
図１３は、実施の形態５に係る撮像光学系のレンズ配置図およびその動作を示している。
【０１２９】
図１３に示すように、本実施の形態の撮像光学系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板ＣＧなどで構成される。なお、第２レンズ群Ｇ２は、レンズ群Ｇｍで例示される。第３レンズ群Ｇ３は、レンズ群Ｇｐで例示される。第４レンズ群Ｇ４は、レンズ群Ｇｆで例示される。
【０１３０】
第１レンズ群Ｇ１は、物体側から像側へと順に、負のパワーを有する第１レンズ素子Ｌ１と、正のパワーを有する第２レンズ素子Ｌ２と、で構成される。第１レンズ素子Ｌ１と第２レンズ素子Ｌ２とは、例えば紫外線硬化型樹脂などの接着剤などで接着される接合レンズを構成する。
【０１３１】
第２レンズ群Ｇ２は、物体側から像側へと順に、負のパワーを有する第３レンズ素子Ｌ
３と、負のパワーを有する第４レンズ素子Ｌ４と、負のパワーを有する第５レンズ素子Ｌ５と、正のパワーを有する第６レンズ素子Ｌ６で構成される。なお、第３レンズ素子Ｌ３は、レンズ素子ＬＧｍＦ１で例示される。第４レンズ素子Ｌ４は、レンズ素子ＬＧｍＦ２、またはレンズ素子ＬＧｍＲ３で例示される。第５レンズ素子Ｌ５は、レンズ素子ＬＧｍＲ２で例示される。第６レンズ素子Ｌ６は、レンズ素子ＬＧｍＲ１で例示される。
【０１３２】
第３レンズ群Ｇ３は、物体側から像側へと順に、正のパワーを有する第７レンズ素子Ｌ７と、正のパワーを有する第８レンズ素子Ｌ８と、負のパワーを有する第９レンズ素子Ｌ９と、正のパワーを有する第１０レンズ素子Ｌ１０と、正のパワーを有する第１１レンズ素子Ｌ１１で構成される。第９レンズ素子Ｌ９と第１０レンズ素子Ｌ１０とは、例えば紫外線硬化型樹脂などの接着剤で接着される接合レンズを構成する。なお、第７レンズ素子Ｌ７は、レンズ素子ＬＧｐＦ１で例示される。第８レンズ素子Ｌ８は、レンズ素子ＬＧｐＦ２で例示される。第９レンズ素子Ｌ９は、レンズ素子ＬＧｐＲ３で例示される。第１０レンズ素子Ｌ１０は、レンズ素子ＬＧｐＲ２で例示される。第１１レンズ素子Ｌ１１は、レンズ素子ＬＧｐＲ１で例示される。
【０１３３】
第４レンズ群Ｇ４は、負のパワーを有する第１２レンズ素子Ｌ１２で構成される。
【０１３４】
第５レンズ群Ｇ５は、正のパワーを有する第１３レンズ素子Ｌ１３で構成される。
【０１３５】
第６レンズ群Ｇ６は、負のパワーを有する第１４レンズ素子Ｌ１４で構成される。
【０１３６】
開口絞りＡは、第２レンズ群Ｇ２の第６レンズ素子Ｌ６と、第３レンズ群Ｇ３の第７レンズ素子Ｌ７との間に配置される。
【０１３７】
以下に、本実施の形態の撮像光学系の各レンズ群を構成するレンズ素子について、説明する。
【０１３８】
まず、第１レンズ群Ｇ１内における各レンズ素子について、説明する。
【０１３９】
第１レンズ素子Ｌ１は、物体側に凸面を有するメニスカスレンズである。第２レンズ素子Ｌ２は、物体側に凸面を有するメニスカスレンズである。
【０１４０】
つぎに、第２レンズ群Ｇ２内における各レンズ素子について、説明する。
【０１４１】
第３レンズ素子Ｌ３は、物体側に凸面を有するメニスカスレンズである。第４レンズ素子Ｌ４は、物体側に凸面を有するメニスカスレンズである。第４レンズ素子Ｌ４の両面は、非球面である。第５レンズ素子Ｌ５は、物体側に凹面を有するメニスカスレンズである。第６レンズ素子Ｌ６は、両凸レンズである。
【０１４２】
つぎに、第３レンズ群Ｇ３内における各レンズ素子について、説明する。
【０１４３】
第７レンズ素子Ｌ７は、物体側に凸面を有するメニスカスレンズである。第７レンズ素子Ｌ７の両面は、非球面である。第８レンズ素子Ｌ８は、両凸レンズである。第９レンズ素子Ｌ９は、両凹レンズである。第１０レンズ素子Ｌ１０は、両凸レンズである。第１１レンズ素子Ｌ１１は、両凸レンズである。第１１レンズ素子Ｌ１１の両面は、非球面である。
【０１４４】
つぎに、第４レンズ群Ｇ４内におけるレンズ素子について、説明する。
【０１４５】
第１２レンズ素子Ｌ１２は、物体側に凸面を有するメニスカスレンズである。第１２レンズ素子Ｌ１２の両面は、非球面である。
【０１４６】
つぎに、第５レンズ群Ｇ５内におけるレンズ素子について、説明する。
【０１４７】
第１３レンズ素子Ｌ１３は、物体側に凸面を有するメニスカスレンズである。
【０１４８】
さらに、第６レンズ群Ｇ６内におけるレンズ素子について、説明する。
【０１４９】
第１４レンズ素子Ｌ１４は、物体側に凹面を有するメニスカスレンズである。
【０１５０】
以上のように、本実施の形態の撮像光学系は、６群のレンズ群で構成される。
【０１５１】
そして、本実施の形態の撮像光学系の各レンズ群は、撮像時の広角端から望遠端へのズーミングの際に、図１３の（ｃ）の矢印で示すように移動する。
【０１５２】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。なお、第６レンズ群Ｇ６は移動しない。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、広角端に対し望遠端は減少する。第４レンズ群Ｇ４と第５レンズ群Ｇ５との間隔は、増大する。第５レンズ群Ｇ５と第６レンズ群Ｇ６との間隔は、増大する。このとき、広角端から望遠端へのズーミングの際に、開口絞りＡの開放絞り径は、広角端から中間位置では同じで、広角端に比べて望遠端では大きくなる。
【０１５３】
つまり、本実施の形態の撮像光学系は、第６レンズ群Ｇ６と像面Ｓとの間隔が変化しないように、第１レンズ群Ｇ１から第５レンズ群が光軸Ｌに沿って移動する。言い換えると、各レンズ群の間隔が変化する。これにより、広角端から望遠端までのズーミング動作が行われる。
【０１５４】
撮像光学系は、無限遠合焦状態から近接合焦状態へのフォーカシングの際に、図１３の（ｂ）の矢印で示すように、光軸Ｌに沿って像側へ移動する。
【０１５５】
また、第３レンズ群Ｇ３の第１１レンズ素子Ｌ１１は、光軸Ｌに対して垂直方向に移動する。これにより、像のぶれを光学的に補正する。具体的には、第１１レンズ素子Ｌ１１の移動により、全撮像光学系の振動による像点移動を補正する。その結果、手ぶれ、振動などによる像のぶれを光学的に補正できる。
【０１５６】
（実施の形態６）
以下に、実施の形態６に係る撮像光学系について、図１６用いて、説明する。
【０１５７】
図１６は、実施の形態６に係る撮像光学系のレンズ配置図およびその動作を示している。
【０１５８】
図１６に示すように、本実施の形態の撮像光学系は、物体側から像側へと順に、負のパワーを有する第１レンズ群Ｇ１と、開口絞りＡと、正のパワーを有する第２レンズ群Ｇ２と、負のパワーを有する第３レンズ群Ｇ３と、正のパワーを有する第４レンズ群Ｇ４と、平行平板ＣＧで構成される。なお、第１レンズ群Ｇ１は、レンズ群Ｇｍで例示される。第
２レンズ群Ｇ２は、レンズ群Ｇｐで例示される。第３レンズ群Ｇ３は、レンズ群Ｇｆで例示される。
【０１５９】
第１レンズ群Ｇ１は、物体側から像側へと順に、負のパワーを有する第１レンズ素子Ｌ１と、負のパワーを有する第２レンズ素子Ｌ２と、負のパワーを有する第３レンズ素子Ｌ３と、正のパワーを有する第４レンズ素子Ｌ４、で構成される。なお、第１レンズ素子Ｌ１は、レンズ素子ＬＧｍＦ１で例示される。第２レンズ素子Ｌ２は、レンズ素子ＬＧｍＦ２、またはレンズ素子ＬＧｍＲ３で例示される。第３レンズ素子Ｌ３は、レンズ素子ＬＧｍＲ２で例示される。第４レンズ素子Ｌ４は、レンズ素子ＬＧｍＲ１で例示される。
【０１６０】
第２レンズ群Ｇ２は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、正のパワーを有する第９レンズ素子Ｌ９で構成される。第７レンズ素子Ｌ７と第８レンズ素子Ｌ８とは、例えば紫外線硬化型樹脂などの接着剤で接着される接合レンズを構成する。なお、第５レンズ素子Ｌ５は、レンズ素子ＬＧｐＦ１で例示される。
【０１６１】
第３レンズ群Ｇ３は、負のパワーを有する第１０レンズ素子Ｌ１０で構成される。
【０１６２】
第４レンズ群Ｇ４は、正のパワーを有する第１１レンズ素子Ｌ１１で構成される。
【０１６３】
開口絞りＡは、第１レンズ群Ｇ１の第４レンズ素子Ｌ４と、第２レンズ群Ｇ２の第５レンズ素子Ｌ５との間に配置される。
【０１６４】
以下に、本実施の形態の撮像光学系の各レンズ群を構成するレンズ素子について、説明する。
【０１６５】
まず、第１レンズ群Ｇ１内における各レンズ素子について、説明する。
【０１６６】
第１レンズ素子Ｌ１は、物体側に凸面を有するメニスカスレンズである。第２レンズ素子Ｌ２は、物体側に凸面を有するメニスカスレンズである。第２レンズ素子Ｌ２の両面は、非球面である。第３レンズ素子Ｌ３は、物体側に凹面を有するメニスカスレンズである。第４レンズ素子Ｌ４は、物体側に凹面を有するメニスカスレンズである。
【０１６７】
つぎに、第２レンズ群Ｇ２内における各レンズ素子について、説明する。
【０１６８】
第５レンズ素子Ｌ５は、物体側に凸面を有するメニスカスレンズである。第５レンズ素子Ｌ５の両面は、非球面である。第６レンズ素子Ｌ６は、両凸レンズである。第７レンズ素子Ｌ７は、両凹レンズである。第８レンズ素子Ｌ８は、両凸レンズである。第９レンズ素子Ｌ９は、両凸レンズである。第９レンズ素子Ｌ９の両面は、非球面である。
【０１６９】
つぎに、第３レンズ群Ｇ３内におけるレンズ素子について、説明する。
【０１７０】
第１０レンズ素子Ｌ１０は、物体側に凸面を有するメニスカスレンズである。
【０１７１】
つぎに、第４レンズ群Ｇ４内におけるレンズ素子について、説明する。
【０１７２】
第１１レンズ素子Ｌ１１は、物体側に凸面を有するメニスカスレンズである。
【０１７３】
以上のように、本実施の形態の撮像光学系は、４群のレンズ群で構成される。
【０１７４】
そして、本実施の形態の撮像光学系は、撮像時の広角端から望遠端へのズーミングの際に、図１６の（ｃ）の矢印で示すように移動する。
【０１７５】
具体的には、まず、第１レンズ群Ｇ１は、像面Ｓ側に凸の軌跡を描くように移動する。開口絞りＡと第２レンズ群Ｇ２は、一体となって物体側に移動する。そして、第３レンズ群Ｇ３は物体側へ移動し、第４レンズ群Ｇ４は物体側へ移動する。この移動により、ズーミングに際して、第１レンズ群Ｇ１と第２レンズ群Ｇ２との間隔は減少する。第２レンズ群Ｇ２と第３レンズ群Ｇ３との間隔は広角端から中間位置までは変化せず、広角端に対し望遠端は増大する。第３レンズ群Ｇ３と第４レンズ群Ｇ４との間隔は広角端から中間位置までは減少し、広角端に対し望遠端は増大する。このとき、広角端から望遠端へのズーミングの際に、開口絞りＡの開放絞り径は、広角端から中間位置では同じで、広角端に比べて望遠端では大きくなる。
【０１７６】
つまり、本実施の形態の撮像光学系は、第４レンズ群Ｇ４と像面Ｓとの間隔が増大するように、各レンズ群が光軸Ｌに沿って移動する。これにより、広角端から望遠端までのズーミング動作が行われる。
【０１７７】
なお、フォーカシングレンズ群を構成する第３レンズ群Ｇ３は、無限遠合焦状態から近接合焦状態へのフォーカシングの際に、図１６の（ｂ）の矢印で示すように、光軸Ｌに沿って像側へ移動する。
【０１７８】
また、第２レンズ群Ｇ２の第９レンズ素子Ｌ９は、光軸Ｌに対して垂直方向に移動する。これにより、像のぶれを光学的に補正する。具体的には、第９レンズ素子Ｌ９の垂直方向への移動により、全撮像光学系の振動による像点移動を補正する。その結果、手ぶれ、振動などによる像のぶれを光学的に補正できる。
【０１７９】
（条件および効果等）
以下に、実施の形態１から実施の形態６に係る撮像光学系の構成を満足することが可能な条件について、説明する。
【０１８０】
つまり、各実施の形態に係る撮像光学系に対しては、複数の可能な条件が規定される。この場合、複数の条件のすべてを満足する撮像光学系の構成が最も効果的である。
【０１８１】
しかしながら、以下で述べる個別の条件を満足することにより、それぞれに対応する効果を奏する撮像光学系を得ることも可能である。
【０１８２】
例えば、実施の形態１から実施の形態６に係る撮像光学系は、ズーミングに際して各レンズ群の間隔が変化し、負のパワーを有するレンズ群のうち、最も物体側にあるレンズ群Ｇｍ（本実施の形態１から５では第２レンズ群Ｇ２に相当し、実施の形態６では第１レンズ群に相当する）は、物体側から像側へと順に、負のパワーを有するレンズ素子ＬＧｍＦ１と、両面が非球面形状で負のパワーを有するレンズ素子ＬＧｍＦ２と、パワーを有する２枚以上のレンズ素子で構成される。
【０１８３】
この構成により、広角レンズの場合でも、上記レンズ群Ｇｍ内に配置するレンズ素子ＬＧｍＦ２の非球面レンズの偏肉比を小さくできる。これにより、レンズ素子ＬＧｍＦ１として、偏肉比を大きくしても作製しやすい球面レンズを配置できる。そのため、レンズ群Ｇｍを薄くできる。その結果、撮像光学系の全長を短くできる。
【０１８４】
このとき、実施の形態１から５のように、上記レンズ群Ｇｍよりも物体側に正のパワー
を有するレンズ群（第１レンズ群Ｇ１に相当）を備える場合（いわゆるプラスリードの場合）、レンズ群Ｇｍよりも物体側にある正のパワーを有するレンズ群（実施の形態１から５における第１レンズ群Ｇ１）の口径を小型化できる。
【０１８５】
なお、上記構成は、実施の形態１〜５（数値実施例１〜５）に示したようなプラスリードに限らず、実施の形態６（数値実施例６）に示したようなマイナスリードに適用してもよい。この場合、最も物体側にある負のパワーを有するレンズ群Ｇｍは、撮像光学系における各レンズ群の最も物体側に配置される。
【０１８６】
また、本開示における撮像光学系は、レンズ群Ｇｍの像側に、正のパワーを有するレンズ群Ｇｐ（実施の形態１〜５では第３レンズ群Ｇ３に相当し、実施の形態６では第２レンズ群Ｇ２に相当）を備える。レンズ群Ｇｐは、撮影時の広角端から望遠端へのズーミングに際して、少なくとも、レンズ群Ｇｍとレンズ群Ｇｐとの間隔が変化するように、光軸方向に移動する。これにより、本開示における撮像光学系は、ズームレンズ系にも適用することができる。
【０１８７】
上記構成を有する撮像光学系は、例えば以下の条件（１）を満足することが望ましい。
【０１８８】
０．５  ＜  ｆ＿ＬＧｐＦ１／ｆｗ  ＜  １５    ・・・（１）
ここで、ｆ＿ＬＧｐＦ１はレンズ素子ＬＧｐＦ１の焦点距離、ｆｗは広角端での焦点距離である。
【０１８９】
つまり、条件（１）は、レンズ群Ｇｐの最も物体側に配置されるレンズ素子ＬＧｐＦ１の焦点距離と、広角端での全系の焦点距離との関係を規定する。
【０１９０】
条件（１）の下限値（０．５）以下になると、レンズ素子ＬＧｐＦ１のパワーが強くなりすぎる。そのため、球面収差の補正が不足する。逆に、条件（１）の上限値（１５）以上になると、レンズ素子ＬＧｐＦ１の焦点距離が長くなりすぎる。そのため、球面収差の補正が過剰になる。
【０１９１】
このとき、以下の条件（１ａ）または（１ｂ）のいずれか一方を満足すれば、より好ましい。
【０１９２】
１．０  ＜  ｆ＿ＬＧｐＦ１／ｆｗ    ・・・（１ａ）
ｆ＿ＬＧｐＦ１／ｆｗ  ＜  １０      ・・・（１ｂ）
これにより、前述の効果が、より向上する。
【０１９３】
また、以下の条件（１ｃ）または（１ｄ）のいずれか一方を満足すれば、さらに好ましい。
【０１９４】
１．５  ＜  ｆ＿ＬＧｐＦ１／ｆｗ  ・・・（１ｃ）
ｆ＿ＬＧｐＦ１／ｆｗ  ＜  ７      ・・・（１ｄ）
これにより、前述の効果が、さらに向上する。
【０１９５】
また、例えばレンズ群Ｇｍの像側から２枚目のレンズ素子ＬＧｍＲ２は、像側に凸面を有するメニスカス形状であることが望ましい。これにより、過剰な球面収差を補正できる。つまり、プラスの球面収差に対し、上記形状とすることにより、光線が発散して像面Ｓ側に向かう位置でマイナスの球面収差を発生できる。そのため、足し合わせにより、球面収差を補正できる。
【０１９６】
また、例えばレンズ群Ｇｍは、物体側から像側へと順に、負のパワーを有するレンズ素子ＬＧｍＦ１と、負のパワーを有するレンズ素子ＬＧｍＦ２と、を備え、像側から物体側へと順に、正のパワーを有するレンズ素子ＬＧｍＲ１と、負のパワーを有するレンズ素子ＬＧｍＲ２を備える構成が望ましい。言い換えると、レンズ群Ｇｍの、像側から物体側へと順に３番目のレンズ素子ＬＧｍＲ３は、負のパワーを備えることが好ましい。さらに、レンズ群Ｇｍが５枚構成の場合、設計の自由度が、かなり高まる。そのため、広角系のレンズであっても、レンズ素子ＬＧｍＲ１、レンズ素子ＬＧｍＲ２、レンズ素子ＬＧｍＲ３のいずれの配置も決定されるものではない。これにより、広角化した際に発生しやすい、広角端での過剰な像面湾曲の補正が容易になる。つまり、負のパワーを持つレンズ群Ｇｍの中で、最も強い負のパワーを持つレンズ素子において、画面周辺部の収差である像面湾曲が発生する。そのため、像面湾曲の発生を抑制するためには、レンズ素子ＬＧｍＲ３、またはレンズ素子ＬＧｍＦ２を負のパワーを有するレンズ素子で構成するのが好ましい。また、レンズ素子ＬＧｍＲ１に正のパワーを持たせることで抑制効果が、さらに高まる。
【０１９７】
また、本開示における撮像光学系は、以下の条件（２）を満足することが望ましい。
【０１９８】
０．５  ＜  ＴＨＧｍ＿Ａ／ＴＨＧｍ＿Ｂ  ＜  １．５    ・・・（２）
ここで、ＴＨＧｍ＿Ａはレンズ群Ｇｍの物体側から１枚目のレンズ素子ＬＧｍＦ１と、レンズ群Ｇｍの物体側から２枚目のレンズ素子ＬＧｍＦ２との空気間隔である。ＴＨＧｍ＿Ｂはレンズ群Ｇｍの像側から２枚目のレンズ素子ＬＧｍＲ２と、レンズ群Ｇｍの像側から３枚目のレンズ素子ＬＧｍＲ３の空気間隔である。
【０１９９】
つまり、条件（２）は、レンズ群Ｇｍの物体側から１枚目のレンズ素子ＬＧｍＦ１と２枚目のレンズ素子ＬＧｍＦ２の空気間隔と、レンズ群Ｇｍの像側から２枚目のレンズ素子ＬＧｍＲ２と３枚目のレンズ素子ＬＧｍＲ３の空気間隔との関係を規定する。
【０２００】
条件（２）の下限値（０．５）以下になると、レンズ群Ｇｍから射出される光束径が太くなるため、絞り径が大きくなりすぎる。逆に、条件（２）の上限値（１．５）以上になると、レンズ群Ｇｍの１枚目のレンズ素子ＬＧｍＦ１から射出される光線角度が大きくなるため、より物体側における光学系の口径（径方向の大きさ）が、大型化する。
【０２０１】
このとき、以下の条件（２ａ）または（２ｂ）のいずれか一方を満足すれば、より好ましい。
【０２０２】
０．７  ＜  ＴＨＧｍ＿Ａ／ＴＨＧｍ＿Ｂ  ・・・（２ａ）
ＴＨＧｍ＿Ａ／ＴＨＧｍ＿Ｂ  ＜  １．３  ・・・（２ｂ）
これにより、前述の効果が、より向上する。
【０２０３】
また、以下の条件（２ｃ）または（２ｄ）のいずれか一方を満足すれば、さらに好ましい。
【０２０４】
０．８  ＜  ＴＨＧｍ＿Ａ／ＴＨＧｍ＿Ｂ  ・・・（２ｃ）
ＴＨＧｍ＿Ａ／ＴＨＧｍ＿Ｂ  ＜  １．２  ・・・（２ｄ）
これにより、前述の効果が、さらに向上する。
【０２０５】
また、本開示における撮像光学系は、以下の条件（３）、（４）を満足することが望ましい。
【０２０６】
１．４５  ＜  ｎｄ＿ＬＧｍＦ２  ・・・（３）
３５      ＜  ｖｄ＿ＬＧｍＦ２  ・・・（４）
ここで、ｎｄ＿ＬＧｍＦ２は、レンズ群Ｇｍの最も物体側から２枚目のレンズ素子ＬＧｍＦ２の屈折率である。ｖｄ＿ＬＧｍＦ２は、レンズ群Ｇｍの最も物体側から２枚目のレンズ素子ＬＧｍＦ２のアッベ数である。
【０２０７】
つまり、条件（３）、（４）は、それぞれ、レンズ群Ｇｍの最も物体側から２枚目のレンズ素子ＬＧｍＦ２の屈折率と、アッベ数を規定する。
【０２０８】
条件（３）の下限値（１．４５）以下になると、レンズ素子の曲率半径が小さくなりすぎる。そのため、レンズ素子の作製が困難となる。条件（４）の下限値（３５）以下になると、広角端での倍率色収差の補正が困難となる。つまり、広角端の倍率色収差は、光線高が高いレンズ素子ＬＧｍＦ２より物体側のレンズで発生する。しかし、条件（４）の値が低いほど、色分散が大きくなるため、倍率色収差の補正が困難となる。
【０２０９】
このとき、以下の条件（３ａ）または（４ａ）のいずれか一方を満足すれば、より好ましい。
【０２１０】
１．４８  ＜  ｎｄ＿ＬＧｍＦ２  ・・・（３ａ）
３８      ＜  ｖｄ＿ＬＧｍＦ２  ・・・（４ａ）
これにより、前述の効果が、より向上する。
【０２１１】
また、本開示における撮像光学系は、以下の条件（５）を満足することが望ましい。
【０２１２】
０．０５  ＜  ＴＨＧｐ＿Ａ／ＴＨＧｐ＿Ｂ  ＜  ０．５    ・・・（５）
ここで、ＴＨＧｐ＿Ａは、レンズ群Ｇｐの物体側から１枚目のレンズ素子ＬＧｐＦ１と、レンズ群Ｇｐの物体側から２枚目のレンズ素子ＬＧｐＦ２の空気間隔である。ＴＨＧｐ＿Ｂは、レンズ群Ｇｐの最も物体側から最も像側までのレンズの中心間隔である。
【０２１３】
つまり、条件（５）は、レンズ群Ｇｐの物体側から１枚目のレンズ素子ＬＧｐＦ１と２枚目のレンズ素子ＬＧｐＦ２の空気間隔とレンズ群Ｇｐの最も物体側から最も像側までのレンズ素子の中心間隔の関係を規定する。
【０２１４】
条件（５）の下限値（０．０５）以下になると、特に、メリディオナル方向の像面がアンダーに倒れすぎる。逆に、条件（５）の上限値（０．５）以上になると、メリディオナル方向の像面がオーバーに倒れすぎる。
【０２１５】
このとき、以下の条件（５ａ）または（５ｂ）のいずれか一方を満足すれば、より好ましい。
【０２１６】
０．０７  ＜  ＴＨＧｐ＿Ａ／ＴＨＧｐ＿Ｂ  ・・・（５ａ）
ＴＨＧｐ＿Ａ／ＴＨＧｐ＿Ｂ  ＜  ０．３    ・・・（５ｂ）
これにより、前述の効果が、より向上する。
【０２１７】
また、本開示における撮像光学系は、以下の条件（６）を満足することが望ましい。
【０２１８】
１．０  ＜  ｆ＿Ｇｐ／ｆｗ  ＜  ７      ・・・（６）
ここで、ｆ＿Ｇｐはレンズ群Ｇｐの焦点距離、ｆｗは広角端における全系の焦点距離である。
【０２１９】
つまり、条件（６）は、レンズ群Ｇｐの焦点距離と広角端における全系での焦点距離の関係を規定する。
【０２２０】
条件（６）の下限値（１．０）以下になると、レンズ群Ｇｐの焦点距離が小さくなる。そのため、全域での収差補正が困難となる。逆に、条件（６）の上限値（７）以上になると、レンズ群Ｇｐの焦点距離が大きくなる。そのため、ズーム比を確保するために、レンズ群Ｇｐの移動量が大きくなりすぎる。
【０２２１】
このとき、以下の条件（６ａ）または（６ｂ）のいずれか一方を満足すれば、より好ましい。
【０２２２】
１．３  ＜  ｆ＿Ｇｐ／ｆｗ  ・・・（６ａ）
ｆ＿Ｇｐ／ｆｗ  ＜  ５      ・・・（６ｂ）
これにより、前述の効果が、より向上する。
【０２２３】
また、本開示における撮像光学系は、以下の条件（７）、（８）を満足することが望ましい。
【０２２４】
１．５０  ＜  ｎｄ＿ＬＧｆ        ・・・（７）
３５      ＜  ｖｄ＿ＬＧｆ        ・・・（８）
ここで、ｎｄ＿ＬＧｆはレンズ群Ｇｆを構成するレンズ素子の屈折率、ｖｄ＿ＬＧｆはレンズ群Ｇｆを構成するレンズ素子のアッベ数である。
【０２２５】
つまり、条件（７）、（８）は、それぞれ、レンズ群Ｇｆを構成するレンズ素子の屈折率と、アッベ数を規定する。
【０２２６】
条件（７）の下限値（１．５０）以下になると、近接時の像面湾曲変動が大きくなる。条件（８）の下限値（３５）以下になると、近接時の倍率色収差の補正が困難となる。
【０２２７】
このとき、以下の条件（７ａ）または（８ａ）のいずれか一方を満足すれば、より好ましい。
【０２２８】
１．５３  ＜  ｎｄ＿ＬＧｆ    ・・・（７ａ）
３８      ＜  ｖｄ＿ＬＧｆ    ・・・（８ａ）
これにより、前述の効果が、より向上する。
【０２２９】
また、本開示における撮像光学系は、以下の条件（９）を満足することが望ましい。
【０２３０】
１．５  ＜  ｜ｆ＿Ｇｆ｜／ｆｗ  ＜  ５      ・・・（９）
ここで、ｆ＿Ｇｆはレンズ群Ｇｆの焦点距離、ｆｗは広角端における全系の焦点距離、である。
【０２３１】
つまり、条件（９）は、レンズ群Ｇｆの焦点距離と広角端における全系の焦点距離の関係を規定する。
【０２３２】
条件（９）の下限値（１．５）以下になると、レンズ群Ｇｆの焦点距離が小さくなる。そのため、近接時の収差変動補正が困難となる。逆に、条件（９）の上限値（５）以上になると、レンズ群Ｇｆの焦点距離が大きくなる。そのため、レンズ群Ｇｆの移動量が大きくなりすぎる。
【０２３３】
また、以下の条件（９ａ）または（９ｂ）のいずれか一方を満足すれば、さらに好ましい。
【０２３４】
２．０  ＜  ｆ＿Ｇｆ／ｆｗ  ・・・（９ａ）
ｆ＿Ｇｆ／ｆｗ  ＜  ４      ・・・（９ｂ）
これにより、前述の効果が、さらに向上する。
【０２３５】
また、本開示における撮像光学系は、以下の条件（１０）、（１１）を満足することが望ましい。
【０２３６】
１．７５  ＜  ｎｄ＿ＬＧｍＦ１      ・・・（１０）
２５      ＜  ｖｄ＿ＬＧｍＦ１      ・・・（１１）
ここで、ｎｄ＿ＬＧｍＦ１は、レンズ群Ｇｍの最も物体側のレンズ素子ＬＧｍＦ１の屈折率である。ｖｄ＿ＬＧｍＦ１は、レンズ群Ｇｍの最も物体側のレンズ素子ＬＧｍＦ１のアッベ数である。
【０２３７】
つまり、条件（１０）、（１１）は、それぞれ、レンズ群Ｇｍの最も物体側のレンズ素子ＬＧｍＦ１の屈折率と、アッベ数を規定する。
【０２３８】
条件（１０）の下限値（１．７５）以下になると、像側面の曲率半径が小さくなる。そのため、周辺部の傾斜角度が大きくなりすぎて、レンズ素子の作製が困難となる。条件（１１）の下限値（２５）以下になると、広角端での倍率色収差の補正が困難となる。
【０２３９】
このとき、以下の条件（１０ａ）または（１１ａ）のいずれか一方を満足すれば、よりこの好ましい。
【０２４０】
１．７８  ＜  ｎｄ＿ＬＧｍＦ１          ・・・（１０ａ）
３１      ＜  ｖｄ＿ＬＧｍＦ１          ・・・（１１ａ）
これにより、前述の効果が、より向上する。
【０２４１】
また、本開示における撮像光学系は、以下の条件（１２）を満足することが望ましい。
【０２４２】
０．８＜ｔ＿ＬＧｍＦ２（７０％）／ｃｔ＿ＬＧｍＦ２＜１．５・・（１２）
ここで、ｔ＿ＬＧｍＦ２（７０％）は、レンズ群Ｇｍの物体側から２枚目のレンズ素子ＬＧｍＦ２の物体側面の有効径から７０％の高さのレンズ素子厚みである。ｃｔ＿ＬＧｍＦ２は、レンズ群Ｇｍの物体側から２枚目のレンズ素子ＬＧｍＦ２の中心厚みである。
【０２４３】
つまり、条件（１２）は、レンズ群Ｇｍの物体側から２枚目のレンズ素子ＬＧｍＦ２の物体側面の有効径から７０％の高さのレンズ素子厚みと、レンズ群Ｇｍの物体側から２枚目のレンズ素子ＬＧｍＦ２の中心厚みの関係を規定する。
【０２４４】
条件（１２）の下限値（０．８）以下になると、レンズ素子の厚みが薄くなりすぎる。そのため、外径を規定する高さでのコバ厚の確保が困難になる。逆に、条件（１２）の上限値（１．５）以上になると、コバ厚が大きくなりすぎる。そのため、より物体側のレンズ素子（例えば、レンズ素子ＬＧｍＦ１）が大型化する。
【０２４５】
このとき、以下の条件（１２ａ）または（１２ｂ）のいずれか一方を満足すれば、より好ましい。
【０２４６】
０．９  ＜  ｔ＿ＬＧｍＦ２（７０％）／ｃｔ＿ＬＧｍＦ２・・・（１２ａ）
ｔ＿ＬＧｍＦ２（７０％）／ｃｔ＿ＬＧｍＦ２  ＜  １．２・・・（１２ｂ）
これにより、前述の効果が、より向上する。
【０２４７】
また、以下の条件（１２ｃ）または（１２ｄ）を満足すれば、さらに好ましい。
【０２４８】
０．９８＜  ｔ＿ＬＧｍＦ２（７０％）／ｃｔ＿ＬＧｍＦ２・・・（１２ｃ）
ｔ＿ＬＧｍＦ２（７０％）／ｃｔ＿ＬＧｍＦ２  ＜  １．０６・・（１２ｄ）
これにより、前述の効果が、さらに向上する。
【０２４９】
また、本開示における撮像光学系は、以下の条件（１３）を満足することが望ましい。
【０２５０】
０．１  ＜  ｃｔ＿ＬＧｍＦ２／ＴＨＧｍ＿Ｂ  ＜  １．２    ・・（１３）
ここで、ｃｔ＿ＬＧｍＦ２は、レンズ群Ｇｍの物体側から２枚目のレンズ素子ＬＧｍＦ２の中心厚みである。ＴＨＧｍ＿Ｂはレンズ群Ｇｍの像側から２枚目のレンズ素子ＬＧｍＲ２と、レンズ群Ｇｍの像側から３枚目のレンズ素子ＬＧｍＲ３の空気間隔である。
【０２５１】
つまり、条件（１３）は、レンズ群Ｇｍの物体側から２枚目のレンズ素子ＬＧｍＦ２の中心間隔と、レンズ群Ｇｍの像側から２枚目のレンズ素子ＬＧｍＲ２と３枚目のレンズ素子ＬＧｍＲ３の空気間隔との関係を規定する。
【０２５２】
条件（１３）の下限値（０．１）以下になると、ＴＨＧｍ＿Ｂが大きくなり、軸上光束の低い位置にＬＧｍＦ２が配置される。そのため、撮像光学系の全系、またはズーム全域での球面収差補正が困難となる。逆に、条件（１３）の上限値（１．２）以上になると、ＴＨＧｍ＿Ｂが小さくなり、周辺光束の低い位置にＬＧｍＦ２が配置される。そのため、広角端での像面の平坦性確保が困難となる。
【０２５３】
このとき、以下の条件（１３ａ）または（１３ｂ）のいずれか一方を満足すれば、より好ましい。
【０２５４】
０．１５  ＜  ｃｔ＿ＬＧｍＦ２／ＴＨＧｍ＿Ｂ          ・・・（１３ａ）
ｃｔ＿ＬＧｍＦ２／ＴＨＧｍ＿Ｂ  ＜  １．０            ・・・（１３ｂ）
これにより、前述の効果が、より向上する。
【０２５５】
また、以下の条件（１３ｃ）または（１３ｄ）のいずれか一方を満足すれば、さらに好ましい。
【０２５６】
０．２０  ＜  ｃｔ＿ＬＧｍＦ２／ＴＨＧｍ＿Ｂ          ・・・（１３ｃ）
ｃｔ＿ＬＧｍＦ２／ＴＨＧｍ＿Ｂ  ＜  ０．５            ・・・（１３ｄ）
これにより、前述の効果が、さらに向上する。
【０２５７】
また、本開示における撮像光学系は、以下の条件（１４）を満足することが望ましい。
【０２５８】
０．１  ＜  （Ｒ１＿ＬＧｍＦ２＋Ｒ２＿ＬＧｍＦ１）
／（Ｒ１＿ＬＧｍＦ２―Ｒ２＿ＬＧｍＦ１）  ＜  ４．０  ・・・（１４）
ここで、Ｒ２＿ＬＧｍＦ１は、ＬＧｍＦ１の像側の曲率半径である。Ｒ１＿ＬＧｍＦ２は、ＬＧｍＦ２の物体側の曲率半径である。
【０２５９】
つまり、条件（１４）は、レンズ群Ｇｍの物体側から１枚目のレンズ素子ＬＧｍＦ１の像側の曲率半径と、レンズ群Ｇｍの物体側から２枚目のレンズ素子ＬＧｍＦ２の物体側の曲率半径との関係を規定する。
【０２６０】
条件（１４）の下限値（０．１）以下になると、撮像光学系の全系、またはズーム全域
での像面平坦性確保が困難となる。逆に、条件（１４）の上限値（４．０）以上になっても、ズーム全域での像面平坦性確保が困難となる。
【０２６１】
このとき、以下の条件（１４ａ）または（１４ｂ）のいずれか一方を満足すれば、より好ましい。
【０２６２】
４  ＜  （Ｒ１＿ＬＧｍＦ２＋Ｒ２＿ＬＧｍＦ１）
／  （Ｒ１＿ＬＧｍＦ２―Ｒ２＿ＬＧｍＦ１）          ・・・（１４ａ）
（Ｒ１＿ＬＧｍＦ２＋Ｒ２＿ＬＧｍＦ１）
／  （Ｒ１＿ＬＧｍＦ２―Ｒ２＿ＬＧｍＦ１）  ＜  ２．０・・（１４ｂ）
これにより、前述の効果が、より向上する。
【０２６３】
また、以下の条件（１４ｃ）または（１４ｄ）のいずれか一方を満足すれば、さらに好ましい。
【０２６４】
８  ＜  （Ｒ１＿ＬＧｍＦ２＋Ｒ２＿ＬＧｍＦ１）
／  （Ｒ１＿ＬＧｍＦ２―Ｒ２＿ＬＧｍＦ１）          ・・・（１４ｃ）
（Ｒ１＿ＬＧｍＦ２＋Ｒ２＿ＬＧｍＦ１）
／  （Ｒ１＿ＬＧｍＦ２―Ｒ２＿ＬＧｍＦ１）  ＜  １．６・・（１４ｄ）
これにより、前述の効果が、さらに向上する。
【０２６５】
また、本開示における撮像光学系は、以下の条件（１５）を満足することが望ましい。
【０２６６】
−０．５０  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  １．００・・（１５）
ここで、Ｒ２＿ＬＧｍＦ１は、ＬＧｍＦ１の像側の曲率半径である。Ｒ１＿ＬＧｍＲ２は、ＬＧｍＲ２の物体側の曲率半径である。
【０２６７】
つまり、条件（１５）は、レンズ群Ｇｍの物体側から１枚目のレンズ素子ＬＧｍＦ１の像側の曲率半径と、レンズ群Ｇｍの像側から２枚目のレンズ素子ＬＧｍＲ２の物体側の曲率半径との関係を規定する。
【０２６８】
条件（１５）の下限値（−０．５０）以下になると、撮像光学系の全系、またはズーム全域での像面平坦性確保が困難となる。逆に、条件（１５）の上限値（１．００）以上になっても、ズーム全域での像面平坦性確保が困難となる。
【０２６９】
このとき、以下の条件（１５ａ）または（１５ｂ）のいずれか一方を満足すれば、より好ましい。
【０２７０】
−０．３０  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）            ・・・（１５ａ）
（Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  ０．６０・・（１５ｂ）
これにより、前述の効果が、より向上する。
【０２７１】
また、以下の条件（１５ｃ）または（１５ｄ）のいずれか一方を満足すれば、さらに好ましい。
【０２７２】
−０．０５  ＜  （Ｒ１＿ＬＧｍＲ２＋Ｒ２＿ＬＧｍＦ１）
／  （Ｒ１＿ＬＧｍＲ２―Ｒ２＿ＬＧｍＦ１）            ・・・（１５ｃ）
（Ｒ１＿ＬＧｍＲ２＋Ｒ２＿ＬＧｍＦ１）
／  （Ｒ１＿ＬＧｍＲ２―Ｒ２＿ＬＧｍＦ１）  ＜  １．６０・・（１５ｄ）
これにより、前述の効果が、さらに向上する。
【０２７３】
また、本開示における撮像光学系は、例えばレンズ群Ｇｆを１枚のレンズ素子で構成するのが望ましい。これにより、レンズ群Ｇｆの軽量化が可能となる。そのため、無限遠合焦状態から近接合焦状態へのフォーカシングの際に、高速のフォーカシングが容易となる。また、レンズ群Ｇｆの光軸上の厚みを短く（薄く）できる。そのため、撮像光学系の小型化が可能となる。
【０２７４】
また、本開示における撮像光学系は、例えば広角端から望遠端へのズーミングの際に、開口絞りＡとレンズ群Ｇｐは、一体となって移動する構成が望ましい。これにより、ズーミングの際に各レンズ群を駆動するカム構成を少なくできる。そのため、例えば鏡筒などの構成を簡略化できる。
【０２７５】
このとき、開口絞りＡの開放絞り径は、広角端に比べて望遠端では大きくなる、または中間位置に比べて望遠端では大きくなるのが好ましい。これにより、広角端から望遠端までの絞りユニットの移動量を小さくできる。ここで、絞りユニットとは開口絞りＡを光軸に沿って移動させる機構であり、本実施の形態では、開口絞りＡと一体となって移動するレンズ群を移動させる機構である。
【０２７６】
また、本開示における撮像光学系は、例えばレンズ群Ｇｆを、後述するレンズ群Ｇｐを保持する第３群枠３１３（実施の形態６の撮像光学系の場合は第２レンズ群Ｇ２を保持する枠に相当）に取り付けたシャフト３２９に保持して駆動する構成が望ましい。これにより、ズーミングの際に、各レンズ群を駆動するためのカム構成を少なくできる。そのため、例えば鏡筒などの構成を簡略化できる。
【０２７７】
また、本開示における撮像光学系は、例えば開口絞りＡ、レンズ群Ｇｐ内に配置した像ぶれ補正用のレンズ素子ＬＧｐＲ１、フォーカスレンズ群であるレンズ群Ｇｆを駆動するアクチュエータを、レンズ群Ｇｐと一体で動く移動枠に配置する構成としてもよい。これにより、アクチュエータに給電するフレキシブル配線や基板などを一体形成できる。その結果、撮像光学系を収納する鏡筒などの構成を簡素化できる。
【０２７８】
また、通常、撮像光学系は、例えばフォーカスレンズ群であるレンズ群Ｇｆを駆動するために、所定のクリアランスが必要となる。そのため、レンズ群Ｇｐに対する、レンズ群Ｇｆの相対位置誤差により、片ボケしやすくなる。そこで、本開示における撮像光学系は、後述するように、レンズ群Ｇｐ内（第３群枠３１３内（図２１参照））に相対位置調整機構を設ける。これにより、相対位置誤差による片ボケの発生を抑制できる。なお、例えばフォーカスレンズ群と相対的な片ボケ感度を有する像ぶれ補正用のレンズ素子ＬＧｐＲ１に、相対位置調整機構を設けてもよい。これにより、上述と同様に、片ボケの発生を、さらに抑制できる。
【０２７９】
また、本開示における実施の形態１から実施の形態５に係る撮像光学系は、物体側から像側へと順に、正のパワーを有する第１レンズ群と、負のパワーを有する第２レンズ群と、正のパワーを有する第３レンズ群と、少なくとも１つのパワーを有する後続レンズ群を備える。第３レンズ群は、物体側から像側へと順に、少なくとも、正のパワーを有するレンズ素子ＬＧｐＦ１と、正のパワーを有するレンズ素子ＬＧｐＦ２と、を有し、像側から物体側へと順に、正のパワーを有するレンズ素子ＬＧｐＲ１と、正のパワーを有するレンズ素子ＬＧｐＲ２と、負のパワーを有するレンズ素子ＬＧｐＲ３を有する。レンズ素子ＬＧｐＲ３とレンズ素子ＬＧｐＲ２は、互いに一方の光学面が接合される。レンズ素子ＬＧ
ｐＲ１は、光軸に対して垂直方向の成分を持つように移動して像ぶれを光学的に補正する。そして、撮影時の広角端から望遠端へのズーミングに際して、少なくとも、第２レンズ群と第３レンズ群は、互いの間隔が変化するように、光軸方向に移動するように構成される。
【０２８０】
この構成によれば、明るいレンズにおいて、像ぶれ補正時に、絞りより遠ざけた位置にあるレンズ素子ＬＧｐＲ１を光軸に対して垂直方向の成分を持つように移動させても、偏心コマ収差の発生を小さくできる。これにより、像ぶれ補正時の像性能の低下を抑制できる。
【０２８１】
（実施の形態１を適用した撮像装置の概略構成）
以下に、実施の形態１の撮像光学系を適用した撮像装置の概略構成について、図１９を用いて、説明する。
【０２８２】
図１９は、実施の形態１に係る撮像光学系を備える撮像装置の概略構成図である。なお、図１９では、実施の形態１の撮像光学系を撮像装置に適用する例で説明するが、実施の形態２から６の撮像光学系を撮像装置に適用する構成としてもよく、同様の効果が得られる。
【０２８３】
図１９に示すように、撮像装置１００は、筐体１０４と、筐体１０４と接続される鏡筒３０２などで構成される。筐体１０４は、内部に、撮像素子１０２を有する。鏡筒３０２は、内部に、撮像光学系１０１を備える。なお、撮像装置１００は、例えばデジタルカメラで例示される。
【０２８４】
撮像光学系１０１は、第１レンズ群Ｇ１と、第２レンズ群Ｇ２と、第３レンズ群Ｇ３と、開口絞りＡと、第４レンズ群Ｇ４と、第５レンズ群Ｇ５などを備え、鏡筒３０２内に収納される。
【０２８５】
鏡筒３０２は、撮像光学系１０１を構成する各レンズ群と、開口絞りＡを保持する。
【０２８６】
撮像素子１０２は、実施の形態１の撮像光学系における像面Ｓの位置に配置される。
【０２８７】
また、筐体１０４は、内部に、アクチュエータやレンズ枠などを備える。アクチュエータやレンズ枠には、撮像光学系１０１を構成する、各レンズ群と、開口絞りＡなどが、ズーミングの際に移動可能に配置される。
【０２８８】
以上のように、撮像装置１００が構成される。これにより、諸収差の良好な撮像装置１００を実現できる。
【０２８９】
なお、上記では、撮像光学系をデジタルカメラに適用した例で説明したが、これに限られない。例えば、監視カメラ、スマートフォンなどの撮像装置に適用してもよい。
【０２９０】
（実施の形態１を適用したカメラシステムの概略構成）
以下に、実施の形態１の撮像光学系を適用したカメラシステムの概略構成について、図２０を用いて、説明する。
【０２９１】
図２０は、実施の形態１に係る撮像光学系を備えるカメラシステムの概略構成図である。なお、図２０では、実施の形態１の撮像光学系をカメラシステムに適用する例で説明するが、実施の形態２から６の撮像光学系をカメラシステムに適用する構成としてもよく、同様の効果が得られる。また、カメラシステム２００は、例えばレンズ交換式デジタルカ
メラシステムなどで例示される。
【０２９２】
図２０に示すように、カメラシステム２００は、カメラ本体２０１と、カメラ本体２０１に着脱自在に接続される交換レンズ装置３００などを備える。
【０２９３】
カメラ本体２０１は、撮像素子２０２と、モニタ２０３と、画像信号を記憶するメモリ（図示せず）と、カメラマウント部２０４と、ファインダ２０５などを含む。撮像素子２０２は、例えばＣＭＯＳイメージセンサで構成され、交換レンズ装置３００の撮像光学系によって形成される光学像を受光して、電気的な画像信号に変換する。モニタ２０３は、例えばＬＣＤで構成され、撮像素子２０２によって変換された画像信号を表示する。
【０２９４】
交換レンズ装置３００は、第１レンズ群Ｇ１と、第２レンズ群Ｇ２と、開口絞りＡと、第３レンズ群Ｇ３と、第４レンズ群Ｇ４と、第５レンズ群Ｇ５などから構成される撮像光学系１０１を備える。
【０２９５】
鏡筒３０２は、撮像光学系１０１の各レンズ群と、開口絞りＡを保持する。さらに、鏡筒３０２は、カメラ本体２０１のカメラマウント部２０４に接続されるレンズマウント部３０４を含む。
【０２９６】
カメラ本体２０１のカメラマウント部２０４と鏡筒３０２のレンズマウント部３０４とは、例えばバヨネット機構などにより物理的に接続される。そして、カメラ本体２０１内のコントローラ（図示せず）と交換レンズ装置３００内のコントローラ（図示せず）とが、電気的に接続される。つまり、カメラマウント部２０４およびレンズマウント部３０４は、相互の信号のやり取りを可能とするインターフェースとして、機能する。
【０２９７】
撮像光学系１０１は、交換レンズ装置３００の鏡筒３０２内に保持される各レンズ群と、カメラ本体２０１内の平行平板ＣＧなどから構成される。
【０２９８】
撮像光学系１０１は、内部に、コントローラによって制御されるアクチュエータやレンズ枠を備える。アクチュエータやレンズ枠には、撮像光学系１０１を構成する各レンズ群と、開口絞りＡなどが、ズーミングの際に移動可能に配置される。
【０２９９】
以上のように、カメラシステム２００が構成される。これにより、諸収差の良好なカメラシステム２００を実現できる。
【０３００】
（実施の形態１を適用した鏡筒の概略構成）
以下に、実施の形態１の撮像光学系を適用した鏡筒の概略構成について、図２１を用いて、説明する。
【０３０１】
図２１は、実施の形態１に係る撮像光学系を備える鏡筒３０２の概略構成図である。なお、図２１では、実施の形態１の撮像光学系を鏡筒に適用する例で説明するが、実施の形態２から６の撮像光学系を鏡筒に適用する構成としてもよく、同様の効果が得られる。実施の形態６の鏡筒に適用する場合、実施の形態１における第２レンズ群Ｇ２から第５レンズ群Ｇ５が、実施の形態６の鏡筒における第１レンズ群Ｇ１から第４レンズ群Ｇ４に相当する。
【０３０２】
図２１に示すように、鏡筒３０２は、撮像光学系の各レンズ群を保持する、第１群枠３１１と、第２群枠３１２と、第３群枠３１３と、第４群枠３１４と、第５群枠３１５などを備える。
【０３０３】
第１群枠３１１は、第１レンズ群Ｇ１を保持する。第２群枠３１２は、第２レンズ群Ｇ２を保持する。第３群枠３１３は、開口絞りＡと第３レンズ群Ｇ３を保持する。第４群枠３１４は、第４レンズ群Ｇ４を保持する。第５群枠３１５は、第５レンズ群Ｇ５を保持する。
【０３０４】
第２群枠３１２、第３群枠３１３および第５群枠３１５は、直進固定枠３２５と、カム筒３２０と、カムピン３２６とに係合され、光軸方向に沿って移動する。第１群枠３１１は、第２群枠３１２の外周面の溝（図示せず）と、第１群枠３１１のピン（図示せず）を介して、係合され、光軸方向に沿って移動する。
【０３０５】
第３群枠３１３は、アクチュエータ３２８と、シャフト３２９などを備える。アクチュエータ３２８は、コントローラ（図示せず）により制御され、第３群枠３１３に対して、第４群枠３１４を光軸方向に駆動する。シャフト３２９は、第４群枠３１４を移動可能に保持する。これにより、ズーミングの際に、各レンズ群を駆動するカム構成を少なくできる。その結果、鏡筒３０２の構成を簡素化できる。
【０３０６】
また、第３群枠３１３は、第３群前枠３１３ａと、ＯＩＳベース枠３１３ｂと、ＯＩＳ枠３１３ｃと、アクチュエータ３２７などを備える。アクチュエータ３２７は、ＯＩＳベース枠３１３ｂに対して、ＯＩＳ枠３１３ｃを光軸と垂直な平面で駆動する。第３群前枠３１３ａは、開口絞りＡと、第８レンズ素子Ｌ８から第１１レンズ素子Ｌ１１を保持する。ＯＩＳ枠３１３ｃは、第３レンズ群Ｇ３の第１２レンズ素子Ｌ１２を例示するレンズ素子ＬＧｐＲ１を保持する。ＯＩＳベース枠３１３ｂは、例えばボール（図示せず）などを介して、ＯＩＳ枠３１３ｃを、光軸と垂直な平面上を基準位置から移動可能に支持する。なお、ＯＩＳは、Ｏｐｔｉｃａｌ  Ｉｍａｇｅ  Ｓｔａｂｉｌｉｚｅｒの略で、光学式像ぶれ補正機能を示している。
【０３０７】
コントローラ（図示せず）は、アクチュエータ３２７を制御し、レンズ素子ＬＧｐＲ１を保持するＯＩＳ枠３１３ｃを移動させる。これにより、像ぶれ補正を行う。
【０３０８】
また、ＯＩＳベース枠３１３ｂは、上述した相対位置調整機構を備える。相対位置調整機構は、偏芯ピン３２３による応力により、第３群前枠３１３ａに対して、ＯＩＳベース枠３１３ｂを光軸と垂直な２方向（Ｘ方向およびＹ方向）に移動させる。これにより、レンズ素子ＬＧｐＲ１の相対位置を、基準位置に対して調整する。具体的には、鏡筒３０２の出荷調整時に、偏芯ピン３２３によりレンズ素子ＬＧｐＲ１の相対位置を調整し、調整後に接着剤などで固定する。これにより、片ボケの発生を抑制できる。
【０３０９】
（他の実施の形態）
以上、本出願に開示する技術について、実施の形態１から実施の形態６を例に説明した。
【０３１０】
しかしながら、本開示における技術は、これに限定されず、変更、置き換え、付加、省略などを行った実施の形態にも適用可能である。
【０３１１】
上記実施の形態１から実施の形態６に係る撮像光学系では、広角端から望遠端までの全てのズーミング域を使用する例で説明したが、必ずしも、ズーミング域の全てを使用する必要はない。例えば、所望のズーミング域に応じて、光学性能が確保されている範囲を切り出して、撮像光学系として使用してもよい。つまり、以下で、実施の形態１から実施の形態６に対応する数値実施例１から数値実施例６で説明する撮像光学系よりも、低倍率の撮像光学系として使用してもよい。また、所望のズーミング位置に応じて、光学性能が確保されている焦点距離を切り出して、単焦点の撮像光学系として使用してもよい。
【０３１２】
例えば、単焦点の撮像光学系として使用する場合における、レンズ群Ｇｍ、レンズ群Ｇｐ、およびレンズ群Ｇｆは次の通りである。
【０３１３】
単焦点の撮像光学系として使用する場合において、前述のレンズ群Ｇｍは、実施の形態１から実施の形態６に係る撮像光学系において、負のパワーを有するレンズ群のうち、最も物体側にあるレンズ群Ｇｍ（本実施の形態１から５では第２レンズ群Ｇ２に相当し、実施の形態６では第１レンズ群Ｇ１に相当する）は、物体側から像側へと順に、負のパワーを有するレンズ素子ＬＧｍＦ１と、両面が非球面形状で負のパワーを有するレンズ素子ＬＧｍＦ２と、パワーを有する２枚以上のレンズ素子で構成される。そして、上記レンズ素子ＬＧｍＦ１は、開口絞りＡよりも物体側にあるレンズ素子のうち、最もパワーの強いレンズ素子である。つまり、レンズ群Ｇｍの、最も物体側のレンズ素子ＬＧｍＦ１は、開口絞りＡよりも物体側にあるレンズ素子のうち、最も負のパワーの強いレンズ素子である。単焦点の撮像光学系として使用する場合において、前述のレンズ群Ｇｐは、実施の形態１から実施の形態６に係る撮像光学系において、レンズ群Ｇｍの像側にある正のパワーを有するレンズ群（本実施の形態１から５では第３レンズ群Ｇ３に相当し、実施の形態６では第２レンズ群Ｇ２に相当する）である。レンズ群Ｇｐは、物体側から像側へと順に、正のパワーを有するレンズ素子ＬＧｐＦ１と、正のパワーを有するレンズ素子ＬＧｐＦ２と、を有する。そして、上記レンズ素子ＬＧｐＦ１の物体側もしくは像側のいずれか一方に開口絞りＡを有する。つまり、レンズ群Ｇｐは、物体側から像側へと順に、（ｉ）開口絞りＡ、正のパワーを有するレンズ素子ＬＧｐＦ１、正のパワーを有するレンズ素子ＬＧｐＦ２、或いは（ｉｉ）正のパワーを有するレンズ素子ＬＧｐＦ１、開口絞りＡ、正のパワーを有するレンズ素子ＬＧｐＦ２である。
【０３１４】
単焦点の撮像光学系として使用する場合において、前述のレンズ群Ｇｆは、実施の形態１から実施の形態６に係る撮像光学系において、レンズ群Ｇｆの像側にある負のパワーを有するレンズ群（本実施の形態１から５では第４レンズ群Ｇ４に相当し、実施の形態６では第３レンズ群Ｇ３に相当する）である。そして、レンズ群Ｇｆは、無限遠合焦状態から近接合焦状態へのフォーカシングに際して、光軸方向に移動するレンズ群である。つまり、単焦点の撮像光学系において、フォーカシングに際して、レンズ群Ｇｐは光軸方向に移動せず、レンズ群Ｇｆは光軸方向に移動する。
【０３１５】
また、実施の形態１から実施の形態６に係る撮像光学系では、像ぶれ補正用のレンズ素子を、光軸に対して垂直方向に移動させて像ぶれ補正を行う構成を例に説明したが、これに限られない。つまり、光軸に対して垂直方向の成分を持つように移動方式であれば、画像のぶれを補正することが可能である。そのため、例えば鏡筒構造の複雑化を許容すれば、光軸上に回転中心を持つように像ぶれ補正用のレンズ素子を回動させて像ぶれ補正を行う構成としもよい。
【０３１６】
また、実施の形態１から実施の形態６では、撮像光学系を構成する各レンズ群は、入射光線を屈折により偏向させる屈折型レンズ素子（すなわち、異なる屈折率を有する媒質同士の界面で偏向が行われるタイプのレンズ素子）のみで構成する例で説明したが、これに限られない。例えば、回折により入射光線を偏向させる回折型レンズ素子や、回折作用と屈折作用との組み合わせで入射光線を偏向させる屈折・回折ハイブリッド型レンズ素子で構成してもよい。さらに、入射光線を媒質内の屈折率分布により偏向させる屈折率分布型レンズ素子などで、各レンズ群を構成してもよい。特に、屈折・回折ハイブリッド型レンズ素子において、屈折率の異なる媒質の界面に回折構造を形成すると、回折効率の波長依存性が改善されるので、より好ましい。これにより、諸収差の良好なカメラシステムなどを実現できる。
【０３１７】
（数値実施例）
以下、実施の形態１から実施の形態６に係る撮像光学系の構成において、具体的に実施した数値実施例について、図２、図３、図５、図６、図８、図９、図１１、図１２、図１４、図１５、図１７および図１８を参照しながら説明する。
【０３１８】
なお、各数値実施例において、表中の長さの単位は「ｍｍ」で、画角の単位は「°」である。また、各数値実施例において、ｒは曲率半径、ｄは面間隔、ｎｄはｄ線に対する屈折率、νｄ（ｖｄとも記す）はｄ線に対するアッベ数である。さらに、各数値実施例において、＊印を付した面は非球面である。そして、非球面形状は、次式で定義される。また、各数値実施例において、絞り径は、各ズームポジションにおける有効な開放絞り径である。
【０３１９】
【数１】
2018123672.tif 000067
【０３２０】
ここで、Ｚは光軸からの高さｈの非球面上の点から、非球面頂点の接平面までの距離、ｈは光軸からの高さ、ｒは頂点曲率半径、κは円錐定数、Ａｎはｎ次の非球面係数である。
【０３２１】
図２、図５、図８、図１１、図１４および図１７は、実施の形態１から６に対応する数値実施例１から６に係る撮像光学系の無限遠合焦状態の縦収差図である。
【０３２２】
ここで、各縦収差図において、（ａ）は広角端、（ｂ）は中間位置、（ｃ）は望遠端における各縦収差を表している。各縦収差図の（ａ）から（ｃ）は、左側から順に、球面収差（ＳＡ：Ｓｐｈｅｒｉｃａｌ  Ａｂｅｒｒａｔｉｏｎ（ｍｍ））、非点収差（ＡＳＴ：Ａｓｔｉｇｍａｔｉｓｍ（ｍｍ））、歪曲収差（ＤＩＳ：Ｄｉｓｔｏｒｔｉｏｎ（％））を示している。
【０３２３】
球面収差図において、縦軸はＦナンバー（図中、「Ｆ」で示す）を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。非点収差図において、縦軸は像高（図中、「Ｈ」で示す）を表し、実線はサジタル平面（図中、「ｓ」で示す）、破線はメリディオナル平面（図中、「ｍ」で示す）に対する特性を示している。さらに、歪曲収差図において、縦軸は像高（図中、「Ｈ」で示す）を表している。
【０３２４】
また、図３、図６、図９、図１２、図１５および図１８は、実施の形態１から６に対応する数値実施例１から６に係る撮像光学系の望遠端における横収差図である。
【０３２５】
ここで、各横収差図の（ａ）から（ｃ）は、望遠端における像ぶれ補正を行っていない基本状態の特性を示している。また、各横収差図の（ｄ）から（ｆ）は、像ぶれ補正レンズ群を光軸と垂直な方向に所定量移動させた望遠端における像ぶれ補正状態の特性を示している。
【０３２６】
なお、基本状態の各横収差図の（ａ）は最大像高の７０％の像点における横収差、（ｂ）は軸上像点における横収差、（ｃ）は最大像高の−７０％の像点における横収差に対応する特性を示している。同様に、像ぶれ補正状態の各横収差図の（ｄ）は最大像高の７０％の像点における横収差、（ｅ）は軸上像点における横収差、（ｆ）は最大像高の−７０％の像点における横収差に対応する特性を示している。
【０３２７】
各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。そして、各横収差図において、メリディオナル平面を、第１レンズ群Ｇ１の光軸とレンズ素子ＬＧｐＲ１の光軸とを含む平面としている。
【０３２８】
ここで、各数値実施例の撮像光学系について、望遠端の像ぶれ補正状態における、像ぶれ補正レンズ群の光軸と垂直な方向への移動量を、以下に示す。
【０３２９】
数値実施例１    ０．２６１ｍｍ
数値実施例２    ０．２５１ｍｍ
数値実施例３    ０．２４１ｍｍ
数値実施例４    ０．２３８ｍｍ
数値実施例５    ０．２４７ｍｍ
数値実施例６    ０．１６８ｍｍ
なお、撮影距離が∞の望遠端において、撮像光学系が０．４度傾いた場合の像偏心量は、像ぶれ補正レンズ群が光軸と垂直な方向に上記の各値だけ平行移動するときの像偏心量に等しい。
【０３３０】
上記状態において、図３、図６、図９、図１２、図１５および図１８の（ｂ）、（ｅ）に示す横収差図から、軸上像点における横収差の対称性が良好であることがわかる。
【０３３１】
また、図３、図６、図９、図１２、図１５および図１８の（ａ）に示す基本状態の＋７０％の像点における横収差と、（ｃ）に示す基本状態の−７０％の像点における横収差とを比較すると、いずれも湾曲度が小さく、収差曲線の傾斜がほぼ等しい。これにより、偏心コマ収差および偏心非点収差が小さいことがわかる。上記の結果は、像ぶれ補正状態でも、充分な結像性能が得られていることを意味している。
【０３３２】
また、撮像光学系の像ぶれ補正角が同じ場合、撮像光学系全体の焦点距離が短くなるにつれて、像ぶれ補正に必要な平行移動量が減少する。つまり、いずれのズーム位置でも、０．４度程度の像ぶれ補正角に対して、結像特性を低下させずに、充分な像ぶれ補正を行うことが可能であることがわかる。
【０３３３】
（数値実施例１）
以下に、図１に示す実施の形態１に対応する撮像光学系の数値実施例１を示す。具体的には、数値実施例１として、面データを（表１）、非球面データを（表２）、無限遠合焦状態での各種データを（表３Ａ）〜（表３Ｄ）に示す。
2018123672.tif 000068
2018123672.tif 000069
2018123672.tif 000070
2018123672.tif 000071
2018123672.tif 000072
2018123672.tif 000073
【０３３４】
（数値実施例２）
以下に、図４に示す実施の形態２に対応する撮像光学系の数値実施例２を示す。具体的には、数値実施例２として、面データを（表４）に、非球面データを（表５）、無限遠合焦状態での各種データを（表６Ａ）〜（表６Ｄ）に示す。
2018123672.tif 000074
2018123672.tif 000075
2018123672.tif 000076
2018123672.tif 000077
2018123672.tif 000078
2018123672.tif 000079
【０３３５】
（数値実施例３）
以下に、図７に示す実施の形態３に対応する撮像光学系の数値実施例３を示す。具体的には、数値実施例３として、面データを（表７）、非球面データを（表８）、無限遠合焦状態での各種データを（表９Ａ）〜（表９Ｄ）に示す。
2018123672.tif 000080
2018123672.tif 000081
2018123672.tif 000082
2018123672.tif 000083
2018123672.tif 000084
2018123672.tif 000085
【０３３６】
（数値実施例４）
以下に、図１０に示す実施の形態４に対応する撮像光学系の数値実施例４を示す。具体的には、数値実施例４として、面データを（表１０）、非球面データを（表１１）、無限遠合焦状態での各種データを（表１２Ａ）〜（表１２Ｄ）に示す。
2018123672.tif 000086
2018123672.tif 000087
2018123672.tif 000088
2018123672.tif 000089
2018123672.tif 000090
2018123672.tif 000091
【０３３７】
（数値実施例５）
以下に、図１３に示す実施の形態５に対応する撮像光学系の数値実施例５を示す。具体的には、数値実施例５として、面データを（表１３）に、非球面データを（表１４）に、無限遠合焦状態での各種データを（表１５Ａ）〜（表１５Ｄ）に示す。
2018123672.tif 000092
2018123672.tif 000093
2018123672.tif 000094
2018123672.tif 000095
2018123672.tif 000096
2018123672.tif 000097
【０３３８】
（数値実施例６）
以下に、図１６に示す実施の形態６に対応する撮像光学系の数値実施例６を示す。具体的には、数値実施例６として、面データを（表１６）に、非球面データを（表１７）に、無限遠合焦状態での各種データを（表１８Ａ）〜（表１８Ｄ）に示す。
2018123672.tif 000098
2018123672.tif 000099
2018123672.tif 000100
2018123672.tif 000101
2018123672.tif 000102
2018123672.tif 000103
【０３３９】
（条件の対応値）
以上のように、実施の形態１から実施の形態６に係る撮像光学系について、数値実施例１から数値実施例６で、具体的に実施した。
【０３４０】
以下に、各数値実施例における上記条件（１）〜条件（１５）に対応する値を（表１）に示す。
【０３４１】
【表１】
2018123672.tif 000104
【０３４２】
（表１）に示すように、数値実施例１から数値実施例６で実施した撮像光学系は、上記各条件（１）から条件（１５）を満たすことがわかる。
【０３４３】
これにより、小型、高倍率で、全ズーム範囲で結像性能に優れた撮像光学系およびそれを備える撮像装置やカメラシステムを実現できる。
【０３４４】
なお、上述の実施の形態は、本開示における技術を例示するためのものであるから、請求の範囲またはその均等の範囲において種々の変更、置き換え、付加、省略などを行うことができる。
【０３４５】
本開示に係る撮像光学系は、デジタルスチルカメラ、交換レンズ式デジタルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラなどに適用可能である。特に、本開示は、デジタルスチルカメラシステム、デジタルビデオカメラシステムなどの高画質が要求される撮像光学系に好適である。
【符号の説明】
【０３４６】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇｆ，Ｇｍ，Ｇｐ    レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０    第１０レンズ素子
Ｌ１１    第１１レンズ素子
Ｌ１２    第１２レンズ素子
Ｌ１３    第１３レンズ素子
Ｌ１４    第１４レンズ素子
ＬＧｍＦ１，ＬＧｍＦ２，ＬＧｍＲ１，ＬＧｍＲ２，ＬＧｍＲ３    レンズ素子
ＬＧｐＦ１，ＬＧｐＦ２，ＬＧｐＲ１，ＬＧｐＲ２，ＬＧｐＲ３    レンズ素子
Ａ    開口絞り
ＣＧ    平行平板
Ｓ    像面
１００    撮像装置
１０１    撮像光学系
１０２    撮像素子
１０４    筐体
２００    カメラシステム
２０１    カメラ本体
２０２    撮像素子
２０３    モニタ
２０４    カメラマウント部
２０５    ファインダ
３００    交換レンズ装置
３０２    鏡筒
３０４    レンズマウント部
３１１    第１群枠
３１２    第２群枠
３１３    第３群枠
３１３ａ    ３群前枠
３１３ｂ    ＯＩＳベース枠
３１３ｃ    ＯＩＳ枠
３１４    第４群枠
３１５    第５群枠
３２０    カム筒
３２３    偏芯ピン
３２５    直進固定枠
３２６    カムピン
３２７，３２８    アクチュエータ
３２９    シャフト
【手続補正２】
【補正対象書類名】特許請求の範囲
【補正対象項目名】全文
【補正方法】変更
【補正の内容】
【特許請求の範囲】
【請求項１】
ズーミングに際して各レンズ群の間隔が変化し、負のパワーを有するレンズ群のうち、最も物体側にあるレンズ群Ｇｍは、
物体側から像側へと順に、
負のパワーを有するレンズ素子ＬＧｍＦ１と、
両面が非球面形状で負のパワーを有するレンズ素子ＬＧｍＦ２と、
２枚以上のパワーを有するレンズ素子と、を備える、
撮像光学系。
【請求項２】
負のパワーを有するレンズ群のうち、最も物体側にあるレンズ群Ｇｍは、
物体側から像側へと順に、
負のパワーを有するレンズ素子ＬＧｍＦ１と、
両面が非球面形状で負のパワーを有するレンズ素子ＬＧｍＦ２と、
２枚以上のパワーを有するレンズ素子と、を備え、
前記レンズ素子ＬＧｍＦ１は、開口絞りよりも物体側にあるレンズ素子のうち、最もパワーの強いレンズ素子である、
撮像光学系。
【請求項３】
ｔ＿ＬＧｍＦ２（７０％）を前記レンズ群Ｇｍの物体側から２枚目のレンズ素子ＬＧｍＦ２の物体側面の有効径から７０％の高さのレンズ素子厚み、
ｃｔ＿ＬＧｍＦ２を前記レンズ群Ｇｍの物体側から２枚目のレンズ素子ＬＧｍＦ２の中心厚み、としたとき、
０．８＜ｔ＿ＬＧｍＦ２（７０％）／ｃｔ＿ＬＧｍＦ２＜１．５・・・（１２）
上記の条件（１２）を満足する請求項１または請求項２のいずれか１項に記載の撮像光学系。
【請求項４】
前記レンズ群Ｇｍの像側から２枚目のレンズ素子ＬＧｍＲ２は、像側に凸のメニスカス形状である、
請求項１または請求項２のいずれか１項に記載の撮像光学系。
【請求項５】
前記レンズ群Ｇｍは、
物体側から像側へと順に、
負のパワーを有する前記レンズ素子ＬＧｍＦ１と、
負のパワーを有する前記レンズ素子ＬＧｍＦ２と、
を備え、
像側から物体側へと順に、少なくとも２つの、
正のパワーを有するレンズ素子ＬＧｍＲ１と、
負のパワーを有するレンズ素子ＬＧｍＲ２と、
を備える、請求項１または請求項２のいずれか１項に記載の撮像光学系。
【請求項６】
ＴＨＧｍ＿Ａを前記レンズ群Ｇｍの物体側から１枚目のレンズ素子ＬＧｍＦ１と、前記レンズ群Ｇｍの物体側から２枚目のレンズ素子ＬＧｍＦ２との空気間隔、
ＴＨＧｍ＿Ｂを前記レンズ群Ｇｍの像側から２枚目のレンズ素子ＬＧｍＲ２と、前記レンズ群Ｇｍの像側から３枚目のレンズ素子ＬＧｍＲ３との空気間隔、としたとき、
０．５  ＜  ＴＨＧｍ＿Ａ／ＴＨＧｍ＿Ｂ  ＜  １．５    ・・・（２）
上記の条件（２）を満足する請求項１または請求項２のいずれか１項に記載の撮像光学系。
【請求項７】
ｎｄ＿ＬＧｍＦ１を前記レンズ群Ｇｍの最も物体側のレンズ素子ＬＧｍＦ１の屈折率、
ｖｄ＿ＬＧｍＦ１を前記レンズ群Ｇｍの最も物体側のレンズ素子ＬＧｍＦ１のアッベ数、としたとき、
１．７５  ＜  ｎｄ＿ＬＧｍＦ１      ・・・（１０）
２５      ＜  ｖｄ＿ＬＧｍＦ１      ・・・（１１）
上記の条件（１０）、（１１）を満足する請求項１または請求項２のいずれか１項に記載の撮像光学系。
【請求項８】
ｎｄ＿ＬＧｍＦ２を前記レンズ群Ｇｍの最も物体側から２枚目のレンズ素子ＬＧｍＦ２の屈折率、
ｖｄ＿ＬＧｍＦ２を前記レンズ群Ｇｍの最も物体側から２枚目のレンズ素子ＬＧｍＦ２のアッベ数、としたとき、
１．４５  ＜  ｎｄ＿ＬＧｍＦ２        ・・・（３）
３５      ＜  ｖｄ＿ＬＧｍＦ２        ・・・（４）
上記の条件（３）、（４）を満足する請求項１または請求項２のいずれか１項に記載の撮像光学系。
【請求項９】
前記レンズ群Ｇｍの像側に、正のパワーを有するレンズ群Ｇｐを備え、
前記レンズ群Ｇｐは、
物体側から像側へと順に、
正のパワーを有するレンズ素子ＬＧｐＦ１と、
正のパワーを有するレンズ素子ＬＧｐＦ２と、を有し、
前記レンズ素子ＬＧｐＦ１の物体側もしくは像側のいずれか一方に前記開口絞りを有する、
請求項１または請求項２のいずれか１項に記載の撮像光学系。
【請求項１０】
前記レンズ群Ｇｐは、
像側から物体側へと順に、
正のパワーを有するレンズ素子ＬＧｐＲ１と、
正のパワーを有するレンズ素子ＬＧｐＲ２と、
負のパワーを有するレンズ素子ＬＧｐＲ３と、を有する、
請求項９に記載の撮像光学系。
【請求項１１】
前記レンズ群Ｇｍの像側に、正のパワーを有するレンズ群Ｇｐを備え、
ＴＨＧｐ＿Ａを前記レンズ群Ｇｐの物体側から１枚目のレンズ素子ＬＧｐＦ１と、前記レンズ群Ｇｐの物体側から２枚目のレンズ素子ＬＧｐＦ２との空気間隔、
ＴＨＧｐ＿Ｂを前記レンズ群Ｇｐの最も物体側から最も像側までのレンズ素子の中心間隔、としたとき、
０．０５  ＜  ＴＨＧｐ＿Ａ／ＴＨＧｐ＿Ｂ  ＜  ０．５    ・・・（５）
上記の条件（５）を満足する請求項１に記載の撮像光学系。
【請求項１２】
前記レンズ群Ｇｐの最も像側のレンズ素子の像側に、無限遠合焦状態から近接合焦状態へ
のフォーカシングに際して、光軸方向に移動する負のパワーを有するレンズ群Ｇｆを備え、
ＴＨＧｐ＿Ａを前記レンズ素子ＬＧｐＦ１と、前記レンズ素子ＬＧｐＦ２との空気間隔、ＴＨＧｐ＿Ｂを前記レンズ群Ｇｐの最も物体側から最も像側までのレンズ素子の中心間隔、としたとき、
０．０５  ＜  ＴＨＧｐ＿Ａ／ＴＨＧｐ＿Ｂ  ＜  ０．５    ・・・（５）
上記の条件（５）を満足する請求項９に記載の撮像光学系。
【請求項１３】
前記レンズ群Ｇｍの像側に、正のパワーを有するレンズ群Ｇｐを備え、
撮影時の広角端から望遠端へのズーミングに際して、少なくとも、前記レンズ群Ｇｍと前記レンズ群Ｇｐは、お互いの間隔が変化するように、光軸方向に移動し、
ｆ＿ＬＧｐＦ１を前記レンズ群Ｇｐの最も物体側のレンズ素子ＬＧｐＦ１の焦点距離、
ｆｗを広角端での焦点距離、としたとき、
０．５  ＜  ｆ＿ＬＧｐＦ１／ｆｗ  ＜  １５・・・（１）
上記の条件（１）を満足する請求項１に記載の撮像光学系。
【請求項１４】
前記レンズ群Ｇｍの像側に、正のパワーを有するレンズ群Ｇｐを備え、
撮影時の広角端から望遠端へのズーミングに際して、少なくとも、前記レンズ群Ｇｍと前記レンズ群Ｇｐは、互いの間隔が変化するように、光軸方向に移動し、
ｆ＿Ｇｐを前記レンズ群Ｇｐの焦点距離、
ｆｗを広角端における全系の焦点距離、としたとき、
１．０  ＜  ｆ＿Ｇｐ／ｆｗ  ＜  ７      ・・・（６）
上記の条件（６）を満足する請求項１に記載の撮像光学系。
【請求項１５】
前記レンズ群Ｇｍの像側に、正のパワーを有するレンズ群Ｇｐを備え、
前記レンズ群Ｇｐの像側に、負のパワーを有するレンズ群Ｇｆを備え、
ｎｄ＿ＬＧｆを、前記レンズ群Ｇｆを構成するレンズ素子の屈折率、
ｖｄ＿ＬＧｆを、前記レンズ群Ｇｆを構成するレンズ素子のアッベ数、としたとき、
１．５０  ＜  ｎｄ＿ＬＧｆ        ・・・（７）
３５      ＜  ｖｄ＿ＬＧｆ        ・・・（８）
上記の条件（７）、（８）を満足する請求項１または請求項２のいずれか１項に記載の撮像光学系。
【請求項１６】
前記レンズ群Ｇｍの像側に、正のパワーを有するレンズ群Ｇｐを備え、
前記レンズ群Ｇｐの像側に、負のパワーを有するレンズ群Ｇｆを備え、
撮影時の広角端から望遠端へのズーミングに際して、少なくとも、前記レンズ群Ｇｍと前記レンズ群Ｇｐは、互いの間隔が変化するように、光軸方向に移動し、
ｆ＿Ｇｆを前記レンズ群Ｇｆの焦点距離、
ｆｗを広角端における全系の焦点距離、としたとき、
１．５  ＜  ｜ｆ＿Ｇｆ｜／ｆｗ  ＜  ５      ・・・（９）
上記の条件（９）を満足する請求項１に記載の撮像光学系。
【請求項１７】
請求項１または請求項２のいずれか１項に記載の撮像光学系を含む交換レンズ装置と、
前記交換レンズ装置とカメラマウント部を介して着脱自在に接続され、前記撮像光学系が形成する光学的な像を受光して電気的な画像信号に変換する撮像素子を含むカメラ本体と、を備え、
前記交換レンズ装置は、前記光学的な像を前記撮像素子に形成する、
カメラシステム。
【請求項１８】
物体の光学的な像を電気的な画像信号に変換し、変換された前記画像信号の表示および記
憶の少なくとも一方を行う撮像装置であって、
前記物体の光学的な像を形成する請求項１または請求項２のいずれか１項に記載の撮像光学系と、
前記撮像光学系により形成された前記光学的な像を、前記電気的な画像信号に変換する撮像素子と、を備える、
撮像装置。
【請求項１９】
ｔ＿ＬＧｍＦ２（７０％）を前記レンズ群Ｇｍの物体側から２枚目のレンズ素子ＬＧｍＦ２の物体側面の有効径から７０％の高さのレンズ素子厚み、
ｃｔ＿ＬＧｍＦ２を前記レンズ群Ｇｍの物体側から２枚目のレンズ素子ＬＧｍＦ２の中心厚み、としたとき、
０．１  ＜  ｃｔ＿ＬＧｍＦ２／ＴＨＧｍ＿Ｂ  ＜  １．２    ・・・（１３）
上記の条件（１３）に示す関係式を満足する請求項１または請求項２のいずれか１項に記載の撮像光学系。
【請求項２０】
前記レンズ群Ｇｍの最も物体側のレンズ素子ＬＧｍＦ１の像側の曲率半径をＲ２＿ＬＧｍＦ１、
前記レンズ群Ｇｍの最も物体側から２枚目のレンズ素子ＬＧｍＦ２の物体側の曲率半径をＲ１＿ＬＧｍＦ２、としたとき
１  ＜  （Ｒ１＿ＬＧｍＦ２＋Ｒ２＿ＬＧｍＦ１）
／（Ｒ１＿ＬＧｍＦ２―Ｒ２＿ＬＧｍＦ１）  ＜  ４．０        ・・・（１４）
上記の条件（１４）を満足する請求項１または請求項２のいずれか１項に記載の撮像光学系。
【請求項２１】
前記レンズ素子ＬＧｍＦ１の像側の曲率半径をＲ２＿ＬＧｍＦ１、
前記レンズ素子ＬＧｍＲ２の物体側の曲率半径をＲ１＿ＬＧｍＲ２、としたとき、
−０．５  ＜  （Ｒ１＿ＬＧｍＲ２＋Ｒ２＿ＬＧｍＦ１）
／（Ｒ１＿ＬＧｍＲ２―Ｒ２＿ＬＧｍＦ１）  ＜  １．０        ・・・（１５）
上記の条件（１５）を満足する請求項１または請求項２のいずれか１項に記載の撮像光学系。
【手続補正３】
【補正対象書類名】図面
【補正対象項目名】全図
【補正方法】変更
【補正の内容】
【図１】
2018123672.tif 000105
【図２】
2018123672.tif 000106
【図３】
2018123672.tif 000107
【図４】
2018123672.tif 000108
【図５】
2018123672.tif 000109
【図６】
2018123672.tif 000110
【図７】
2018123672.tif 000111
【図８】
2018123672.tif 000112
【図９】
2018123672.tif 000113
【図１０】
2018123672.tif 000114
【図１１】
2018123672.tif 000115
【図１２】
2018123672.tif 000116
【図１３】
2018123672.tif 000117
【図１４】
2018123672.tif 000118
【図１５】
2018123672.tif 000119
【図１６】
2018123672.tif 000120
【図１７】
2018123672.tif 000121
【図１８】
2018123672.tif 000122
【図１９】
2018123672.tif 000123
【図２０】
2018123672.tif 000124
【図２１】
2018123672.tif 000125
【国際調査報告】
2018123672.tif 000126
2018123672.tif 000127
2018123672.tif 000128
2018123672.tif 000129